(57)【特許請求の範囲】
【請求項１】
複数のゲートバスラインと、
複数のソースバスラインと、
複数の対向電極バスラインと、
前記複数のゲートバスラインのうち任意のゲートバスラインに接続されたゲートと、前記複数のソースバスラインのうち任意のソースバスラインに接続されたソースとを備えたトランジスタと、
前記トランジスタのドレインに接続された画素電極と、
液晶を介して前記画素電極に対向する対向電極であって、前記複数の対向電極バスラインのうち任意の対向電極バスラインに接続された対向電極と、
前記複数のソースバスラインのそれぞれの一端に接続され、前記任意のソースバスラインに対してソース信号を供給するソースドライバと、
前記複数のゲートバスラインのそれぞれの一端に接続され、前記トランジスタを導通させる導通信号を前記任意のゲートバスラインに対して逐次的に供給するゲートドライバと、
を備えた表示パネルであって、
前記ゲートドライバが前記任意のゲートバスラインに対して前記導通信号を供給してから次の前記導通信号を供給するまでの１走査期間において、前記任意の対向電極バスラインに対し、少なくとも第１の電圧レベルおよび前記第１の電圧レベルと異なる第２の電圧レベルからなる矩形状の電圧信号を供給する対向電極ドライバを備えており、
前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとり、
前記対向電極ドライバは、前記１走査期間において、前記任意の対向電極バスラインに対し、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給する、
ことを特徴とする表示パネル。
【請求項２】
前記１走査期間における最初の前記電圧レベルの遷移の前後における前記電圧レベルの電位差の絶対値は、前記１走査期間における次の前記電圧レベルの遷移の前後における前記電圧レベルの電位差の絶対値よりも小さい、
ことを特徴とする請求項１に記載の表示パネル。
【請求項３】
前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとる、
ことを特徴とする請求項１または２に記載の表示パネル。
【請求項４】
前記矩形状の電圧信号は、前記１走査期間の開始から前記１走査期間の略１０パーセントの期間が経過するまでの期間において、前記第１の電圧レベル、前記第２の電圧レベル、前記第３の電圧レベル、または、前記第４の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、前記第３の電圧レベル、または、前記第４の電圧レベルのうち他の１つの電圧レベルをとる、
ことを特徴とする請求項１から３の何れか１項に記載の表示パネル。
【請求項５】
前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、
ことを特徴とする請求項１から４の何れか１項に記載の表示パネル。
【請求項６】
前記第１の電圧レベル、前記第２の電圧レベル、前記第３の電圧レベル、および、前記第４の電圧レベルのうち、２番目に高い電圧レベルと、前記第１の電圧レベル、前記第２の電圧レベル、前記第３の電圧レベル、および、前記第４の電圧レベルのうち、最も低い電圧レベルとの電位差の絶対値は、液晶の閾値電圧の２倍以下である、
ことを特徴とする請求項１から５の何れか１項に記載の表示パネル。
【請求項７】
前記ゲートドライバが前記任意のゲートバスラインに対して前記導通信号を供給したときに、前記任意の対向電極バスラインに対して、前記電圧レベルのうち最も高い電圧レベルが供給されている場合には、
前記対向電極ドライバは、前記任意の対向電極バスラインに対して、前記１走査期間において、前記電圧レベルが降順である前記矩形状の電圧信号を供給する、
ことを特徴とする請求項１から６の何れか１項に記載の表示パネル。
【請求項８】
前記ゲートドライバが前記任意のゲートバスラインに対して前記導通信号を供給したときに、前記任意の対向電極バスラインに対して、前記電圧レベルのうち最も低い電圧レベルが供給されている場合には、
前記対向電極ドライバは、前記任意の対向電極バスラインに対して、前記１走査期間において、前記電圧レベルが昇順である前記矩形状の電圧信号を供給する、
ことを特徴とする請求項１から７の何れか１項に記載の表示パネル。
【請求項９】
前記対向電極ドライバは、
前記複数のゲートバスラインのうちｎ番目のゲートバスラインに前記トランジスタを介して接続された前記画素電極に対向する前記対向電極が接続された前記対向電極バスラインと、
前記複数のゲートバスラインのうちｎ＋１番目のゲートバスラインに前記トランジスタを介して接続された前記画素電極に対向する前記対向電極が接続された前記対向電極バスラインと、
に対し、前記矩形状の電圧信号を同期して供給する、
ことを特徴とする請求項１から８の何れか１項に記載の表示パネル。
【請求項１０】
前記対向電極ドライバは、
前記複数のゲートバスラインのうちｎ番目のゲートバスラインに前記トランジスタを介して接続された前記画素電極に対向する前記対向電極が接続された前記対向電極バスラインと、
前記複数のゲートバスラインのうちｎ＋２番目のゲートバスラインに前記トランジスタを介して接続された前記画素電極に対向する前記対向電極が接続された前記対向電極バスラインと、
に対し、前記矩形状の電圧信号を同期して供給する、
ことを特徴とする請求項１から８の何れか１項に記載の表示パネル。
【請求項１１】
複数のゲートバスラインと、
複数のソースバスラインと、
複数の対向電極バスラインと、
前記複数のゲートバスラインのうち任意のゲートバスラインに接続されたゲートと、前記複数のソースバスラインのうち任意のソースバスラインに接続されたソースとを備えたトランジスタと、
前記トランジスタのドレインに接続された画素電極と、
液晶を介して前記画素電極に対向する対向電極であって、前記複数の対向電極バスラインのうち任意の対向電極バスラインに接続された対向電極と、
前記複数のソースバスラインのそれぞれの一端に接続され、前記任意のソースバスラインに対してソース信号を供給するソースドライバと、
前記複数のゲートバスラインのそれぞれの一端に接続され、前記トランジスタを導通させる導通信号を前記任意のゲートバスラインに対して逐次的に供給するゲートドライバと、
を備えた表示パネルであって、
前記ゲートドライバが前記任意のゲートバスラインに対して前記導通信号を供給してから次の前記導通信号を供給するまでの１走査期間において、前記任意の対向電極バスラインに対し、少なくとも第１の電圧レベルおよび前記第１の電圧レベルと異なる第２の電圧レベルからなる矩形状の電圧信号を供給する対向電極ドライバを備えており、
前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとり、
前記複数のゲートバスラインの本数は偶数であり、
前記複数の対向電極バスラインの本数は、前記ゲートバスラインの本数の半数であり、
前記複数のゲートバスラインのうち２ｋ−１番目（ｋは自然数）のゲートバスラインに前記トランジスタを介して接続された前記画素電極に対向する前記対向電極と、
前記複数のゲートバスラインのうち２ｋ番目のゲートバスラインに前記トランジスタを介して接続された前記画素電極に対向する前記対向電極とが、
前記複数の対向電極バスラインのうちｋ番目の対向電極バスラインに接続されている、
ことを特徴とする表示パネル。
【請求項１２】
前記複数のゲートバスラインの本数は偶数であり、
前記複数の対向電極バスラインの本数は、前記ゲートバスラインの本数の半数であり、
前記複数のゲートバスラインのうち２ｋ−１番目（ｋは自然数）のゲートバスラインに前記トランジスタを介して接続された前記画素電極に対向する前記対向電極と、
前記複数のゲートバスラインのうち２ｋ番目のゲートバスラインに前記トランジスタを介して接続された前記画素電極に対向する前記対向電極とが、
前記複数の対向電極バスラインのうちｋ番目の対向電極バスラインに接続されている、
ことを特徴とする請求項１から８の何れか１項に記載の表示パネル。
【請求項１３】
前記対向電極ドライバは、前記矩形状の電圧信号の振幅の大きさを変更する振幅変更手段を備えている、
ことを特徴とする請求項１から１２の何れか１項に記載の表示パネル。
【請求項１４】
前記ソースドライバは、
予め定められた基準振幅未満の振幅の前記ソース信号を供給する場合には、
前記矩形状の電圧信号の振幅がより小さいときに、より振幅の大きな前記ソース信号を供給し、前記矩形状の電圧信号の振幅がより大きいときに、より振幅の小さな前記ソース信号を供給し、
予め定められた基準振幅以上の振幅の前記ソース信号を供給する場合には、
前記矩形状の電圧信号の振幅がより小さいときに、より振幅の小さな前記ソース信号を供給し、前記矩形状の電圧信号の振幅がより大きいときに、より振幅の大きな前記ソース信号を供給する、
ことを特徴とする請求項１３に記載の表示パネル。
【請求項１５】
複数のゲートバスラインと、
複数のソースバスラインと、
複数の対向電極バスラインと、
前記複数のゲートバスラインのうち任意のゲートバスラインに接続されたゲートと、前記複数のソースバスラインのうち任意のソースバスラインに接続されたソースとを備えたトランジスタと、
前記トランジスタのドレインに接続された画素電極と、
液晶を介して前記画素電極に対向する対向電極であって、前記複数の対向電極バスラインのうち任意の対向電極バスラインに接続された対向電極と、
前記複数のソースバスラインのそれぞれの一端に接続され、前記任意のソースバスラインに対してソース信号を供給するソースドライバと、
前記複数のゲートバスラインのそれぞれの一端に接続され、前記トランジスタを導通させる導通信号を前記任意のゲートバスラインに対して逐次的に供給するゲートドライバと、
を備えた表示パネルであって、
前記ゲートドライバが前記任意のゲートバスラインに対して前記導通信号を供給してから次の前記導通信号を供給するまでの１走査期間において、前記任意の対向電極バスラインに対し、少なくとも第１の電圧レベルおよび前記第１の電圧レベルと異なる第２の電圧レベルからなる矩形状の電圧信号を供給する対向電極ドライバを備えており、
前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとり、
２つの前記対向電極ドライバを備え、
前記任意の対向電極バスラインは、絶縁部を介して同一直線上に形成された２本の対向電極バスラインから構成され、
２つの前記対向電極ドライバのうち一方の前記対向電極ドライバは、
前記１走査期間において、前記２本の対向電極バスラインのうち一方の対向電極バスラインに対し、前記導通信号に同期して、第１の電圧レベルおよび前記第１の電圧レベルと異なる第２の電圧レベルからなる矩形状の電圧信号を供給し、
２つの前記対向電極ドライバのうち他の一方の前記対向電極ドライバは、
前記１走査期間において、前記２本の対向電極バスラインのうち他の一方の対向電極バスラインに対し、前記導通信号に同期して、第１の電圧レベルおよび前記第１の電圧レベルと異なる第２の電圧レベルからなる矩形状の電圧信号を供給する、
ことを特徴とする表示パネル。
【請求項１６】
２つの前記対向電極ドライバを備え、
前記任意の対向電極バスラインは、絶縁部を介して同一直線上に形成された２本の対向電極バスラインから構成され、
２つの前記対向電極ドライバのうち一方の前記対向電極ドライバは、
前記１走査期間において、前記２本の対向電極バスラインのうち一方の対向電極バスラインに対し、前記導通信号に同期して、第１の電圧レベルおよび前記第１の電圧レベルと異なる第２の電圧レベルからなる矩形状の電圧信号を供給し、
２つの前記対向電極ドライバのうち他の一方の前記対向電極ドライバは、
前記１走査期間において、前記２本の対向電極バスラインのうち他の一方の対向電極バスラインに対し、前記導通信号に同期して、第１の電圧レベルおよび前記第１の電圧レベルと異なる第２の電圧レベルからなる矩形状の電圧信号を供給する、
ことを特徴とする請求項１から１４の何れか１項に記載の表示パネル。
【請求項１７】
前記ソースドライバは、
前記一方の対向電極バスラインに接続された前記対向電極に対向する前記画素電極に前記トランジスタを介して接続された前記ソースバスラインと、前記他の一方の対向電極バスラインに接続された前記対向電極に対向する前記画素電極に前記トランジスタを介して接続された前記ソースバスラインとに対し、それぞれ振幅の異なったソース信号を供給する、
ことを特徴とする請求項１５または１６に記載の表示パネル。
【請求項１８】
前記一方の対向電極バスラインの長さは、前記任意の対向電極バスラインの長さの略４５パーセントから略５５パーセントの長さであり、前記他の一方の対向電極バスラインの長さは、前記任意の対向電極バスラインの長さから前記一方の対向電極バスラインの長さを引いた長さに略等しい、ことを特徴とする請求項１５から１７の何れか１項に記載の表示パネル。
【請求項１９】
前記一方の対向電極ドライバは、前記矩形状の電圧信号の振幅の大きさを変更する第１の振幅変更手段を備えており、前記他の一方の対向電極ドライバは、前記矩形状の電圧信号の振幅の大きさを変更する第２の振幅変更手段を備えている、
ことを特徴とする請求項１５から１８の何れか１項に記載の表示パネル。
【請求項２０】
前記ソースドライバは、
予め定められた基準振幅未満の振幅の前記ソース信号を供給する場合には、
前記一方の対向電極ドライバが前記一方の対向電極バスラインに振幅のより小さい前記矩形状の電圧信号を供給する場合に、前記一方の対向電極バスラインに接続された前記対向電極に対向する前記画素電極に前記トランジスタを介して接続された前記ソースバスラインに対して、振幅のより大きい前記ソース信号を供給し、
前記一方の対向電極ドライバが前記一方の対向電極バスラインに振幅のより大きい前記矩形状の電圧信号を供給する場合に、前記一方の対向電極バスラインに接続された前記対向電極に対向する前記画素電極に前記トランジスタを介して接続された前記ソースバスラインに対して、振幅のより小さい前記ソース信号を供給し、
前記他の一方の対向電極ドライバが前記他の一方の対向電極バスラインに振幅のより小さい前記矩形状の電圧信号を供給する場合に、前記他の一方の対向電極バスラインに接続された前記対向電極に対向する前記画素電極に前記トランジスタを介して接続された前記ソースバスラインに対して、振幅のより大きい前記ソース信号を供給し、
前記他の一方の対向電極ドライバが前記他の一方の対向電極バスラインに振幅のより大きい前記矩形状の電圧信号を供給する場合に、前記他の一方の対向電極バスラインに接続された前記対向電極に対向する前記画素電極に前記トランジスタを介して接続された前記ソースバスラインに対して、振幅のより小さい前記ソース信号を供給し、
予め定められた基準振幅以上の振幅の前記ソース信号を供給する場合には、
前記一方の対向電極ドライバが前記一方の対向電極バスラインに振幅のより小さい前記矩形状の電圧信号を供給する場合に、前記一方の対向電極バスラインに接続された前記対向電極に対向する前記画素電極に前記トランジスタを介して接続された前記ソースバスラインに対して、振幅のより小さい前記ソース信号を供給し、
前記一方の対向電極ドライバが前記一方の対向電極バスラインに振幅のより大きい前記矩形状の電圧信号を供給する場合に、前記一方の対向電極バスラインに接続された前記対向電極に対向する前記画素電極に前記トランジスタを介して接続された前記ソースバスラインに対して、振幅のより大きい前記ソース信号を供給し、
前記他の一方の対向電極ドライバが前記他の一方の対向電極バスラインに振幅のより小さい前記矩形状の電圧信号を供給する場合に、前記他の一方の対向電極バスラインに接続された前記対向電極に対向する前記画素電極に前記トランジスタを介して接続された前記ソースバスラインに対して、振幅のより小さい前記ソース信号を供給し、
前記他の一方の対向電極ドライバが前記他の一方の対向電極バスラインに振幅のより大きい前記矩形状の電圧信号を供給する場合に、前記他の一方の対向電極バスラインに接続された前記対向電極に対向する前記画素電極に前記トランジスタを介して接続された前記ソースバスラインに対して、振幅のより大きい前記ソース信号を供給する、
ことを特徴とする請求項１９に記載の表示パネル。
【請求項２１】
前記複数のゲートバスラインのうちｎ番目のゲートバスラインと、前記複数のソースバスラインのうちｍ番目のソースバスラインとに接続された前記トランジスタに接続された前記画素電極に対向する前記対向電極は、前記複数の対向電極バスラインのうち、ｎ番目の対向電極バスラインに接続され、
前記複数のゲートバスラインのうちｎ番目のゲートバスラインと、前記複数のソースバスラインのうちｍ＋１番目のソースバスラインとに接続された前記トランジスタに接続された前記画素電極に対向する前記対向電極は、前記複数の対向電極バスラインのうち、ｎ−１番目の対向電極バスラインに接続されている、
ことを特徴とする請求項１から１４の何れか１項に記載の表示パネル。
【請求項２２】
請求項１から２１の何れか１項に記載の表示パネルを備えている、
ことを特徴とする液晶表示装置。
【請求項２３】
複数のゲートバスラインと、
複数のソースバスラインと、
複数の対向電極バスラインと、
前記複数のゲートバスラインのうち任意のゲートバスラインに接続されたゲートと、前記複数のソースバスラインのうち任意のソースバスラインに接続されたソースとを備えたトランジスタと、
前記トランジスタのドレインに接続された画素電極と、
液晶を介して前記画素電極に対向する対向電極であって、前記複数の対向電極バスラインのうち任意の対向電極バスラインに接続された対向電極と、
前記複数のソースバスラインのそれぞれの一端に接続され、前記任意のソースバスラインに対してソース信号を供給するソースドライバと、
前記複数のゲートバスラインのそれぞれの一端に接続され、前記トランジスタを導通させる導通信号を前記任意のゲートバスラインに対して逐次的に供給するゲートドライバと、
を備えた表示パネルを駆動する駆動方法であって、
前記ゲートドライバが前記任意のゲートバスラインに対して前記導通信号を供給してから次の前記導通信号を供給するまでの１走査期間において、前記任意の対向電極バスラインに対し、少なくとも第１の電圧レベルおよび前記第１の電圧レベルと異なる第２の電圧レベルからなる矩形状の電圧信号を供給する電圧信号供給工程を含んでおり、
前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとり、
前記電圧信号供給工程にて、前記１走査期間において、前記任意の対向電極バスラインに対し、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給する、
ことを特徴とする駆動方法。
【発明の詳細な説明】
【技術分野】
【０００１】
本発明は、液晶を用いて画像を表示する表示パネルに関する。また、そのような表示パネルを備えた液晶表示装置に関する。
【背景技術】
【０００２】
従来、画像を表示するための画像表示装置は、ＣＲＴ（陰極線管）などのインパルス型の画像表示装置と、液晶表示装置などのホールド型の画像表示装置に大別される。【０００３】
インパルス型の画像表示装置においては、画像が表示される点灯期間と、画像が表示されない消灯期間が交互に繰り返されるのに対し、ホールド型の画像表示装置においては、通常、消灯期間が設けられていない。【０００４】
そのため、ホールド型の画像表示装置は、インパルス型の画像表示装置に比べて、動画ボケが発生し易いという性質がある。【０００５】
その理由としては、ホールド型の表示装置においては、あるフレームが表示されてから次のフレームが表示されるまで、物体がその位置に留まって表示されるが、観察者の視線は、物体が留まって表示されている期間であってもその物体を追尾しようと画面上を移動するため、動く物体の輪郭がぼけているように認識されてしまうことが挙げられる。【０００６】
特許文献１には、１フレーム期間を２つのサブフレームに分割し、前半サブフレームと後半サブフレームとに対し、それぞれ、階調レベルの異なった画像信号を供給する画像表示装置が開示されている。特許文献１に記載された技術によれば、前半サブフレームにおける画像の輝度と、後半サブフレームにおける画像の輝度とを異ならせることによって、上記の動画ボケの現象を抑制することができる。
【先行技術文献】
【特許文献】
【０００７】
【特許文献１】日本国公開特許公報「特開２００５−１７３５７３（２００５年６月３０日公開）」
【発明の概要】
【発明が解決しようとする課題】
【０００８】
しかしながら、特許文献１に記載された技術は、入力画像信号を一旦記憶しておくためのフレームメモリを必要とするため、製造コストが増大するという問題を有している。また、フレームの表示ごとに上記フレームメモリにアクセスする必要があるため、消費電力が増大するという問題を有している。【０００９】
本発明は上記の問題に鑑みてなされたものであり、その目的は、製造コスト、および、消費電力の増大を抑止しつつ、上記の動画ボケの現象を抑制することのできる表示パネルを実現することにある。
【課題を解決するための手段】
【００１０】
上記の問題を解決するために、本発明に係る表示パネルは、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルであって、前記ゲートドライバが前記任意のゲートバスラインに対して前記導通信号を供給してから次の前記導通信号を供給するまでの１走査期間において、前記任意の対向電極バスラインに対し、少なくとも第１の電圧レベルおよび前記第１の電圧レベルと異なる第２の電圧レベルからなる矩形状の電圧信号を供給する対向電極ドライバを備えている、ことを特徴としている。【００１１】
液晶表示装置のようなホールド型の表示装置においては、あるフレームが表示されてから次のフレームが表示されるまで、物体がその位置に留まって表示されるが、観察者の視線は、物体が留まって表示されている期間であってもその物体を追尾しようと画面上を移動するため、当該動く物体の輪郭がぼけているように認識されてしまうという動画ボケの現象が発生する。【００１２】
本発明に係る表示パネルは、上記のように、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルであって、前記ゲートドライバが前記任意のゲートバスラインに対して前記導通信号を供給してから次の前記導通信号を供給するまでの１走査期間において、前記任意の対向電極バスラインに対し、第１の電圧レベルおよび前記第１の電圧レベルと異なる第２の電圧レベルからなる矩形状の電圧信号を供給する対向電極ドライバを備えているため、上記任意のゲートバスラインに上記導通信号が供給されてから次の上記導通信号が供給されるまでの１走査期間において、上記任意のゲートバスラインに上記トランジスタを介して接続された上記画素電極に対し、第１の電圧レベルおよび前記第１の電圧レベルと異なる第２の電圧レベルを印加することができる。【００１３】
一般に、画素領域が表示する画像の輝度は、上記画素電極に印加される電圧に応じて変化する。したがって、上記の構成によれば、上記１走査期間において、上記画素電極が形成された画素領域における画像の輝度を２値に変化させることができる。【００１４】
これによって、上記動画ボケの現象を抑制することができるという効果を奏する。【００１５】
また、本発明に係る上記の表示パネルにおいては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができるという効果を奏する。また、画像信号を一旦記憶しておくためのフレームメモリを用いる従来の構成に比べて、消費電力を削減することができるという効果を奏する。【００１６】
また、本発明に係る駆動方法は、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルを駆動する駆動方法であって、前記ゲートドライバが前記任意のゲートバスラインに対して前記導通信号を供給してから次の前記導通信号を供給するまでの１走査期間において、前記任意の対向電極バスラインに対し、前記導通信号に同期して、第１の電圧レベルおよび前記第１の電圧レベルと異なる第２の電圧レベルからなる矩形状の電圧信号を供給する電圧信号供給工程を含んでいる、ことを特徴としている。【００１７】
上記の方法によれば、本発明に係る上記表示パネルと同様の効果を奏する。
【発明の効果】
【００１８】
以上のように、本発明に係る表示パネルは、本発明に係る表示パネルは、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルであって、前記ゲートドライバが前記任意のゲートバスラインに対して前記導通信号を供給してから次の前記導通信号を供給するまでの１走査期間において、前記任意の対向電極バスラインに対し、前記導通信号に同期して、第１の電圧レベルおよび前記第１の電圧レベルと異なる第２の電圧レベルからなる矩形状の電圧信号を供給する対向電極ドライバを備えている。【００１９】
したがって、本発明に係る上記の表示パネルにおいては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができる。また、画像信号を一旦記憶しておくためのフレームメモリを用いる従来の構成に比べて、消費電力を削減することができる。
【図面の簡単な説明】
【００２０】
【図１】本発明の第１の実施形態に係る表示パネルの構成を示すブロック図である。
【図２】本発明の第１の実施形態に係る表示パネルの画素領域の構成を示す回路図である。
【図３】本発明の第１の実施形態に係る表示パネルの第１の動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、対向電極信号の波形を示すタイミングチャートである。
【図４】本発明の第１の実施形態に係る表示パネルの第２の動作例を説明するためのものであって、（ａ）は、るソース信号の波形を示すタイミングチャートであり、（ｂ）は、ゲート信号の波形を示すタイミングチャートであり、（ｃ）は、画素電極の電位を示すタイミングチャートであり、（ｄ）は、対向電極信号の波形を示すタイミングチャートである。
【図５】本発明の第１の実施形態に係る表示パネルの第３の動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、対向電極信号の波形を示すタイミングチャートである。
【図６】本発明の第１の実施形態に係る表示パネルの第４の動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、対向電極信号の波形を示すタイミングチャートである。
【図７】本発明の第１の実施形態に係る表示パネルの第５の動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、対向電極信号の波形を示すタイミングチャートである。
【図８】本発明の第１の実施形態に係る表示パネルの第６の動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、対向電極信号の波形を示すタイミングチャートである。
【図９】本発明の第１の実施形態に係る表示パネルの動作例を説明するためのものであって、（ａ）は、ゲート信号の波形を示すタイミングチャートであり、（ｂ）は、対向電極信号の波形の一例を示すタイミングチャートであり、（ｃ）は、対向電極信号の波形の他の例を示すタイミングチャートである。
【図１０】本発明の第１の実施形態に係る表示パネルの第７の動作例を説明するためのものであって、（ａ）は、ゲート信号の波形を示すタイミングチャートであり、（ｂ）は、対向電極信号の波形を示すタイミングチャートである。
【図１１】本発明の第１の実施形態に係る表示パネルの動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、あるデューティ比を有する対向電極信号の波形を示すタイミングチャートである。
【図１２】本発明の第１の実施形態に係る表示パネルの動作例を説明するためのものであって、（ａ）は、ソース信号の波形を示すタイミングチャートであり、（ｂ）は、ゲート信号の波形を示すタイミングチャートであり、（ｃ）は、画素電極の電位を示すタイミングチャートであり、（ｄ）は、他のデューティ比を有する対向電極信号の波形を示すタイミングチャートである。
【図１３】本発明の第１の実施形態に係る表示パネルの効果を説明するためのものであって、デューティ比と輝度との関係を表すグラフである。
【図１４】本発明の第１の実施形態に係る表示パネルの効果を説明するためのものであって、デューティ比と視認性との関係を表すグラフである。
【図１５】本発明の第１の実施形態に係る表示パネルの動作例を説明するためのものであって、（ａ）は、ゲート信号の波形を示すタイミングチャートであり、（ｂ）は、対向電極信号の波形の一例を示すタイミングチャートであり、（ｃ）は、画素電極の電位の一例を示すタイミングチャートであり、（ｄ）は、対向電極信号の波形の他の例を示すタイミングチャートであり、（ｅ）は、画素電極の電位の他の例を示すタイミングチャートである。
【図１６】本発明の第１の実施形態に係る表示パネルの動作例を説明するためのものであって、対向電極信号の振幅を変化させたときの、ソース信号の振幅と輝度との関係を示すグラフである。
【図１７】本発明の第１に実施形態に係る表示パネルにおける対向電極ドライバの構成を示すブロック図である。
【図１８】本発明の第２の実施形態に係る表示パネルの構成を示すブロック図である。
【図１９】本発明の第２の実施形態に係る表示パネルの動作例を説明するためのものであって、（ａ）は、ゲート信号の波形を示すタイミングチャートであり、（ｂ）は、対向電極信号の波形を示すタイミングチャートである。
【図２０】本発明の第３の実施形態に係る表示パネルの構成を示すブロック図である。
【図２１】本発明の第３の実施形態に係る表示パネルにおける表示部の構成を示す回路図である。
【図２２】本発明の第４の実施形態に係る表示パネルにおける表示部の構成を示す回路図である。
【図２３】本発明の第４の実施形態に係る表示パネルの動作例を示す図であって、表示パネルの各画素領域に形成された画素電極に印加される電位の極性を示す図である。
【発明を実施するための形態】
【００２１】
〔実施形態１〕
本発明の第１の実施形態に係る表示パネルの構成について、図１および図２を参照して説明する。図１は、本実施形態に係る表示パネル１の構成を示すブロック図である。表示パネル１は、アクティブマトリックス型の液晶表示パネルである。
【００２２】
図１に示すように、表示パネル１は、制御部１１、ソースドライバ１２、ゲートドライバ１３、対向電極ドライバ１４、補助容量ドライバ１５、および、表示部１６を備えている。
【００２３】
制御部１１は、ソースドライバ１２を制御する制御信号＃１１ａ、ゲートドライバ１３を制御する制御信号＃１１ｂ、対向電極ドライバ１４を制御する制御信号＃１１ｃ、および、補助容量ドライバ１５を制御する制御信号＃１１ｄを出力する。
【００２４】
表示部１６には、Ｎ本のゲートバスラインＧＬ1〜ＧＬNとＭ本のソースバスラインＳＬ1〜ＳＬMとが互いに交差するように格子状に形成されている。また、表示部１６には、Ｎ本のゲートバスラインＧＬ1〜ＧＬNにほぼ平行に、Ｎ本の対向電極バスラインＣＯＭＬ1〜ＣＯＭＬNが形成されている。また、表示部１６には、補助容量バスラインＣＳＬが形成されている。図１に示すように、以下では、ｎ番目のゲートバスラインをゲートバスラインＧＬn、ｍ番目のソースバスラインをソースバスラインＳＬm、ｎ番目の対向電極バスラインを対向電極バスラインＣＯＭＬnと表すことにする。
【００２５】
また、図１に示すように、表示部１６は、ゲートバスラインＧＬn（１≦ｎ≦Ｎ）と、ソースバスラインＳＬm（１≦ｍ≦Ｍ）とによって画定される画素領域Ｐn,mを備えている。
【００２６】
図１に示すように、ソースドライバ１２には、Ｍ本のソースバスラインＳＬ1〜ＳＬMの末端が接続されている。ソースドライバ１２は、Ｍ本のソースバスラインＳＬ1〜ＳＬMに対し、それぞれ、ソース信号＃ＳＬ1〜＃ＳＬMを供給する。
【００２７】
また、ゲートドライバ１３には、Ｎ本のゲートバスラインＧＬ1〜ＧＬNの末端が接続されている。ゲートドライバ１３は、Ｎ本のゲートバスラインＧＬ1〜ＧＬNのそれぞれに対し、それぞれ、ゲート信号＃ＧＬ1〜＃ＧＬNを供給する。
【００２８】
また、対向電極ドライバ１４には、Ｎ本の対向電極バスラインＣＯＭＬ1〜ＣＯＭＬNの末端が接続されている。対向電極ドライバ１４は、Ｎ本の対向電極バスラインＣＯＭＬ1〜ＣＯＭＬNに対して、それぞれ、対向電極信号＃ＣＯＭＬ1〜＃ＣＯＭＬNを供給する。
【００２９】
また、補助容量ドライバ１５には、補助容量バスラインＣＳＬの末端が接続されている。補助容量ドライバ１５は、補助容量バスラインＣＳＬに対して、補助容量電位ＶCSを供給する。
【００３０】
図２は、画素領域Ｐn,mにおける表示パネル１の構成を示す回路図である。図２に示すように、表示パネル１は、画素領域Ｐn,mにおいて、ゲートがゲートバスラインＧＬnに接続され、ソースがソースバスラインＳＬmに接続されたトランジスタＭn,mを備えている。トランジスタＭn,mは、例えば、薄膜トランジスタ（ＴＦＴ：Ｔｈｉｎ  Ｆｉｌｍ  Ｔｒａｎｓｉｓｔｏｒ）であるが、本発明は、具体的なトランジスタの種類によって限定されるものではない。また、本実施形態では、トランジスタＭn,mとして、ゲートに印加される電位がハイレベルであるとき導通状態となり、ゲートに印加される電位がローレベルであるとき遮断状態となるようなトランジスタを例にとり説明を行うが本発明はこれに限定されるものではなくゲートに印加される電位がローレベルであるとき導通状態となり、ゲートに印加される電位がハイレベルであるとき遮断状態となるようなトランジスタであっても本発明を適用することができる。
【００３１】
また、図２に示すように、トランジスタＭn,mのドレインには、画素電極ＰＥn,mが接続されている。また、表示パネル１は、画素領域Ｐn,mにおいて、画素電極ＰＥn,mに対向して対向電極ＥCOMn,mを備えており、対向電極ＥCOMn,mは、対向電極バスラインＣＯＭＬnに接続されている。また、表示パネル１は、画素電極ＰＥn,mと対向電極ＥCOMn,mとの間に、液晶ＬＣを備えており、画素電極ＰＥn,mと対向電極ＥCOMn,mとの間には、画素容量ＣLCが形成されている。
【００３２】
画素電極ＰＥn,mと対向電極ＥCOMn,mとの間には、画素電極ＰＥn,mの電位ＶPEn,mと対向電極ＥCOMn,mの電位ＶECOMn,mとの電位差に応じた電場が誘起され、当該電場の大きさに応じて、液晶ＬＣの配向が決定される。また、液晶ＬＣの透過率は、電位ＶPEn,mと電位ＶECOMn,mとの電位差の絶対値に応じて決まる。本実施形態においては、上記電位差の絶対値が大きくなるにつれて液晶ＬＣの透過率が大きくなるノーマリーブラックの場合を例にとり説明を行うが、本発明はこれに限定されるものではなく、上記電位差の絶対値が大きくなるにつれて液晶ＬＣの透過率が小さくなるノーマリーホワイトの場合であっても適用することができる。なお、液晶ＬＣの透過率がより大きくなると、当該液晶ＬＣを備える画素領域Ｐn,mに表示される画像の輝度はより大きくなる。
【００３３】
また、トランジスタＭn,mのドレインには、画素電極ＰＥn,mと並列に、第１の補助容量電極ＣＥ1n,mが接続されている。また、画素領域Ｐn,mは、第１の補助容量電極ＣＥ1n,mに対向して、補助容量バスラインＣＳＬに接続された第２の補助容量電極ＣＥ2n,mを備えており、第１の補助容量電極ＣＥ1n,mと第２の補助容量電極ＣＥ2n,mとの間には、画素容量ＣLCと並列に、補助容量ＣCSが形成されている。換言すれは、第１の補助容量電極ＣＥ1n,m、および、第２の補助容量電極ＣＥ2n,mは、補助容量ＣCSを有するキャパシタＣn,mを構成している。
【００３４】
なお、本実施形態においては、表示パネル１の画素領域Ｐn,mが上記キャパシタＣn,mを備えている場合を例にとり説明を行うが、本発明はこれに限定されるものではない。すなわち、画素領域Ｐn,mが上記キャパシタＣn,mを備えないような場合であっても、本発明を適用することができる。
【００３５】
（表示パネル１の動作例１）
以下では、図３の（ａ）〜（ｄ）を参照して、本実施形態に係る表示パネル１の動作の第１の例について説明する。
【００３６】
図３の（ａ）は、ソースバスラインＳＬmに供給されるソース信号＃ＳＬmの波形の一例を示すタイミングチャートである。
【００３７】
また、以下では、補助容量バスラインＣＳＬの電位は一定であるとして説明を行う。
【００３８】
図３の（ｂ）は、ゲートバスラインＧＬnに供給されるゲート信号＃ＧＬnの波形を示すタイミングチャートである。
【００３９】
図３の（ｃ）は、液晶電極ＰＥn,mの電位ＶPEn,mを示すタイミングチャートである。
【００４０】
図３の（ｄ）は、対向電極バスラインＣＯＭＬnに供給される対向電極信号＃ＣＯＭＬnの波形を示すタイミングチャートである。図３の（ｄ）に示すように、対向電極信号＃ＣＯＭＬnは、連続する２つの垂直走査期間Ｔvを１周期として、電位ＶCOM1、および、電位ＶCOM2を交互にとる信号である。より具体的には、図３の（ｄ）に示すように、対向電極信号＃ＣＯＭＬnは、１垂直走査期間Ｔvにおける期間Ｔ1において電位ＶCOM2をとり、期間Ｔ2において電位ＶCOM2をとる。また、対向電極信号＃ＣＯＭＬnは、それに引き続く垂直走査期間Ｔvにおける期間Ｔ3において電位ＶCOM1をとり、期間Ｔ4において電位ＶCOM2をとる。なお、図３の（ｄ）に示すように、電位ＶCOM1、および、電位ＶCOM2の具体的な値は、ＶCOM1＜ＶCOM2を満たすものとする。
【００４１】
図３の（ｃ）および（ｄ）に示すように、対向電極信号＃ＣＯＭＬnが、最も高い電位（電位ＶCOM2）であるときであって、ゲート信号＃ＧＬnがハイレベルであるときに、液晶ＬＣへの印加電圧は正極性へと変化し、対向電極信号＃ＣＯＭＬnが、最も低い電位（電位ＶCOM1）であるときであって、ゲート信号＃ＧＬnがハイレベルであるときに、液晶ＬＣへの印加電圧は負極性へと変化する。
【００４２】
ここで、液晶ＬＣへの印加電圧とは、画素電極ＰＥn,mに印加される電位と対向電極ＥCOMn,mに印加される電位との差分の電圧のことである（以下同様）。
【００４３】
また、本実施形態においては、画素電極ＰＥn,mに印加される電位ＶPEn,mの極性と、画素電極ＰＥn,t（ｔ≠ｍ、１≦ｔ≦Ｍ）に印加される電位ＶPEn,tの極性とが同じ極性である場合について説明を行う。
【００４４】
また、１垂直走査期間Ｔvは、当該期間の開始時点の境界時刻を含むが、当該期間の終了時点の境界時刻を含まないものとして定義されているものとする。すなわち、図３の（ｄ）においては、１垂直走査期間Ｔvは、ｔ2≦ｔ＜ｔ5を満たす時刻ｔの集合、または、ｔ5≦ｔ＜ｔ8を満たす時刻ｔの集合として定義されているものとする（以下同様）。
【００４５】
以下では、表示パネル１の画素領域Ｐn,mの各部の動作について、説明する。
【００４６】
まず、図３の（ｂ）に示すように、時刻ｔ1において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図３の（ｃ）に示すように、時刻ｔ1から時刻ｔ2までの期間において、画素電極ＰＥn,mの電位ＶPEn,mは、電位Ｖ1から電位Ｖ2（Ｖ2＞ＶCOM2）まで増加する。
【００４７】
続いて、時刻ｔ3において、対向電極信号＃ＣＯＭＬnが、電位ＶCOM2から電位ＶCOM1まで立ち下がる。すなわち、対向電極ＥCOMn,mの電位が、電位ＶCOM2から電位ＶCOM1まで立ち下がる。このとき、ゲート信号＃ＧＬnはローレベルであるので、トランジスタＭn,mは、遮断状態である。したがって、画素電極ＰＥn,mに蓄積された電荷と第１の補助容量電極ＣＥ1n,mに蓄積された電荷との和は不変である。一方で、対向電極信号＃ＣＯＭＬnの値が変化すると、画素電極ＰＥn,mおよび第１の補助容量電極ＣＥ1n,mの各々に蓄積されたそれぞれの電荷は、変化する。それに伴い、画素電極ＰＥn,mの電位ＶPEn,mは、電位Ｖ2から電位Ｖ3へと変化する。ここで、電位Ｖ3の具体的な値は、
Ｖ3＝（ＶCOM1−ＶCOM2）×ＣLC／ΣＣ＋Ｖ2
によって定まる。上述のように、ＶCOM1＜ＶCOM2であるので、電位Ｖ3は、電位Ｖ2よりも小さい。
【００４８】
なお、上記ΣＣは、トランジスタＭn,mのドレインに互いに並列に接続された容量の総和である。例えば、トランジスタＭn,mのドレインに接続された容量が、画素容量ＣLC、および、補助容量ＣCSのみであるような場合には、ΣＣ＝ＣLC＋ＣCSである。ただし、一般には、上記容量に加えて、トランジスタＭn,mのドレインと、ゲートバスラインＧＬnとの間に、容量（寄生容量）Ｃgdが存在し、トランジスタＭn,mのドレインと、ソースバスラインＳＬmとの間に、容量（寄生容量）Ｃsdが存在する。このような場合には、ΣＣ＝ＣLC＋ＣCS＋Ｃgd＋Ｃsdとなる。また、上記の容量に加えて、液晶容量ＣLCに並列に更に容量Ｃextが存在するような場合には、ΣＣ＝ＣLC＋ＣCS＋Ｃgd＋Ｃsd＋Ｃextとなる（以下同様）。
【００４９】
また、電位Ｖ3、電位Ｖ2、電位ＶCOM1、および、電位ＶCOM2は、
Ｖ3−ＶCOM1−（Ｖ2−ＶCOM2）＝（ＶCOM2−ＶCOM1）×（ΣＣ−ＣLC）／ΣＣ
を満たし、上記のように、ＶCOM1＜ＶCOM2であるので、Ｖ3−ＶCOM1＞Ｖ2−ＶCOM2が成り立つ。すなわち、時刻ｔ3から時刻ｔ4までの期間における画素電極ＰＥn,mの電位ＶPEn,mと対向電極ＥCOMn,mの電位ＶECOMn,mとの電位差は、時刻ｔ2から時刻ｔ3までの期間における画素電極ＰＥn,mの電位ＶPEn,mと対向電極ＥCOMn,mの電位ＶECOMn,mとの電位差よりも大きい。したがって、時刻ｔ3から時刻ｔ4までの期間における画素領域Ｐn,mの輝度は、時刻ｔ2から時刻ｔ3までの期間における画素領域Ｐn,mの輝度よりも大きい。
【００５０】
続いて、時刻ｔ4において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【００５１】
図３の（ｃ）に示すように、時刻ｔ4から時刻ｔ5までの期間において、画素電極ＰＥn,mの電位ＶPEn,mは、電位Ｖ3から電位Ｖ4（Ｖ4＜ＶCOM1）まで減少する。
【００５２】
続いて、時刻ｔ6において、対向電極信号＃ＣＯＭＬnが、電位ＶCOM1から電位ＶCOM2まで立ち上がる。すなわち、対向電極ＥCOMn,mの電位が、電位ＶCOM1から電位ＶCOM2まで立ち上がる。このとき、ゲート信号＃ＧＬnはローレベルであるので、トランジスタＭn,mは、遮断状態である。したがって、画素電極ＰＥn,mに蓄積された電荷と第１の補助容量電極ＣＥ1n,mに蓄積された電荷との和は不変である。一方で、対向電極信号＃ＣＯＭＬnの値が変化すると、画素電極ＰＥn,mおよび第１の補助容量電極ＣＥ1n,mの各々に蓄積されたそれぞれの電荷は、変化する。それに伴い、画素電極ＰＥn,mの電位ＶPEn,mは、電位Ｖ4から電位Ｖ1へと変化する。ここで、電位Ｖ1の具体的な値は、
Ｖ1＝（ＶCOM2−ＶCOM1）×ＣLC／ΣＣ＋Ｖ4
によって定まる。また、上述のように、ＶCCOM1＜ＶCCM2であるので、電位Ｖ1は、電位Ｖ4よりも大きい。
【００５３】
また、電位Ｖ1、電位Ｖ4、電位ＶCOM1、および、電位ＶCOM2は、
ＶCOM2−Ｖ1−（ＶCOM1−Ｖ4）＝（ＶCOM2−ＶCOM1）×（ΣＣ−ＣLC）／ΣＣ
を満たし、上記のように、ＶCOM1＜ＶCOM2であるので、ＶCOM2−Ｖ1＞（ＶCOM1−Ｖ4）が成り立つ。すなわち、時刻ｔ6から時刻ｔ7までの期間における画素電極ＰＥn,mの電位ＶPEn,mと対向電極ＥCOMn,mの電位ＶECOMn,mとの電位差は、時刻ｔ5から時刻ｔ6までの期間における画素電極ＰＥn,mの電位ＶPEn,mと対向電極ＥCOMn,mの電位ＶECOMn,mとの電位差よりも大きい。したがって、時刻ｔ6から時刻ｔ7までの期間における画素領域Ｐn,mの輝度は、時刻ｔ5から時刻ｔ6までの期間における画素領域Ｐn,mの輝度よりも大きい。
【００５４】
時刻ｔ7以降の動作は、上述した時刻ｔ1以降の動作と同様である。
【００５５】
なお、図３の（ｂ）に示すゲート信号＃ＧＬnがハイレベルである期間は、１垂直走査期間Ｔvに比べて十分に短い。
【００５６】
以上のように、本実施形態に係る表示パネル１は、複数のゲートバスラインＧＬ1〜ＧＬNと、複数のソースバスラインＳＬ1〜ＳＬMと、複数の対向電極バスラインＣＯＭＬ1〜ＣＯＭＬNと、前記複数のゲートバスラインのうち任意のゲートバスラインＧＬnに接続されたゲートと、前記複数のソースバスラインのうち任意のソースバスラインＳＬmに接続されたソースとを備えたトランジスタＭn,mと、前記トランジスタのドレインに接続された画素電極ＰＥn,mと、液晶（液晶ＬＣ）を介して前記画素電極に対向する対向電極であって、前記複数の対向電極バスラインのうち任意の対向電極バスラインＣＯＭＬnに接続された対向電極ＥCOMn,mと、前記複数のソースバスラインのそれぞれの一端に接続され、前記任意のソースバスラインＳＬmに対してソース信号＃ＳＬmを供給するソースドライバ１２と、前記複数のゲートバスラインのそれぞれの一端に接続され、前記トランジスタを導通させる導通信号（ゲート信号＃ＧＬnのハイレベル区間）を前記任意のゲートバスラインＧＬnに対して逐次的に供給するゲートドライバ１３と、を備えた表示パネルであって、前記ゲートドライバ１３が前記任意のゲートバスラインに対して前記導通信号を供給してから次の前記導通信号を供給するまでの１走査期間（１垂直走査期間Ｔv）において、前記任意の対向電極バスラインＣＯＭＬnに対し、少なくとも第１の電圧レベルおよび前記第１の電圧レベルと異なる第２の電圧レベル（すなわち電位ＶCOM1および電位ＶCOM2）からなる矩形状の電圧信号（対向電極信号＃ＣＯＭＬn）を供給する対向電極ドライバ１４を備えている。
【００５７】
したがって、表示パネル１は、前記１走査期間において、上記任意のゲートバスラインに上記トランジスタを介して接続された上記画素電極に対し、２値の電圧レベルを印加することができる。すなわち、表示パネル１は、上記１走査期間において、上記画素電極ＰＥn,mが形成された画素領域Ｐn,mにおける画像の輝度を２値に変化させることができる。
【００５８】
これによって、上述した動画ボケの現象を抑制することができる。
【００５９】
また、本発明に係る上記の表示パネル１においては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができる。また、画像信号を一旦記憶しておくためのフレームメモリを用いる従来の構成に比べて、消費電力を削減することができる。
【００６０】
また、本実施形態に係る表示パネル１においては、前記対向電極ドライバ１４は、前記１走査期間（１垂直走査期間Ｔv）において、前記任意の対向電極バスラインＣＯＭＬnに対し、前記導通信号（ゲート信号＃ＧＬnのハイレベル区間）に同期して、前記第１の電圧レベルおよび前記第２の電圧レベルからなる矩形状の電圧信号（対向電極信号＃ＣＯＭＬn）を供給する。
【００６１】
したがって、前記導通信号に同期せずに上記電圧信号を供給する場合と異なり、画面上の全ての画素領域の各々において、映像データが更新されてから、一定の時間が経過した後に明暗の切り替えを行うことができる。また、画面のどの場所においても、明るい輝度での表示期間と暗い輝度での表示期間の割合をほぼ等しくすることができるので、動画ボケの抑制を効果的に行うことができる。
【００６２】
また、本動作例においては、前記矩形状の電圧信号（対向電極信号＃ＣＯＭＬn）は、前記１走査期間の少なくとも１０パーセントの期間において、前記第１の電圧レベルまたは前記第２の電圧レベルのうち一方の値の電圧レベル（すなわち電位ＶCOM1または電位ＶCOM2のうち一方の電圧レベル）をとっている。
【００６３】
したがって、上記動画ボケの現象を効果的に抑制することができる。
【００６４】
また、本動作例においては、前記矩形状の電圧信号（対向電極信号＃ＣＯＭＬn）は、前記１走査期間（１垂直走査期間Ｔv）の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとっている。
【００６５】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【００６６】
したがって、上記の構成によれば、上記動画ボケの現象を効果的に抑制することができる。
【００６７】
また、本発明に係る表示パネルにおいては、前記１走査期間（１垂直走査期間Ｔv）において、前記矩形状の電圧信号（対向電極信号＃ＣＯＭＬn）が前記第１の電圧レベルであるときの前記液晶への印加電圧の極性と、前記矩形状の電圧信号が前記第２の電圧レベルであるときの前記液晶への印加電圧の極性とが、互いに異なった極性となるような構成としてもよい。
【００６８】
すなわち、前記１走査期間（１垂直走査期間Ｔv）において、前記矩形状の電圧信号（対向電極信号＃ＣＯＭＬn）が電位ＶCOM1であるときの前記画素電極ＰＥn,mの電位ＶPEn,mと対向電極ＥCOMn,mの電位との差によって表される前記液晶への印加電圧の極性と、前記矩形状の電圧信号（対向電極信号＃ＣＯＭＬn）が電位ＶCOM2であるときの前記画素電極ＰＥn,mの電位ＶPEn,mと対向電極ＥCOMn,mの電位との差によって表される前記液晶への印加電圧の極性とが、互いに異なった極性となるような構成としてもよい。
【００６９】
上記の構成によれば、前記矩形状の電圧信号が前記第１の電圧レベルであるときであっても、前記矩形状の電圧信号が前記第２の電圧レベルであるときであっても、前記液晶への印加電圧の絶対値を十分に小さくすることができる。
【００７０】
したがって、上記の構成によれば、前記液晶への印加電圧の絶対値がより小さい場合により低輝度となるノーマリーブラック方式において、前記矩形状の電圧信号が前記第１の電圧レベルであるときであっても、前記矩形状の電圧信号が前記第２の電圧レベルであるときであっても、十分に低輝度な黒表示を行うことができる。
【００７１】
また、本発明に係る表示パネルにおいては、前記第１の電圧レベルと、前記第２の電圧レベルとの電位差の絶対値が、液晶の閾値電圧の２倍以下となるような構成としてもよい。
【００７２】
すなわち、電位ＶCOM1と電位ＶCOM2との電位差の絶対値｜ＶCOM1−ＶCOM2｜が、液晶ＬＣの閾値電圧の２倍以下となるような構成としてもよい。
【００７３】
一般に、液晶の配向は、当該液晶に閾値電圧以下の電圧が印加されても、影響を受けない。換言すれば、前記閾値電圧とは、液晶の配向が影響を受け始める電圧のことである（以下同様）。。前記閾値電圧は、例えば、上記液晶の透過率が飽和する飽和電圧の１００分の１の電圧であると定義することができる。
【００７４】
対向電極信号＃ＣＯＭＬnの電位が電位ＶCOM1である場合における画素電極ＰＥn,mの電位と対向電極の電位ＶCOMn,mとの差で表される液晶への印加電圧と、対向電極信号＃ＣＯＭＬnの電位が電位ＶCOM2である場合における画素電極ＰＥn,mの電位と対向電極の電位ＶCOMn,mとの差で表される液晶への印加電圧との電位差をΔＶＬＣと表すことにすると、ΔＶＬＣは、
ΔＶＬＣ＝（ＶCOM２−ＶCOM１）×（ΣＣ−ＣＬＣ）／ΣＣ
を満たす。ここで、（ΣＣ−ＣＬＣ）／ΣＣ＜１であるので、ΔＶＬＣ＜（ＶCOM２−ＶCOM１）が導かれる。
【００７５】
また、画素電極ＰＥn,mの電位と対向電極の電位ＶCOMn,mとの差で表される液晶への印加電圧をＶＬＣと現すことにすると、対向電極信号＃ＣＯＭＬnの電位が電位ＶCOM1である場合に、
ＶＬＣ＝−ΔＶＬＣ／２
となるように設定し、対向電極信号＃ＣＯＭＬnの電位が電位ＶCOM2である場合に、
ＶＬＣ＝ΔＶＬＣ／２
と設定することが望ましい。ここで、ΔＶＬＣ／２が前記閾値電圧ＶＬＣｔｈ以下、すなわち、
ΔＶＬＣ／２≦ＶＬＣｔｈ
であれば、対向電極信号＃ＣＯＭＬnの電位が電位ＶCOM1であっても、電位ＶCOM2であっても、黒表示を行うことができる。しがたがって、
ＶCOM２−ＶCOM１≦２×ＶＬＣｔｈ
であれば、対向電極信号＃ＣＯＭＬnの電位が電位ＶCOM1であっても、電位ＶCOM2であっても、黒表示を行うことができる。
【００７６】
以上のように、上記の構成によれば、前記液晶への印加電圧の絶対値がより小さい場合により低輝度となるノーマリーブラック方式において、前記矩形状の電圧信号の電圧レベルが前記第１の電圧レベルであっても、前記第２の電圧レベルであっても、黒表示を行うことができる。
【００７７】
なお、後述する動作例に対しても、上記の導出方法をほぼ同様に当てはめることができる。
【００７８】
以上のように、上記の構成によれば、前記第１の電圧レベルと、前記第２の電圧レベルとの電位差の絶対値は、液晶の閾値電圧の２倍以下であるため、前記矩形状の電圧信号の電圧レベルが前記第１の電圧レベルであっても、前記第２の電圧レベルであっても、前記液晶の配向が影響を受けないようにすることができる。
【００７９】
したがって、上記の構成によれば、前記液晶への印加電圧の絶対値がより小さい場合により低輝度となるノーマリーブラック方式において、前記矩形状の電圧信号の電圧レベルが前記第１の電圧レベルであっても、前記第２の電圧レベルであっても、黒表示を行うことができるという更なる効果を奏する。
【００８０】
（表示パネル１の動作例２）
以下では、図４の（ａ）〜（ｄ）を参照して、本実施形態に係る表示パネル１の動作の第２の例について説明する。
【００８１】
図４の（ａ）は、ソースバスラインＳＬmに供給されるソース信号＃ＳＬmの波形の一例を示すタイミングチャートであり、図３の（ａ）に示すソース信号＃ＳＬmの波形とほぼ同様の波形である。
【００８２】
図４の（ｂ）は、ゲートバスラインＧＬnに供給されるゲート信号＃ＧＬnの波形を示すタイミングチャートである。図４の（ｂ）に示すように、本動作例におけるゲート信号＃ＧＬnの波形は、図３の（ｂ）に示すゲート信号＃ＧＬnの波形と同様であるとして説明を行う。
【００８３】
図４の（ｃ）は、液晶電極ＰＥn,mの電位ＶPEn,mを示すタイミングチャートである。
【００８４】
図４の（ｄ）は、対向電極バスラインＣＯＭＬnに供給される対向電極信号＃ＣＯＭＬnの波形を示すタイミングチャートである。図４の（ｄ）に示すように、本動作例における対向電極信号＃ＣＯＭＬnは、連続する２つの垂直走査期間Ｔv’を１周期として、電位ＶCOM1’、電位ＶCOM2’、および、電位ＶCOM3’をとる信号である。より具体的には、図４の（ｄ）に示すように、対向電極信号＃ＣＯＭＬnは、１垂直走査期間Ｔv’における期間Ｔ1’において電位ＶCOM2’をとり、期間Ｔ2’において電位ＶCOM1’をとる。また、対向電極信号＃ＣＯＭＬnは、それに引き続く垂直走査期間Ｔv’における期間Ｔ3’において電位ＶCOM2’をとり、期間Ｔ4’において電位ＶCOM3’をとる。なお、図４の（ｄ）に示すように、電位ＶCOM1’、電位ＶCOM2’、および、電位ＶCOM2’の具体的な値は、ＶCOM1’＜ＶCOM2’＜ＶCOM3’を満たすものとする。
【００８５】
図４の（ｃ）および（ｄ）に示すように、対向電極信号＃ＣＯＭＬnが、最も高い電位（電位ＶCOM3’）であるときであって、ゲート信号＃ＧＬnがハイレベルであるときに、液晶ＬＣへの印加電圧は正極性へと変化し、対向電極信号＃ＣＯＭＬnが、最も低い電位（電位ＶCOM1’）であるときであって、ゲート信号＃ＧＬnがハイレベルであるときに、液晶ＬＣへの印加電圧は負極性へと変化する。
【００８６】
以下では、本動作例における表示パネル１の画素領域Ｐn,mの各部の動作について、説明する。
【００８７】
まず、図４の（ｂ）に示すように、時刻ｔ1’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図４の（ｃ）に示すように、時刻ｔ1’から時刻ｔ2’までの期間において、画素電極ＰＥn,mの電位ＶPEn,mは、電位Ｖ1’から電位Ｖ2’（Ｖ2’＞ＶCOM3’）まで増加する。
【００８８】
また、時刻ｔ2’において、対向電極信号＃ＣＯＭＬnが、電位ＶCOM3’から電位ＶCOM2’まで立ち下がる。
このとき、ゲート信号＃ＧＬnはローレベルであるので、トランジスタＭn,mは、遮断状態である。したがって、画素電極ＰＥn,mに蓄積された電荷と第１の補助容量電極ＣＥ1n,mに蓄積された電荷との和は不変である。一方で、対向電極信号＃ＣＯＭＬnの値が変化すると、画素電極ＰＥn,mおよび第１の補助容量電極ＣＥ1n,mの各々に蓄積されたそれぞれの電荷は、変化する。それに伴い、画素電極ＰＥn,mの電位ＶPEn,mは、電位Ｖ2’から電位Ｖ3’へと変化する。ここで、電位Ｖ3’の具体的な値は、
Ｖ3’＝（ＶCOM2’−ＶCOM3’）×ＣLC／ΣＣ＋Ｖ2’
によって定まる。なお、上述のように、ＶCOM2’＜ＶCOM3’であるので、電位Ｖ3’は、電位Ｖ2’よりも小さい。
【００８９】
続いて、時刻ｔ3’において、対向電極信号＃ＣＯＭＬnが、電位ＶCOM2’から電位ＶCOM1’まで立ち下がる。それに伴い、画素電極ＰＥn,mの電位ＶPEn,mは、電位Ｖ3’から電位Ｖ4’へと変化する。ここで、電位Ｖ4’の具体的な値は、
Ｖ4’＝（ＶCOM1’−ＶCOM2’）×ＣLC／ΣＣ＋Ｖ3’
によって定まる。なお、上述のように、ＶCOM1’＜ＶCOM2’であるので、電位Ｖ4’は、電位Ｖ3’よりも小さい。
【００９０】
また、電位Ｖ3’、電位Ｖ4’、電位ＶCOM1’、および、電位ＶCOM2’は、
Ｖ4’−ＶCOM1’−（Ｖ3’−ＶCOM2’）＝（ＶCOM2’−ＶCOM1’）×（ΣＣ−ＣLC）／ΣＣ
を満たし、上記のように、ＶCOM1’＜ＶCOM2’であるので、Ｖ4’−ＶCOM1’＞Ｖ3’−ＶCOM2’が成り立つ。すなわち、時刻ｔ3’から時刻ｔ4’までの期間における画素電極ＰＥn,mの電位ＶPEn,mと対向電極ＥCOMn,mの電位ＶECOMn,mとの電位差は、時刻ｔ2’から時刻ｔ3’までの期間における画素電極ＰＥn,mの電位ＶPEn,mと対向電極ＥCOMn,mの電位ＶECOMn,mとの電位差よりも大きい。したがって、時刻ｔ3’から時刻ｔ4’までの期間における画素領域Ｐn,mの輝度は、時刻ｔ2’から時刻ｔ3’までの期間における画素領域Ｐn,mの輝度よりも大きい。
【００９１】
続いて、時刻ｔ4’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【００９２】
図４の（ａ）に示すように、時刻ｔ4’から時刻ｔ5’までの期間において、画素電極ＰＥn,mの電位ＶPEn,mは、電位Ｖ4’から電位Ｖ5’（Ｖ5’＜ＶCOM1’）まで減少する。
【００９３】
また、時刻ｔ5’において、対向電極信号＃ＣＯＭＬnが、電位ＶCOM1’から電位ＶCOM2’まで立ち上がる。それに伴い、画素電極ＰＥn,mの電位ＶPEn,mは、電位Ｖ5’から電位Ｖ6’へと変化する。ここで、電位Ｖ6’の具体的な値は、
Ｖ6’＝（ＶCOM2’−ＶCOM1’）×ＣLC／ΣＣ＋Ｖ5’
によって定まる。なお、上述のように、ＶCOM1’＜ＶCOM2’であるので、電位Ｖ6’は、電位Ｖ5’よりも大きい。
【００９４】
続いて、時刻ｔ6’において、対向電極信号＃ＣＯＭＬnが、電位ＶCOM2’から電位ＶCOM3’まで立ち上がる。それに伴い、画素電極ＰＥn,mの電位ＶPEn,mは、電位Ｖ6’から電位Ｖ1’へと変化する。ここで、電位Ｖ1’の具体的な値は、
Ｖ1’＝（ＶCOM3’−ＶCOM2’）×ＣLC／ΣＣ＋Ｖ6’
によって定まる。なお、上述のように、ＶCOM2’＜ＶCOM3’であるので、電位Ｖ1’は、電位Ｖ6’よりも大きい。
【００９５】
また、電位Ｖ1’、電位Ｖ6’、電位ＶCOM2’、および、電位ＶCOM3’は、
ＶCOM3’−Ｖ1’−（ＶCOM2’−Ｖ6’）＝（ＶCOM3’−ＶCOM2’）×（ΣＣ−ＣLC）／ΣＣ
を満たし、上記のように、ＶCOM2’＜ＶCOM3’であるので、ＶCOM3’−Ｖ1’＞ＶCOM2’−Ｖ6’が成り立つ。すなわち、時刻ｔ6’から時刻ｔ7’までの期間における画素電極ＰＥn,mの電位ＶPEn,mと対向電極ＥCOMn,mの電位ＶECOMn,mとの電位差は、時刻ｔ5’から時刻ｔ6’までの期間における画素電極ＰＥn,mの電位ＶPEn,mと対向電極ＥCOMn,mの電位ＶECOMn,mとの電位差よりも大きい。したがって、時刻ｔ6’から時刻ｔ7’までの期間における画素領域Ｐn,mの輝度は、時刻ｔ5’から時刻ｔ6’までの期間における画素領域Ｐn,mの輝度よりも大きい。
【００９６】
時刻ｔ7’以降の動作は、上述した時刻ｔ1’以降の動作と同様である。
【００９７】
なお、上記の動作例においては、時刻ｔ2’において、対向電極信号＃ＣＯＭＬnが、電位ＶCOM3’から電位ＶCOM2’まで立ち下がり、時刻ｔ5’において、対向電極信号＃ＣＯＭＬnが、電位ＶCOM1’から電位ＶCOM2’まで立ち上がる場合について説明を行ったが、より一般には、対向電極信号＃ＣＯＭＬnは、時刻ｔ2’から数水平期間（水平期間Ｔhの複数倍の期間）が経過するまでの間に電位ＶCOM3’から電位ＶCOM2’まで立ち下がり、時刻ｔ5’から数水平期間（水平期間Ｔhの複数倍の期間）が経過するまでの間に電位ＶCOM1’から電位ＶCOM2’まで立ち上がる。
【００９８】
以上のように、本動作例においては、前記対向電極ドライバ１４は、前記１走査期間（１垂直走査期間Ｔv’）において、前記任意の対向電極バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号（対向電極信号＃ＣＯＭＬn）を供給する。
【００９９】
すなわち、本動作例においては、前記対向電極ドライバ１４は、１垂直走査期間において、電位ＶCOM1’、電位ＶCOM2’、および、電位ＶCOM3’からなる矩形状の電圧信号（対向電極信号＃ＣＯＭＬn）を供給する。
【０１００】
したがって、本動作例においては、上記１走査期間において、上記任意のゲートバスラインに上記トランジスタを介して接続された上記画素電極に対し、３値の電圧レベルを印加することができる。換言すれば、上記１走査期間において、上記画素電極に印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０１０１】
すなわち、上記の構成によれば、動画ボケの現象を効果的に抑制しつつ、より高輝度な表示が可能となる。
【０１０２】
また、本動作例においては、前記ゲートドライバ１３が前記任意のゲートバスラインＧＬnに対して前記導通信号（ゲート信号＃ＧＬnのハイレベル区間）を供給したときに、前記任意の対向電極バスラインＣＯＭＬnに対して、前記電圧レベルのうち、最も高い電圧レベルが供給されている場合には、前記対向電極ドライバ１４は、前記任意の対向電極バスラインＣＯＭＬnに対して、前記１走査期間において、前記電圧レベルが降順である前記矩形状の電圧信号（対向電極信号＃ＣＯＭＬn）を供給する。
【０１０３】
すなわち、本動作例においては、上述のように、時刻ｔ1’から時刻ｔ2’までの期間において、対向電極バスラインＣＯＭＬnに対し、電位ＶCOM1’、電位ＶCOM2’、および、電位ＶCOM3’のうち、最も高い電圧レベル電位ＶCOM3’が供給されている場合には、対向電極ドライバ１４は、対向電極バスラインＣＯＭＬnに対し、時刻ｔ2’から時刻ｔ5’までの１走査期間（１垂直走査期間Ｔv’）において、時刻ｔ2’から時刻ｔ3’までの期間Ｔ1’において電圧レベルＶCOM2’をとり、時刻ｔ3’から時刻ｔ5’までの期間Ｔ2’において電圧レベルＶCOM1’（ＶCOM1’＜ＶCOM2’）をとる対向電極信号＃ＣＯＭＬnを供給する。
【０１０４】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極の電位と、対向電極の電位との電位差が増大するタイミングにおいて生じ得る。
【０１０５】
上記の構成によれば、前記ゲートドライバが前記任意のゲートバスラインに対して前記導通信号を供給したときに、前記任意の対向電極バスラインに対して前記電圧レベルのうち、最も高い電圧レベルが供給されている場合には、上記１走査期間において、前記画素電極に対して、電圧レベルのより高い電圧信号を供給し、それに引き続き、電圧レベルのより低い電圧信号を供給することができる。
【０１０６】
したがって、画素電極の電位と、対向電極の電位との電位差を段階的に増加させることができる。これによって、ノーマリーブラック方式において生じ得る上記の低輝度から高輝度への立ち上がりが不十分となる現象を抑制することができる。
【０１０７】
また、本動作例においては、前記ゲートドライバ１３が前記任意のゲートバスラインＧＬnに対して前記導通信号（ゲート信号＃ＧＬnのハイレベル区間）を供給したときに、前記任意の対向電極バスラインＣＯＭＬnに対して、前記電圧レベルのうち、最も低い電圧レベルが供給されている場合には、前記対向電極ドライバ１４は、前記任意の対向電極バスラインＣＯＭＬnに対して、前記１走査期間において、前記電圧レベルが昇順である前記矩形状の電圧信号（対向電極信号＃ＣＯＭＬn）を供給する。
【０１０８】
すなわち、本動作例においては、上述のように、時刻ｔ4’から時刻ｔ5’までの期間において、対向電極バスラインＣＯＭＬnに対し、電位ＶCOM1’、電位ＶCOM2’、および、電位ＶCOM3’のうち、最も低い電圧レベル電位ＶCOM1’が供給されている場合には、対向電極ドライバ１４は、対向電極バスラインＣＯＭＬnに対し、時刻ｔ5’から時刻ｔ8’までの１走査期間（１垂直走査期間Ｔv’）において、時刻ｔ5’から時刻ｔ6’までの期間Ｔ3’において電圧レベルＶCOM2’をとり、時刻ｔ6’から時刻ｔ8’までの期間Ｔ4’において電圧レベルＶCOM3’（ＶCOM3’＞ＶCOM2’）をとる対向電極信号＃ＣＯＭＬnを供給する。
【０１０９】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極の電位と、対向電極の電位との電位差が増大するタイミングにおいて生じ得る。
【０１１０】
上記の構成によれば、前記ゲートドライバが前記任意のゲートバスラインに対して前記導通信号を供給したときに、前記任意の対向電極バスラインに対して前記電圧レベルのうち、最も低い電圧レベルが供給されている場合には、上記１走査期間において、前記画素電極に対して、電圧レベルのより低い電圧信号を供給し、それに引き続き、電圧レベルのより高い電圧信号を供給することができる。
【０１１１】
したがって、画素電極の電位と、対向電極の電位との電位差を段階的に増加させることができる。これによって、ノーマリーブラック方式において生じ得る上記の低輝度から高輝度への立ち上がりが不十分となる現象を抑制することができる。
【０１１２】
また、本動作例においては、前記矩形状の電圧信号（対向電極信号＃ＣＯＭＬn）は、前記１走査期間（１垂直走査期間Ｔv’）の少なくとも１０パーセントの期間において、前記第１の電圧レベル、前記第２の電圧レベル、または、前記第３の電圧レベルのうち、何れかの電圧レベルをとる、ことが好ましい。
【０１１３】
すなわち、本動作例においては、前記矩形状の電圧信号（対向電極信号＃ＣＯＭＬn）は、前記１走査期間（１垂直走査期間Ｔv’）の少なくとも１０パーセントの期間において、電位ＶCOM1’、電位ＶCOM2’、電位ＶCOM3’のうち、電圧レベルをとる、ことが好ましい。
【０１１４】
上記の構成によれば、前記矩形状の電圧信号は、前記１走査期間の少なくとも１０パーセントの期間において、前記第１の電圧レベル、前記第２の電圧レベル、または、前記第３の電圧レベルのうち、何れかの電圧レベルをとるため、上記動画ボケの現象を効果的に抑制することができる。
【０１１５】
また、本発明に係る表示パネルにおいては、前記１走査期間（１垂直走査期間Ｔv’）において、最初の前記電圧レベルの遷移後における前記画素電極の電位と前記対向電極の電位との差によって表される前記液晶への印加電圧の極性と、次の前記電圧レベルの遷移後おける前記画素電極の電位と前記対向電極の電位との差によって表される前記液晶への印加電圧の極性とは、互いに異なった極性となるような構成としてもよい。
【０１１６】
すなわち、本発明に係る表示パネルにおいては、前記１走査期間（１垂直走査期間Ｔv’）において、最初の前記電圧レベルの遷移（対向電極信号＃ＣＯＭＬnの時刻ｔ2’における電位ＶCOM3’から電位ＶCOM2’への遷移）後の前記液晶への印加電圧の極性と、次の前記電圧レベルの遷移（対向電極信号＃ＣＯＭＬnの時刻ｔ3’における電位ＶCOM2’から電位ＶCOM1’への遷移）後の前記液晶への印加電圧の極性とが、互いに異なった極性となるような構成としてもよい。
【０１１７】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０１１８】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができる。
【０１１９】
また、本発明に係る表示パネルにおいては、前記第１の電圧レベル、前記第２の電圧レベル、および、前記第３の電圧レベルのうち、中間の電圧レベル（すなわち電位ＶCOM2’）と、前記第１の電圧レベル、前記第２の電圧レベル、および、前記第３の電圧レベルのうち、最も低い電圧レベル（すなわち電位ＶCOM1’）との電位差の絶対値が、液晶の閾値電圧の２倍以下となるような構成としてもよい。
【０１２０】
上記の構成によれば、前記第１の電圧レベル、前記第２の電圧レベル、および、前記第３の電圧レベルのうち、中間の電圧レベルと、前記第１の電圧レベル、前記第２の電圧レベル、および、前記第３の電圧レベルのうち、最も低い電圧レベルとの電位差の絶対値は、液晶の閾値電圧の２倍以下であるため、前記矩形状の電圧信号の電圧レベルが前記第１の電圧レベル、前記第２の電圧レベル、および、前記第３の電圧レベルのうち、何れの電圧レベルであっても、前記液晶の配向が影響を受けないようにすることができる。
【０１２１】
したがって、上記の構成によれば、前記液晶への印加電圧の絶対値がより小さい場合により低輝度となるノーマリーブラック方式において、前記矩形状の電圧信号の電圧レベルが前記第１の電圧レベル、前記第２の電圧レベル、および、前記第３の電圧レベルの何れであっても、黒表示を行うことができるという更なる効果を奏する。
【０１２２】
（表示パネル１の動作例３）
以下では、図５の（ａ）〜（ｄ）を参照して、本実施形態に係る表示パネル１の動作の第３の例について説明する。
【０１２３】
図５の（ａ）は、ソースバスラインＳＬmに供給されるソース信号＃ＳＬmの波形の一例を示すタイミングチャートである。図５の（ａ）に示すように、本動作例におけるソース信号＃ＳＬmの波形は、図３の（ａ）に示すソース信号＃ＳＬmの波形とほぼ同様であるとして説明を行う。
【０１２４】
図５の（ｂ）は、ゲートバスラインＧＬnに供給されるゲート信号＃ＧＬnの波形を示すタイミングチャートである。図５の（ｂ）に示すように、本動作例におけるゲート信号＃ＧＬnの波形は、図３の（ｂ）に示すゲート信号＃ＧＬnの波形と同様であるとして説明を行う。
【０１２５】
図５の（ｃ）は、液晶電極ＰＥn,mの電位ＶPEn,mを示すタイミングチャートである。
【０１２６】
図５の（ｄ）は、対向電極バスラインＣＯＭＬnに供給される対向電極信号＃ＣＯＭＬnの波形を示すタイミングチャートである。図５の（ｄ）に示すように、本動作例における対向電極信号＃ＣＯＭＬnは、連続する２つの垂直走査期間Ｔv’’を１周期として、電位ＶCOM1’’、電位ＶCOM2’’、電位ＶCOM3’’、および、電位ＶCOM4’’をとる信号である。より具体的には、図５の（ｄ）に示すように、対向電極信号＃ＣＯＭＬnは、１垂直走査期間Ｔv’’における期間Ｔ1’’において電位ＶCOM3’’をとり、期間Ｔ2’’において電位ＶCOM1’’をとる。また、対向電極信号＃ＣＯＭＬnは、それに引き続く垂直走査期間Ｔv’における期間Ｔ3’’において電位ＶCOM2’’をとり、期間Ｔ4’’において電位ＶCOM4’’をとる。なお、図５の（ｄ）に示すように、電位ＶCOM1’’、電位ＶCOM2’’、電位ＶCOM3’’、および、電位ＶCOM4’’の具体的な値は、ＶCOM1’’＜ＶCOM2’’＜ＶCOM3’’＜ＶCOM4’’、ＶCOM4’’−ＶCOM3’’＜ＶCOM3’’−ＶCOM1’’、および、ＶCOM2’’−ＶCOM1’’＜ＶCOM4’’−ＶCOM2’’を満たすものとする。
【０１２７】
図５の（ｃ）および（ｄ）に示すように、対向電極信号＃ＣＯＭＬnが、最も高い電位（電位ＶCOM4’’）であるときであって、ゲート信号＃ＧＬnがハイレベルであるときに、液晶ＬＣへの印加電圧は正極性へと変化し、対向電極信号＃ＣＯＭＬnが、最も低い電位（電位ＶCOM1’’）であるときであって、ゲート信号＃ＧＬnがハイレベルであるときに、液晶ＬＣへの印加電圧は負極性へと変化する。
【０１２８】
以下では、本動作例における表示パネル１の画素領域Ｐn,mの各部の動作について、説明する。
【０１２９】
まず、図５の（ｂ）に示すように、時刻ｔ1’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図５の（ｃ）に示すように、時刻ｔ1’’から時刻ｔ2’’までの期間において、画素電極ＰＥn,mの電位ＶPEn,mは、電位Ｖ1’’から電位Ｖ2’’（Ｖ2’’＞ＶCOM4’’）まで増加する。
【０１３０】
また、時刻ｔ2’’において、対向電極信号＃ＣＯＭＬnが、電位ＶCOM4’’から電位ＶCOM3’’まで立ち下がる。それに伴い、画素電極ＰＥn,mの電位ＶPEn,mは、電位Ｖ2’’から電位Ｖ3’’へと変化する。ここで、電位Ｖ3’’の具体的な値は、
Ｖ3’’＝（ＶCOM3’’−ＶCOM4’’）×ＣLC／ΣＣ＋Ｖ2’’
によって定まる。なお、上述のように、ＶCOM3’’＜ＶCOM4’’であるので、電位Ｖ3’’は、電位Ｖ2’’よりも小さい。
【０１３１】
続いて、時刻ｔ3’’において、対向電極信号＃ＣＯＭＬnが、電位ＶCOM3’’から電位ＶCOM1’’まで立ち下がる。それに伴い、画素電極ＰＥn,mの電位ＶPEn,mは、電位Ｖ3’’から電位Ｖ4’’へと変化する。ここで、電位Ｖ4’’の具体的な値は、
Ｖ4’’＝（ＶCOM1’’−ＶCOM3’’）×ＣLC／ΣＣ＋Ｖ3’’
によって定まる。なお、上述のように、ＶCOM1’’＜ＶCOM3’’であるので、電位Ｖ4’’は、電位Ｖ3’’よりも小さい。
【０１３２】
また、電位Ｖ3’’、電位Ｖ4’’、電位ＶCOM1’’、および、電位ＶCOM3’’は、
Ｖ4’’−ＶCOM1’’−（Ｖ3’’−ＶCOM3’’）＝（ＶCOM3’’−ＶCOM1’’）×（ΣＣ−ＣLC）／ΣＣ
を満たし、上記のように、ＶCOM1’’＜ＶCOM3’’であるので、Ｖ4’’−ＶCOM1’’＞Ｖ3’’−ＶCOM3’’が成り立つ。すなわち、時刻ｔ3’’から時刻ｔ4’’までの期間における画素電極ＰＥn,mの電位ＶPEn,mと対向電極ＥCOMn,mの電位ＶECOMn,mとの電位差は、時刻ｔ2’’から時刻ｔ3’’までの期間における画素電極ＰＥn,mの電位ＶPEn,mと対向電極ＥCOMn,mの電位ＶECOMn,mとの電位差よりも大きい。したがって、時刻ｔ3’’から時刻ｔ4’’までの期間における画素領域Ｐn,mの輝度は、時刻ｔ2’’から時刻ｔ3’’までの期間における画素領域Ｐn,mの輝度よりも大きい。
【０１３３】
続いて、時刻ｔ4’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【０１３４】
図５の（ｃ）に示すように、時刻ｔ4’’から時刻ｔ5’’までの期間において、画素電極ＰＥn,mの電位ＶPEn,mは、電位Ｖ4’’から電位Ｖ5’’（Ｖ5’’＜ＶCOM1’’）まで減少する。
【０１３５】
また、時刻ｔ5’’において、対向電極信号＃ＣＯＭＬnが、電位ＶCOM1’’から電位ＶCOM2’’まで立ち上がる。それに伴い、画素電極ＰＥn,mの電位ＶPEn,mは、電位Ｖ5’’から電位Ｖ6’’へと変化する。ここで、電位Ｖ6’’の具体的な値は、
Ｖ6’’＝（ＶCOM2’’−ＶCOM1’’）×ＣLC／ΣＣ＋Ｖ5’’
によって定まる。なお、上述のように、ＶCOM1’’＜ＶCOM2’’であるので、電位Ｖ6’’は、電位Ｖ5’’よりも大きい。
【０１３６】
続いて、時刻ｔ6’’において、対向電極信号＃ＣＯＭＬnが、電位ＶCOM2’’から電位ＶCOM4’’まで立ち上がる。それに伴い、画素電極ＰＥn,mの電位ＶPEn,mは、電位Ｖ6’’から電位Ｖ1’’へと変化する。ここで、電位Ｖ1’’の具体的な値は、
Ｖ1’’＝（ＶCOM4’’−ＶCOM2’’）×ＣLC／ΣＣ＋Ｖ6’’
によって定まる。なお、上述のように、ＶCOM2’’＜ＶCOM4’’であるので、電位Ｖ1’’は、電位Ｖ6’’よりも大きい。
【０１３７】
また、電位Ｖ1’’、電位Ｖ6’’、電位ＶCOM2’’、および、電位ＶCOM4’’は、
ＶCOM4’’−Ｖ1’’−（ＶCOM2’’−Ｖ6’’）＝（ＶCOM4’’−ＶCOM2’’）×（ΣＣ−ＣLC）／ΣＣ
を満たし、上記のように、ＶCOM2’’＜ＶCOM4’’であるので、ＶCOM4’’−Ｖ1’’＞ＶCOM2’’−Ｖ6’’が成り立つ。すなわち、時刻ｔ6’’から時刻ｔ7’’までの期間における画素電極ＰＥn,mの電位ＶPEn,mと対向電極ＥCOMn,mの電位ＶECOMn,mとの電位差は、時刻ｔ5’’から時刻ｔ6’’までの期間における画素電極ＰＥn,mの電位ＶPEn,mと対向電極ＥCOMn,mの電位ＶECOMn,mとの電位差よりも大きい。したがって、時刻ｔ6’’から時刻ｔ7’’までの期間における画素領域Ｐn,mの輝度は、時刻ｔ5’’から時刻ｔ6’’までの期間における画素領域Ｐn,mの輝度よりも大きい。
【０１３８】
時刻ｔ7’’以降の動作は、上述した時刻ｔ1’’以降の動作と同様である。
【０１３９】
なお、上記の動作例においては、時刻ｔ2’’において、対向電極信号＃ＣＯＭＬnが、電位ＶCOM4’’から電位ＶCOM3’’まで立ち下がり、時刻ｔ5’’において、対向電極信号＃ＣＯＭＬnが、電位ＶCOM1’’から電位ＶCOM2’’まで立ち上がる場合について説明を行ったが、より一般には、対向電極信号＃ＣＯＭＬnは、時刻ｔ2’’から数水平期間（水平期間Ｔhの複数倍の期間）が経過するまでの間に電位ＶCOM4’’から電位ＶCOM3’’まで立ち下がり、時刻ｔ5’’から数水平期間（水平期間Ｔhの複数倍の期間）が経過するまでの間に電位ＶCOM1’’から電位ＶCOM2’’まで立ち上がる。
【０１４０】
以上のように、本動作例においては、前記対向電極ドライバ１４は、前記１走査期間（垂直走査期間Ｔv’’）において、前記任意の対向電極バスラインＣＯＭＬnに対し、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給する。
【０１４１】
すなわち、本動作例においては、前記対向電極ドライバ１４は、連続する２垂直走査期間において、電位ＶCOM1’’、電位ＶCOM2’’、電位ＶCOM3’’、および、電位ＶCOM4’’からなる矩形状の電圧信号（対向電極信号＃ＣＯＭＬn）を供給する。
【０１４２】
上記の構成によれば、前記対向電極ドライバは、前記１走査期間において、前記任意の対向電極バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給することができるので、上記１走査期間において、上記画素電極に印加される電圧レベルは、３値に変化する。換言すれば、上記１走査期間において、上記画素電極に印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０１４３】
したがって、上記の構成によれば、動画ボケの現象を効果的に抑制しつつ、より高輝度な表示が可能となる。
【０１４４】
さらに、上記の構成によれば、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給することができるので、前記１走査期間の次の１走査期間において、前記第１の電圧レベル、前記第２の電圧レベル、および、前記第３の電圧レベルとからなる矩形状の電圧信号を供給する場合に比べて、高輝度と低輝度の輝度レベルの調整をより柔軟に行うことができる。
【０１４５】
したがって、上記の構成によれば、上記動画ボケの現象をより一層効果的に抑制しつつ、高輝度な表示を行うことができる。
【０１４６】
また、本動作例においては、前記１走査期間（垂直走査期間Ｔv’’）における最初の前記電圧レベルの遷移の前後における前記電圧レベルの電位差の絶対値|ＶCOM4’’−ＶCOM3’’|は、前記１走査期間における次の前記電圧レベルの遷移の前後における前記電圧レベルの電位差の絶対値|ＶCOM3’’−ＶCOM1’’|よりも小さい。ここで、記号｜ａ｜はａの絶対値を表すものとする。
【０１４７】
したがって、本動作例においては、時刻ｔ3’’における対向電極信号＃ＣＯＭＬnの電圧レベルの遷移に伴う画素領域Ｐn,mの輝度の変化を、時刻ｔ2’’における対向電極信号＃ＣＯＭＬnの電圧レベルの遷移に伴う画素領域Ｐn,mの輝度の変化よりも大きくすることができる。
【０１４８】
したがって、本動作例においては、上記動画ボケの現象をより効果的に抑制することができる。また、時刻ｔ5’’から時刻ｔ8’’までの１垂直走査期間Ｔv’’についても同様である。
【０１４９】
また、本動作例においては、前記矩形状の電圧信号（対向電極信号＃ＣＯＭＬn）は、前記１走査期間（垂直走査期間Ｔv’’）の少なくとも１０パーセントの期間において、前記第１の電圧レベル、前記第２の電圧レベル、前記第３の電圧レベル、または、前記第４の電圧レベルのうち、何れかの電圧レベル（すなわち電位ＶCOM1’’、電位ＶCOM2’’、電位ＶCOM3’’、および、電位ＶCOM4’’のうち何れかの電圧レベル）をとる、ことが好ましい。
【０１５０】
上記の構成によれば、前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとるため、上記動画ボケの現象を効果的に抑制することができる。
【０１５１】
また、本発明に係る表示パネルにおいては、前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、ことが好ましい。
【０１５２】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０１５３】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができるという更なる効果を奏する。
【０１５４】
また、本発明に係る表示パネルにおいては、前記１走査期間（垂直走査期間Ｔv’’）において、最初の前記電圧レベルの遷移（対向電極＃ＣＯＭＬnの時刻ｔ2’’における電位ＶCOM4’’から電位ＶCOM3’’への遷移）後における前記画素電極の電位と前記対向電極の電位との差によって表される前記液晶への印加電圧の極性と、次の前記電圧レベルの遷移（対向電極＃ＣＯＭＬnの時刻ｔ3’’における電位ＶCOM3’’から電位ＶCOM1’’への遷移）後における前記画素電極の電位と前記対向電極の電位との差によって表される前記液晶への印加電圧の極性とは、互いに異なった極性となるような構成としてもよい。
【０１５５】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０１５６】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができる。
【０１５７】
また、本発明に係る表示パネルにおいては、前記第１の電圧レベル、前記第２の電圧レベル、前記第３の電圧レベル、および、前記第４の電圧レベルのうち、２番目に低い電圧レベル（すなわち電位ＶCOM2’’）と、前記第１の電圧レベル、前記第２の電圧レベル、前記第３の電圧レベル、および、前記第４の電圧レベルのうち、最も高い電圧レベル（すなわち電位ＶCOM4’’）との電位差の絶対値が、液晶の閾値電圧の２倍以下となるような構成としてもよい。
【０１５８】
上記の構成によれば、前記第１の電圧レベル、前記第２の電圧レベル、前記第３の電圧レベル、および、前記第４の電圧レベルのうち、２番目に低い電圧レベルと、前記第１の電圧レベル、前記第２の電圧レベル、前記第３の電圧レベル、および、前記第４の電圧レベルのうち、最も高い電圧レベルとの電位差の絶対値は、液晶の閾値電圧の２倍以下であるため、前記矩形状の電圧信号の電圧レベルが前記第１の電圧レベル、前記第２の電圧レベル、前記第３の電圧レベル、および、前記第４の電圧レベルのうち、最も低い電圧レベルであっても、前記第１の電圧レベル、前記第２の電圧レベル、前記第３の電圧レベル、および、前記第４の電圧レベルのうち、最も高い電圧レベルであっても、前記液晶の配向が影響を受けないようにすることができる。
【０１５９】
したがって、上記の構成によれば、前記液晶への印加電圧の絶対値がより小さい場合により低輝度となるノーマリーブラック方式において、前記矩形状の電圧信号の電圧レベルが前記第１の電圧レベル、前記第２の電圧レベル、前記第３の電圧レベル、および、前記第４の電圧レベルの何れであっても、黒表示を行うことができる。
【０１６０】
（表示パネル１の動作例４）
以下では、図６の（ａ）〜（ｄ）を参照して、本実施形態に係る表示パネル１の動作の第４の例について説明する。
【０１６１】
図６の（ａ）は、ソースバスラインＳＬmに供給されるソース信号＃ＳＬmの波形の一例を示すタイミングチャートである。図６の（ａ）に示すように、本動作例におけるソース信号＃ＳＬmの波形は、図３の（ａ）に示すソース信号＃ＳＬmの波形とほぼ同様であるとして説明を行う。
【０１６２】
図６の（ｂ）は、ゲートバスラインＧＬnに供給されるゲート信号＃ＧＬnの波形を示すタイミングチャートである。図６の（ｂ）に示すように、本動作例におけるゲート信号＃ＧＬnの波形は、図３の（ｂ）に示すゲート信号＃ＧＬnの波形と同様であるとして説明を行う。
【０１６３】
図６の（ｃ）は、液晶電極ＰＥn,mの電位ＶPEn,mを示すタイミングチャートである。
【０１６４】
図６の（ｄ）は、対向電極バスラインＣＯＭＬnに供給される対向電極信号＃ＣＯＭＬnの波形を示すタイミングチャートである。図６の（ｄ）に示すように、本動作例における対向電極信号＃ＣＯＭＬnは、連続する２つの垂直走査期間Ｔvを１周期として、電位ＶCOM11、電位ＶCOM12をとる信号である。より具体的には、図６の（ｄ）に示すように、対向電極信号＃ＣＯＭＬnは、１垂直走査期間Ｔvにおける期間Ｔ11において電位ＶCOM11をとり、期間Ｔ12における時刻ｔ13から時刻ｔ14において電位ＶCOM12をとり、期間Ｔ12における時刻ｔ14から時刻ｔ15において電位ＶCOM11をとる。また、対向電極信号＃ＣＯＭＬnは、それに引き続く垂直走査期間Ｔvにおける期間Ｔ13において電位ＶCOM12をとり、期間Ｔ14における時刻ｔ16から時刻ｔ17において電位ＶCOM11をとり、期間Ｔ14における時刻ｔ17から時刻ｔ18において電位ＶCOM12をとる。なお、図６の（ｄ）に示すように、電位ＶCOM11、および、電位ＶCOM12の具体的な値は、ＶCOM11＜ＶCOM12を満たすものとする。
【０１６５】
以下では、本動作例における表示パネル１の画素領域Ｐn,mの各部の動作について、説明する。
【０１６６】
まず、図６の（ｂ）に示すように、時刻ｔ11において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図６の（ｃ）に示すように、時刻ｔ11から時刻ｔ12までの期間において、画素電極ＰＥn,mの電位ＶPEn,mは、電位Ｖ11から電位Ｖ12（Ｖ12＞ＶCOM12）まで増加する。
【０１６７】
また、時刻ｔ12において、対向電極信号＃ＣＯＭＬnが、電位ＶCOM12から電位ＶCOM11まで立ち下がる。それに伴い、画素電極ＰＥn,mの電位ＶPEn,mは、電位Ｖ12から電位Ｖ13へと変化する。ここで、電位Ｖ13の具体的な値は、
Ｖ13＝（ＶCOM11−ＶCOM12）×ＣLC／ΣＣ＋Ｖ12
によって定まる。なお、上述のように、ＶCOM11＜ＶCOM12であるので、電位Ｖ13は、電位Ｖ12よりも小さい。
【０１６８】
続いて、時刻ｔ13において、対向電極信号＃ＣＯＭＬnが、電位ＶCOM11から電位ＶCOM12まで立ち上がる。それに伴い、画素電極ＰＥn,mの電位ＶPEn,mは、電位Ｖ13から電位Ｖ12へと変化する。
【０１６９】
また、電位Ｖ12、電位Ｖ13、電位ＶCOM11、および、電位ＶCOM12は、
Ｖ12−ＶCOM12−（Ｖ13−ＶCOM11）＝（ＶCOM11−ＶCOM12）×（ΣＣ−ＣLC）／ΣＣ
を満たし、上記のように、ＶCOM11＜ＶCOM12であるので、Ｖ12−ＶCOM12＜Ｖ13−ＶCOM11が成り立つ。すなわち、時刻ｔ13から時刻ｔ14までの期間における画素電極ＰＥn,mの電位ＶPEn,mと対向電極ＥCOMn,mの電位ＶECOMn,mとの電位差は、時刻ｔ12から時刻ｔ13までの期間における画素電極ＰＥn,mの電位ＶPEn,mと対向電極ＥCOMn,mの電位ＶECOMn,mとの電位差よりも小さい。したがって、時刻ｔ13から時刻ｔ14までの期間における画素領域Ｐn,mの輝度は、時刻ｔ12から時刻ｔ13までの期間における画素領域Ｐn,mの輝度よりも小さい。
【０１７０】
続いて、時刻ｔ14において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。また、時刻ｔ14において、対向電極信号＃ＣＯＭＬnが、電位ＶCOM12から電位ＶCOM11まで立ち下がる。
【０１７１】
図６の（ｃ）に示すように、時刻ｔ14から時刻ｔ15までの期間において、画素電極ＰＥn,mの電位ＶPEn,mは、電位Ｖ12から、電位Ｖ11（Ｖ11＜ＶCOM11）まで減少する。
【０１７２】
また、時刻ｔ15において、対向電極信号＃ＣＯＭＬnが、電位ＶCOM11から電位ＶCOM12まで立ち上がる。それに伴い、画素電極ＰＥn,mの電位ＶPEn,mは、電位Ｖ11から電位Ｖ14へと変化する。ここで、電位Ｖ14の具体的な値は、
Ｖ14＝（ＶCOM12−ＶCOM11）×ＣLC／ΣＣ＋Ｖ11
によって定まる。なお、上述のように、ＶCOM11＜ＶCOM12であるので、電位Ｖ14は、電位Ｖ11よりも大きい。
【０１７３】
続いて、時刻ｔ16において、対向電極信号＃ＣＯＭＬnが、電位ＶCOM12から電位ＶCOM11へと立ち下がる。それに伴い、画素電極ＰＥn,mの電位ＶPEn,mは、電位Ｖ14から電位Ｖ11へと変化する。
【０１７４】
また、電位Ｖ11、電位Ｖ14、電位ＶCOM11、および、電位ＶCOM12は、
ＶCOM11−Ｖ11−（ＶCOM12−Ｖ14）＝（ＶCOM11−ＶCOM12）×ＣCS／ΣＣ
を満たし、上記のように、ＶCOM11＜ＶCOM12であるので、ＶCOM11−Ｖ11＜ＶCOM12−Ｖ14が成り立つ。すなわち、時刻ｔ16から時刻ｔ17までの期間における画素電極ＰＥn,mの電位ＶPEn,mと対向電極ＥCOMn,mの電位ＶECOMn,mとの電位差は、時刻ｔ15から時刻ｔ16までの期間における画素電極ＰＥn,mの電位ＶPEn,mと対向電極ＥCOMn,mの電位ＶECOMn,mとの電位差よりも小さい。したがって、時刻ｔ16から時刻ｔ17までの期間における画素領域Ｐn,mの輝度は、時刻ｔ15から時刻ｔ16までの期間における画素領域Ｐn,mの輝度よりも小さい。
【０１７５】
続いて、時刻ｔ17において、ゲート信号＃ＧＬnがローレベルからハイレベルに立ち上がり、一定期間経過後、ローレベルへと立ち下がる。また、時刻ｔ17において、対向電極信号＃ＣＯＭＬnが、電位ＶCOM11から電位ＶCOM12まで立ち上がる。時刻ｔ17以降の動作は、上述した時刻ｔ11以降の動作と同様である。
【０１７６】
なお、上記の動作例においては、対向電極信号＃ＣＯＭＬnが、時刻ｔ12において、電位ＶCOM12から電位ＶCOM11まで立ち下がり、時刻ｔ15において、電位ＶCOM11から電位ＶCOM12まで立ち上がる場合について説明を行ったが、より一般には、対向電極信号＃ＣＯＭＬnは、時刻ｔ12から数水平期間（水平期間Ｔhの複数倍の期間）が経過するまでの間に電位ＶCOM12から電位ＶCOM11まで立ち下がり、時刻ｔ15から数水平期間（水平期間Ｔhの複数倍の期間）が経過するまでの間に電位ＶCOM11から電位ＶCOM12まで立ち上がる。
【０１７７】
また、上記の動作例においては、対向電極信号＃ＣＯＭＬnが、時刻ｔ14において、電位ＶCOM12から電位ＶCOM11まで立ち下がる場合について説明を行ったが、より一般には、対向電極信号＃ＣＯＭＬnは、時刻ｔ13から時刻ｔ15までの間に電位ＶCOM12から電位ＶCOM11まで立ち下がる。
【０１７８】
本動作例のように、本発明に係る表示パネル１は、１垂直走査期間の後半における画素領域Ｐn,mの輝度が当該１垂直走査期間の前半における画素領域Ｐn,mの輝度よりも小さくなるように対向電極信号＃ＣＯＭＬnを供給することによっても、１垂直走査期間における画素領域Ｐn,mの輝度の変化を生じせしめることができる。
【０１７９】
したがって、本動作例においても、上記動画ボケの現象を抑制することができる。
【０１８０】
（表示パネル１の動作例５）
以下では、図７の（ａ）〜（ｄ）を参照して、本実施形態に係る表示パネル１の動作の第５の例について説明する。
【０１８１】
図７の（ａ）は、ソースバスラインＳＬmに供給されるソース信号＃ＳＬmの波形の一例を示すタイミングチャートである。図７の（ａ）に示すように、本動作例におけるソース信号＃ＳＬmの波形は、図３の（ａ）に示すソース信号＃ＳＬmの波形とほぼ同様であるとして説明を行う。
【０１８２】
図７の（ｂ）は、ゲートバスラインＧＬnに供給されるゲート信号＃ＧＬnの波形を示すタイミングチャートである。図７の（ｂ）に示すように、本動作例におけるゲート信号＃ＧＬnの波形は、図３の（ｂ）に示すゲート信号＃ＧＬnの波形と同様であるとして説明を行う。
【０１８３】
図７の（ｃ）は、液晶電極ＰＥn,mの電位ＶPEn,mを示すタイミングチャートである。
【０１８４】
図７の（ｄ）は、対向電極バスラインＣＯＭＬnに供給される対向電極信号＃ＣＯＭＬnの波形を示すタイミングチャートである。図７の（ｄ）に示すように、本動作例における対向電極信号＃ＣＯＭＬnは、連続する２つの垂直走査期間Ｔv’を１周期として、電位ＶCOM11’、電位ＶCOM12’、および、電位ＶCOM13’をとる信号である。より具体的には、図７の（ｄ）に示すように、対向電極信号＃ＣＯＭＬnは、１垂直走査期間Ｔv’における期間Ｔ11’において電位ＶCOM11’をとり、期間Ｔ12’における時刻ｔ13’から時刻ｔ14’において電位ＶCOM12’をとり、期間Ｔ12’における時刻ｔ14’から時刻ｔ15’において電位ＶCOM11’をとる。また、対向電極信号＃ＣＯＭＬnは、それに引き続く垂直走査期間Ｔv’における期間Ｔ13’において電位ＶCOM13’をとり、期間Ｔ14’における時刻ｔ16’から時刻ｔ17’において電位ＶCOM12’をとり、期間Ｔ14’における時刻ｔ17’から時刻ｔ18’において電位ＶCOM13’をとる。なお、図７の（ｄ）に示すように、電位ＶCOM11’、電位ＶCOM12’、および、電位ＶCOM13’の具体的な値は、ＶCOM11’＜ＶCOM12’＜ＶCOM13’を満たすものとする。
【０１８５】
以下では、本動作例における表示パネル１の画素領域Ｐn,mの各部の動作について、説明する。
【０１８６】
まず、図７の（ｂ）に示すように、時刻ｔ11’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図７の（ｃ）に示すように、時刻ｔ11’から時刻ｔ12’までの期間において、画素電極ＰＥn,mの電位ＶPEn,mは、電位Ｖ11’から電位Ｖ12’（Ｖ12’＞ＶCOM13’）まで増加する。
【０１８７】
また、時刻ｔ12’において、対向電極信号＃ＣＯＭＬnが、電位ＶCOM13’から電位ＶCOM11’まで立ち下がる。それに伴い、画素電極ＰＥn,mの電位ＶPEn,mは、電位Ｖ12’から電位Ｖ13’へと変化する。ここで、電位Ｖ13’の具体的な値は、
Ｖ13’＝（ＶCOM11’−ＶCOM13’）×ＣLC／ΣＣ＋Ｖ12’
によって定まる。なお、上述のように、ＶCOM11’＜ＶCOM13’であるので、電位Ｖ13’は、電位Ｖ12’よりも小さい。
【０１８８】
続いて、時刻ｔ13’において、対向電極信号＃ＣＯＭＬnが、電位ＶCOM11’から電位ＶCOM12’まで立ち上がる。それに伴い、画素電極ＰＥn,mの電位ＶPEn,mは、電位Ｖ13’から電位Ｖ14’へと変化する。ここで、電位Ｖ14’の具体的な値は、
Ｖ14’＝（ＶCOM12’−ＶCOM11’）×ＣLC／ΣＣ＋Ｖ13’
によって定まる。なお、上述のように、ＶCOM11’＜ＶCOM12’であるので、電位Ｖ14’は、電位Ｖ13’よりも大きい。
【０１８９】
また、電位Ｖ13’、電位Ｖ14’、電位ＶCOM11’、および、電位ＶCOM12’は、
Ｖ14’−ＶCOM12’−（Ｖ13’−ＶCOM11’）＝（ＶCOM11’−ＶCOM12’）×（ΣＣ−ＣLC）／ΣＣ
を満たし、上記のように、ＶCOM11’＜ＶCOM12’であるので、Ｖ14’−ＶCOM12’＜Ｖ13’−ＶCOM11’が成り立つ。すなわち、時刻ｔ13’から時刻ｔ14’までの期間における画素電極ＰＥn,mの電位ＶPEn,mと対向電極ＥCOMn,mの電位ＶECOMn,mとの電位差は、時刻ｔ12’から時刻ｔ13’までの期間における画素電極ＰＥn,mの電位ＶPEn,mと対向電極ＥCOMn,mの電位ＶECOMn,mとの電位差よりも小さい。したがって、時刻ｔ13’から時刻ｔ14’までの期間における画素領域Ｐn,mの輝度は、時刻ｔ12’から時刻ｔ13’までの期間における画素領域Ｐn,mの輝度よりも小さい。
【０１９０】
続いて、時刻ｔ14’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。また、時刻ｔ14’において、対向電極信号＃ＣＯＭＬnが、電位ＶCOM12’から電位ＶCOM11’まで立ち下がる。
【０１９１】
図７の（ｃ）に示すように、時刻ｔ14’から時刻ｔ15’までの期間において、画素電極ＰＥn,mの電位ＶPEn,mは、電位Ｖ14’から電位Ｖ15’（Ｖ15’＜ＶCOM11’）まで減少する。
【０１９２】
また、時刻ｔ15’において、対向電極信号＃ＣＯＭＬnが、電位ＶCOM11’から電位ＶCOM13’まで立ち上がる。それに伴い、画素電極ＰＥn,mの電位ＶPEn,mは、電位Ｖ15’から電位Ｖ16’へと変化する。ここで、電位Ｖ16’の具体的な値は、
Ｖ16’＝（ＶCOM13’−ＶCOM11’）×ＣLC／ΣＣ＋Ｖ15’
によって定まる。なお、上述のように、ＶCOM11’＜ＶCOM13’であるので、電位Ｖ16’は、電位Ｖ15’よりも大きい。
【０１９３】
続いて、時刻ｔ16’において、対向電極信号＃ＣＯＭＬnが、電位ＶCOM13’から電位ＶCOM12’へと立ち下がる。それに伴い、画素電極ＰＥn,mの電位ＶPEn,mは、電位Ｖ16’から電位Ｖ11’へと変化する。ここで、電位Ｖ11’の具体的な値は、
Ｖ11’＝（ＶCOM12’−ＶCOM13’）×ＣLC／ΣＣ＋Ｖ16’
によって定まる。なお、上述のように、ＶCOM12’＜ＶCOM13’であるので、電位Ｖ11’は、電位Ｖ16’よりも小さい。
【０１９４】
また、電位Ｖ11’、電位Ｖ16’、電位ＶCOM12’、および、電位ＶCOM13’は、
ＶCOM12’−Ｖ11’−（ＶCOM13’−Ｖ16’）＝（ＶCOM12’−ＶCOM13’）×（ΣＣ−ＣLC）／ΣＣ
を満たし、上記のように、ＶCOM12’＜ＶCOM13’であるので、ＶCOM12’−Ｖ11’＜ＶCOM13’−Ｖ16’が成り立つ。すなわち、時刻ｔ16’から時刻ｔ17’までの期間における画素電極ＰＥn,mの電位ＶPEn,mと対向電極ＥCOMn,mの電位ＶECOMn,mとの電位差は、時刻ｔ15’から時刻ｔ16’までの期間における画素電極ＰＥn,mの電位ＶPEn,mと対向電極ＥCOMn,mの電位ＶECOMn,mとの電位差よりも小さい。したがって、時刻ｔ16’から時刻ｔ17’までの期間における画素領域Ｐn,mの輝度は、時刻ｔ15’から時刻ｔ16’までの期間における画素領域Ｐn,mの輝度よりも小さい。
【０１９５】
続いて、時刻ｔ17’において、ゲート信号＃ＧＬnがローレベルからハイレベルに立ち上がり、一定期間経過後、ローレベルへと立ち下がる。また、時刻ｔ17’において、対向電極信号＃ＣＯＭＬnが、電位ＶCOM12’から電位ＶCOM13’まで立ち上がる。時刻ｔ17’以降の動作は、上述した時刻ｔ11’以降の動作と同様である。
【０１９６】
なお、上記の動作例においては、対向電極信号＃ＣＯＭＬnが、時刻ｔ12’において、電位ＶCOM13’から電位ＶCOM11’まで立ち下がり、時刻ｔ15’において、電位ＶCOM11’から電位ＶCOM13’まで立ち上がる場合について説明を行ったが、より一般には、対向電極信号＃ＣＯＭＬnは、時刻ｔ12’から数水平期間（水平期間Ｔhの複数倍の期間）が経過するまでの間に電位ＶCOM13’から電位ＶCOM11’まで立ち下がり、時刻ｔ15’から数水平期間（水平期間Ｔhの複数倍の期間）が経過するまでの間に電位ＶCOM11’から電位ＶCOM13’まで立ち上がる。
【０１９７】
また、上記の動作例においては、対向電極信号＃ＣＯＭＬnが、時刻ｔ14’において、電位ＶCOM12’から電位ＶCOM11’まで立ち下がる場合について説明を行ったが、より一般には、対向電極信号＃ＣＯＭＬnは、時刻ｔ13’から時刻ｔ15’までの間に電位ＶCOM12’から電位ＶCOM11’まで立ち下がる。
【０１９８】
本動作例のように、本発明に係る表示パネル１は、１垂直走査期間の後半における画素領域Ｐn,mの輝度が当該１垂直走査期間の前半における画素領域Ｐn,mの輝度よりも小さくなるように対向電極信号＃ＣＯＭＬnを供給することによっても、１垂直走査期間における画素領域Ｐn,mの輝度の変化を生じせしめることができる。
【０１９９】
したがって、本動作例においても、上記動画ボケの現象を抑制することができる。また、本動作例においては、対向電極信号＃ＣＯＭＬnは、３値の電圧レベルをとる。したがって、上述した動作例４に比べて、より効果的に上記動画ボケの現象を抑制することができる。
【０２００】
（表示パネル１の動作例６）
以下では、図８の（ａ）〜（ｄ）を参照して、本実施形態に係る表示パネル１の動作の第６の例について説明する。
【０２０１】
図８の（ａ）は、ソースバスラインＳＬmに供給されるソース信号＃ＳＬmの波形の一例を示すタイミングチャートである。図８の（ａ）に示すように、本動作例におけるソース信号＃ＳＬmの波形は、図３の（ａ）に示すソース信号＃ＳＬmの極性を反転させた波形であるとして説明を行う。
【０２０２】
図８の（ｂ）は、ゲートバスラインＧＬnに供給されるゲート信号＃ＧＬnの波形を示すタイミングチャートである。図８の（ｂ）に示すように、本動作例におけるゲート信号＃ＧＬnの波形は、図３の（ｂ）に示すゲート信号＃ＧＬnの波形とほぼ同様であるとして説明を行う。
【０２０３】
図８の（ｃ）は、液晶電極ＰＥn,mの電位ＶPEn,mを示すタイミングチャートである。
【０２０４】
図８の（ｄ）は、対向電極バスラインＣＯＭＬnに供給される対向電極信号＃ＣＯＭＬnの波形を示すタイミングチャートである。図８の（ｄ）に示すように、本動作例における対向電極信号＃ＣＯＭＬnは、連続する２つの垂直走査期間Ｔv’’を１周期として、電位ＶCOM11’’、電位ＶCOM12’’、電位ＶCOM13’’、および、電位ＶCOM14’’をとる信号である。より具体的には、図８の（ｄ）に示すように、対向電極信号＃ＣＯＭＬnは、１垂直走査期間Ｔv’’における期間Ｔ11’’において電位ＶCOM11’をとり、期間Ｔ12’’における時刻ｔ13’’から時刻ｔ14’’において電位ＶCOM13’’をとり、期間Ｔ12’’における時刻ｔ14’’から時刻ｔ16’’において電位ＶCOM11’’をとる。また、対向電極信号＃ＣＯＭＬnは、それに引き続く垂直走査期間Ｔv’’における期間Ｔ13’’において電位ＶCOM14’’をとり、期間Ｔ14’’における時刻ｔ17’’から時刻ｔ18’’において電位ＶCOM12’’をとり、期間Ｔ14’’における時刻ｔ18’’から時刻ｔ20’’において電位ＶCOM14’’をとる。なお、図８の（ｄ）に示すように、電位ＶCOM11’’、電位ＶCOM12’’、電位ＶCOM13’’、および、電位ＶCOM14’’の具体的な値は、ＶCOM11’’＜ＶCOM12’’＜ＶCOM13’’＜ＶCOM14’’を満たすものとする。
【０２０５】
以下では、本動作例における表示パネル１の画素領域Ｐn,mの各部の動作について、説明する。
【０２０６】
まず、図８の（ｂ）に示すように、時刻ｔ11’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図８の（ｃ）に示すように、時刻ｔ11’’から時刻ｔ12’’までの期間において、画素電極ＰＥn,mの電位ＶPEn,mは、電位Ｖ11’’から電位Ｖ12’’（Ｖ12’’＜ＶCOM14’’）まで減少する。
【０２０７】
また、時刻ｔ12’’において、対向電極信号＃ＣＯＭＬnが、電位ＶCOM14’’から電位ＶCOM11’’まで立ち下がる。それに伴い、画素電極ＰＥn,mの電位ＶPEn,mは、電位Ｖ12’’から電位Ｖ13’’へと変化する。ここで、電位Ｖ13’’の具体的な値は、
Ｖ13’’＝（ＶCOM11’’−ＶCOM14’’）×ＣLC／ΣＣ＋Ｖ12’’
によって定まる。なお、上述のように、ＶCOM11’’＜ＶCOM14’’であるので、電位Ｖ13’’は、電位Ｖ12’’よりも小さい。
【０２０８】
続いて、時刻ｔ13’’において、対向電極信号＃ＣＯＭＬnが、電位ＶCOM11’’から電位ＶCOM13’’まで立ち上がる。それに伴い、画素電極ＰＥn,mの電位ＶPEn,mは、電位Ｖ13’’から電位Ｖ14’’へと変化する。ここで、電位Ｖ14’’の具体的な値は、
Ｖ14’’＝（ＶCOM13’’−ＶCOM11’’）×ＣLC／ΣＣ＋Ｖ13’’
によって定まる。なお、上述のように、ＶCOM11’’＜ＶCOM13’’であるので、電位Ｖ14’’は、電位Ｖ13’’よりも大きい。
【０２０９】
また、電位Ｖ13’’、電位Ｖ14’’、電位ＶCOM11’’、および、電位ＶCOM13’’は、
ＶCOM13’’−Ｖ14’’−（ＶCOM11’’−Ｖ13’’）＝（ＶCOM13’’−ＶCOM11’’）×（ΣＣ−ＣLC）／ΣＣ
を満たし、上記のように、ＶCOM11’’＜ＶCOM13’’であるので、ＶCOM13’’−Ｖ14’’＞ＶCOM11’’−Ｖ13’’が成り立つ。すなわち、時刻ｔ13’’から時刻ｔ14’’までの期間における画素電極ＰＥn,mの電位ＶPEn,mと対向電極ＥCOMn,mの電位ＶECOMn,mとの電位差は、時刻ｔ12’’から時刻ｔ13’’までの期間における画素電極ＰＥn,mの電位ＶPEn,mと対向電極ＥCOMn,mの電位ＶECOMn,mとの電位差よりも大きい。したがって、時刻ｔ13’’から時刻ｔ14’’までの期間における画素領域Ｐn,mの輝度は、時刻ｔ12’’から時刻ｔ13’’までの期間における画素領域Ｐn,mの輝度よりも大きい。
【０２１０】
続いて、時刻ｔ14’’において、対向電極信号＃ＣＯＭＬnが、電位ＶCOM13’’から電位ＶCOM11’’まで立ち下がる。それに伴い、画素電極ＰＥn,mの電位ＶPEn,mは、電位Ｖ14’’から電位Ｖ13’’へと変化する。
【０２１１】
続いて、時刻ｔ15’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【０２１２】
図８の（ｃ）に示すように、時刻ｔ14’’から時刻ｔ15’’までの期間において、画素電極ＰＥn,mの電位ＶPEn,mは、電位Ｖ14’’から電位Ｖ15’’（Ｖ15’’＞ＶCOM11’’）まで増加する。
【０２１３】
また、時刻ｔ16’’において、対向電極信号＃ＣＯＭＬnが、電位ＶCOM11’’から電位ＶCOM14’’まで立ち上がる。それに伴い、画素電極ＰＥn,mの電位ＶPEn,mは、電位Ｖ15’’から電位Ｖ11’’へと変化する。ここで、電位Ｖ11’’の具体的な値は、
Ｖ11’’＝（ＶCOM14’’−ＶCOM11’’）×ＣLC／ΣＣ＋Ｖ15’’
によって定まる。なお、上述のように、ＶCOM11’’＜ＶCOM14’’であるので、電位Ｖ11’’は、電位Ｖ15’’よりも大きい。
【０２１４】
続いて、時刻ｔ17’’において、対向電極信号＃ＣＯＭＬnが、電位ＶCOM14’’から電位ＶCOM12’’へと立ち下がる。それに伴い、画素電極ＰＥn,mの電位ＶPEn,mは、電位Ｖ11’’から電位Ｖ14’’へと変化する。ここで、電位Ｖ14’’の具体的な値は、
Ｖ14’’＝（ＶCOM12’’−ＶCOM14’’）×ＣLC／ΣＣ＋Ｖ11’’
によって定まる。なお、上述のように、ＶCCOM12’’＜ＶCOM14’’であるので、電位Ｖ14’’は、電位Ｖ11’’よりも小さい。
【０２１５】
また、電位Ｖ11’’、電位Ｖ14’’、電位ＶCOM12’’、および、電位ＶCOM14’’は、
Ｖ14’’−ＶCOM12’’−（Ｖ11’’−ＶCOM14’’）＝（ＶCOM14’’−ＶCOM12’’）×（ΣＣ−ＣLC）／ΣＣ
を満たし、上記のように、ＶCOM12’’＜ＶCOM14’’であるので、Ｖ14’’−ＶCOM12’’＞Ｖ11’’−ＶCOM14’’が成り立つ。すなわち、時刻ｔ17’’から時刻ｔ18’’までの期間における画素電極ＰＥn,mの電位ＶPEn,mと対向電極ＥCOMn,mの電位ＶECOMn,mとの電位差は、時刻ｔ16’’から時刻ｔ17’’までの期間における画素電極ＰＥn,mの電位ＶPEn,mと対向電極ＥCOMn,mの電位ＶECOMn,mとの電位差よりも大きい。したがって、時刻ｔ17’’から時刻ｔ18’’までの期間における画素領域Ｐn,mの輝度は、時刻ｔ16’’から時刻ｔ17’’までの期間における画素領域Ｐn,mの輝度よりも大きい。
【０２１６】
続いて、時刻ｔ18’’において、対向電極信号＃ＣＯＭＬnが、電位ＶCOM12’’から電位ＶCOM14’’へと立ち上がる。それに伴い、画素電極ＰＥn,mの電位ＶPEn,mは、電位Ｖ14’’から電位Ｖ11’’へと変化する。
【０２１７】
続いて、時刻ｔ19’’において、ゲート信号＃ＧＬnがローレベルからハイレベルに立ち上がり、一定期間経過後、ローレベルへと立ち下がる。時刻ｔ19’’以降の動作は、上述した時刻ｔ11’’以降の動作と同様である。
【０２１８】
なお、上記の動作例においては、対向電極信号＃ＣＯＭＬnが、時刻ｔ12’’において、電位ＶCOM14’’から電位ＶCOM11’’まで立ち下がり、時刻ｔ16’’において、電位ＶCOM11’’から電位ＶCOM14’’まで立ち上がる場合について説明を行ったが、より一般には、対向電極信号＃ＣＯＭＬnは、時刻ｔ12’’から数水平期間（水平期間Ｔhの複数倍の期間）が経過するまでの間に電位ＶCOM14’’から電位ＶCOM11’’まで立ち下がり、時刻ｔ16’’から数水平期間（水平期間Ｔhの複数倍の期間）が経過するまでの間に電位ＶCOM11’’から電位ＶCOM14’’まで立ち上がる。
【０２１９】
本動作例のように、本発明に係る表示パネル１は、１垂直走査期間における画素領域Ｐn,mの輝度の変化を生じせしめることができる。
【０２２０】
したがって、本動作例においても、上記動画ボケの現象を抑制することができる。また、本動作例においては、対向電極信号＃ＣＯＭＬnは、４値の電圧レベルをとる。したがって、動作例４、および、動作例５に比べて、より効果的に上記動画ボケの現象を抑制することができる。
【０２２１】
上記の動作例１〜６では、ｎ番目のゲートバスラインＧＬnに供給されるゲート信号＃ＧＬn、および、ｎ番目の対向電極バスラインＣＯＭＬnに供給される対向電極信号＃ＣＯＭＬnを例に挙げ説明を行ったが、ｎ番目以外のゲートバスラインＧＬp（ｐ≠ｎ）に供給されるゲート信号＃ＧＬp、および、ｎ番目以外の対向電極バスラインＣＯＭＬp（ｐ≠ｎ）に供給される対向電極信号＃ＣＯＭＬpに対しても同様である。
【０２２２】
また、本発明に係る表示パネル１における対向電極ドライバ１４は、対向電極バスラインＣＯＭＬnに対し、対向電極信号＃ＣＯＭＬnを、ゲート信号＃ＧＬnに同期して供給する。
【０２２３】
さらに、ソース信号＃ＳＬmが上述のような極性反転信号である場合、すなわち、ソース信号＃ＳＬmが１水平走査期間ごとに極性を反転する信号である場合には、対向電極ドライバ１４は、対向電極信号＃ＣＯＭＬn+1の極性を対向電極信号＃ＣＯＭＬnの極性に対し反転させて供給する。
【０２２４】
図９の（ａ）は、ゲートバスラインＧＬn〜ＧＬn+3に対してそれぞれ供給されるゲート信号＃ＧＬn〜＃ＧＬn+3の波形の一例を示すタイミングチャートであり、図９の（ｂ）は、上述した動作例１における、対向電極バスラインＣＯＭＬn〜ＣＯＭＬn+3のそれぞれに対して供給される対向電極信号＃ＣＯＭＬn〜＃ＣＯＭＬn+3の波形の一例を示すタイミングチャートであり、図９の（ｃ）は、上述した動作例２における、対向電極バスラインＣＯＭＬn〜ＣＯＭＬn+3のそれぞれに対して供給される対向電極信号＃ＣＯＭＬn〜＃ＣＯＭＬn+3の波形の一例を示すタイミングチャートである。
【０２２５】
動作例１のように、選択期間におけるソース信号＃ＳＬmの電位レベルが、１水平走査期間ごとに、複数の電位レベルのうちの最大の電位レベルと、最小の電位レベルとに切り替わる場合、すなわちライン反転駆動である場合には、図９の（ｂ）〜（ｃ）に示すように、対向電極ドライバ１４は、対向電極信号＃ＣＯＭＬn+1の極性を対向電極信号＃ＣＯＭＬnの極性に対し反転させて供給する。
【０２２６】
また、図９の（ｂ）〜（ｃ）に示すように、対向電極ドライバ１４は、対向電極バスラインＣＯＭＬnに対し、対向電極信号＃ＣＯＭＬn〜＃ＣＯＭＬn+3を、それぞれ、ゲート信号＃ＧＬn〜＃ＧＬn+3に同期して供給する。
【０２２７】
また、その他のゲート信号＃ＧＬq（ｑ≦ｎ−１、ｑ≧ｎ＋４）、および、その他の対向電極信号＃ＣＯＭＬq（ｑ≦ｎ−１、ｑ≧ｎ＋４）に対しても同様である。
【０２２８】
なお、選択期間におけるソース信号＃ＳＬmの電位レベルが、複数の水平走査期間ごとに、複数の電位レベルのうちの最大の電位レベルと、最小の電位レベルとに切り替わる場合、には、対向電極ドライバ１４は、複数の対向電極バスラインごとに極性を反転させた対向電極信号を供給するような構成とすることが好ましい。
【０２２９】
（表示パネル１の動作例７）
上述した動作例１〜６においては、対向電極ドライバ１４が、複数の対向電極バスラインＣＯＭＬ1〜ＣＯＭＬNのそれぞれに対し、水平走査期間Ｔh毎に対向電極信号＃ＣＯＭＬ1〜＃ＣＯＭＬNを順次供給する場合、すなわち、対向電極信号＃ＣＯＭＬnと対向電極信号＃ＣＯＭＬn+1との間に、水平走査期間Ｔhの長さに対応する位相差が存在する場合を例に挙げ説明を行ったが、本発明はこれに限られるものではない。
【０２３０】
以下では、図１０の（ａ）〜（ｂ）を参照して、本実施形態に係る表示パネル１の動作の第７の例について説明する。また、本動作例においては、選択期間におけるソース信号＃ＳＬmの電位レベルが、２つの水平走査期間ごとに、複数の電位レベルのうちの最大の電位レベルと、最小の電位レベルとに切り替わる場合を例にとり説明を行う。
【０２３１】
図１０の（ａ）は、ゲートバスラインＧＬn〜ＧＬn+3に対してそれぞれ供給されるゲート信号＃ＧＬn〜＃ＧＬn+3の波形の一例を示すタイミングチャートであり、図１０の（ｂ）は、本動作例における、対向電極バスラインＣＯＭＬn〜ＣＯＭＬn+3のそれぞれに対して供給される対向電極信号＃ＣＯＭＬn〜＃ＣＯＭＬn+3の波形の一例を示すタイミングチャートである。
【０２３２】
図１０の（ｂ）に示すように、対向電極ドライバ１４は、対向電極バスラインＣＯＭＬn、および、対向電極バスラインＣＯＭＬn+1に対し、互いに同相である対向電極信号＃ＣＯＭＬn、および、対向電極信号＃ＣＯＭＬn+1を供給する。換言すれば、対向電極ドライバ１４は、隣接する２本の対向電極バスラインを１対とし、当該１対の対向電極バスラインに対して、共通の対向電極信号を供給する。
【０２３３】
このように、本動作例においては、前記対向電極ドライバ１４は、前記複数のゲートバスラインのうちｎ番目のゲートバスラインＧＬnに前記トランジスタＭn,mを介して接続された前記画素電極ＰＥn,mに対向する前記対向電極ＥCOMn,mが接続された前記対向電極バスラインＣＯＭＬnと、前記複数のゲートバスラインのうちｎ＋１番目のゲートバスラインＧＬn+1に前記トランジスタＭn+1,mを介して接続された前記画素電極ＰＥn+1,mに対向する前記対向電極ＥCOMn+1,mが接続された前記対向電極バスラインＣＯＭＬn+1と、に対し、前記矩形状の電圧信号（対向電極信号＃ＣＯＭＬn、および対向電極信号＃ＣＯＭＬn+1）を同期して供給する。
【０２３４】
１対の対向電極バスラインに対して共通の対向電極信号を供給するための構成としては、例えば、対向電極信号＃ＣＯＭＬn、および、対向電極信号＃ＣＯＭＬn+1を、対向電極ドライバ１４における同一の信号生成手段によって生成し、それぞれ、対向電極バスラインＣＯＭＬn、および、対向電極バスラインＣＯＭＬn+1に対し供給すればよい。
【０２３５】
したがって、本動作例においては、より簡単な構成の対向電極ドライバ１４により、上記動画ボケの現象を抑制することができる。
【０２３６】
また、本発明に係る表示パネルにおいては、前記対向電極ドライバ１４は、前記複数のゲートバスラインのうちｎ番目のゲートバスラインＧＬnに前記トランジスタＭn,mを介して接続された前記画素電極ＰＥn,mに対向する前記対向電極ＥCOMn,mが接続された前記対向電極バスラインとＣＯＭＬn、前記複数のゲートバスラインのうちｎ＋２番目のゲートバスラインＧＬn+2に前記トランジスタＭn+2,mを介して接続された前記画素電極ＰＥn+2,mに対向する前記対向電極ＥCOMn+2,mが接続された前記対向電極バスラインＣＯＭＬn+2とに対し、前記矩形状の電圧信号を同期して供給するような構成としてもよい。
【０２３７】
上記の構成によれば、前記複数のゲートバスラインのうちｎ番目のゲートバスラインに前記トランジスタを介して接続された前記画素電極に対向する前記対向電極が接続された前記対向電極バスラインと、前記複数のゲートバスラインのうちｎ＋２番目のゲートバスラインに前記トランジスタを介して接続された前記画素電極に対向する前記対向電極が接続された前記対向電極バスラインと、に対し、前記矩形状の電圧信号を同期して供給することができるため、より簡単な構成の前記対向電極ドライバにより、フリッカや極性反転に応じたスジの発生を抑制しつつ、上記動画ボケの現象を抑制することができる。
【０２３８】
また、対向電極ドライバ１４は、隣接する３本以上の対向電極バスラインを１組とし、当該１組の対向電極バスラインに対して、共通の対向電極信号を供給するような構成としてもよい。
【０２３９】
以上の動作例１〜７において説明したように、本実施形態に係る表示パネル１は、対向電極バスラインＣＯＭＬ1〜ＣＯＭＬNに対し、１垂直走査期間において、複数の電圧レベルからなる矩形状の対向電極信号＃ＣＯＭＬ1〜＃ＣＯＭＬNを供給することによって、１垂直走査期間において、画素領域Ｐn,mの輝度が相対的に高い期間（以下、「明期間」と呼ぶ）と、画素領域Ｐn,mの輝度が相対的に低い期間（以下、「暗期間」と呼ぶ）とを生じせしめることができる。
【０２４０】
また、１垂直走査期間において、明期間と暗期間が存在することによって、表示パネル１に表示される画像のぼやけを抑制することができる。
【０２４１】
また、１垂直走査期間における明期間の長さと暗期間の長さとは、対向電極ドライバ１４が供給する対向電極信号＃ＣＯＭＬnのデューティ比を変えることにより、調整することが可能である。
【０２４２】
ここで、対向電極信号＃ＣＯＭＬnのデューティ比とは、前記液晶へ正極性の印加電圧が印加された直後の１垂直走査期間においては、当該１垂直走査期間における対向電極信号＃ＣＯＭＬnの電圧レベルが複数の電圧レベルのうち最小の電圧レベルをとる期間の割合のことであり、前記液晶へ負極性の印加電圧が印加された直後の１垂直走査期間においては、当該１垂直走査期間における対向電極信号＃ＣＯＭＬnの電圧レベルが複数の電圧レベルのうち最大の電圧レベルをとる期間の割合のことである。また、デューティ比とは、１垂直走査期間における「明期間」の割合に対応している。
【０２４３】
以下では、図１１の（ａ）〜（ｄ）、および、図１２の（ａ）〜（ｄ）を参照して、対向電極ドライバ１４が供給するデューティ比の異なる２つの対向電極信号＃ＣＯＭＬnについて説明する。
【０２４４】
図１１の（ａ）は、ソースバスラインＳＬmに供給されるソース信号＃ＳＬmの波形の一例を示すタイミングチャートである。図１１の（ａ）に示すように、ソース信号＃ＳＬmの波形が図８の（ａ）に示すソース信号＃ＳＬmと同様の波形である場合を例にとる。
【０２４５】
図１１の（ｂ）は、ゲートバスラインＧＬnに供給されるゲート信号＃ＧＬnの波形を示すタイミングチャートである。図１１の（ｂ）に示すように、ゲート信号＃ＧＬnの波形が図３の（ｂ）に示すゲート信号＃ＧＬnの波形とほぼ同様の波形である場合を例にとる。
【０２４６】
図１１の（ｃ）は、液晶電極ＰＥn,mの電位ＶPEn,mを示すタイミングチャートである。
【０２４７】
図１１の（ｄ）は、対向電極バスラインＣＯＭＬnに供給される対向電極信号＃ＣＯＭＬnの波形であって、デューティ比が約１０パーセントとなるように設定された波形を示すタイミングチャートである。図１１の（ｄ）に示すように、対向電極信号＃ＣＯＭＬnは、連続する２つの垂直走査期間Ｔv’’’を１周期として、電位ＶCOM21、電位ＶCOM22、および、電位ＶCOM23をとる信号である。より具体的には、図１１の（ｄ）に示すように、対向電極信号＃ＣＯＭＬnは、１垂直走査期間Ｔv’’’における期間ＴBにおいて電位ＶCOM22をとり、期間ＴDにおいて電位ＶCOM21をとる。また、対向電極信号＃ＣＯＭＬnは、それに引き続く垂直走査期間Ｔv’’における期間ＴBにおいて電位ＶCOM22をとり、期間ＴDにおいて電位ＶCOM23をとる。なお、図１１の（ｄ）に示すように、電位ＶCOM21、電位ＶCOM22、および、電位ＶCOM23の具体的な値は、ＶCOM21＜ＶCOM22＜ＶCOM23を満たすものとする。
【０２４８】
図１１の（ｂ）に示すように、時刻ｔ21においてゲート信号＃ＧＬnがローレベルからハイレベルに立ち上がり、一定期間経過後、ローレベルへと立ち下がる。図１１の（ｃ）に示すように、時刻ｔ21から時刻ｔ22までの期間において、画素電極ＰＥn,mの電位ＶPEn,mは、電位Ｖ21から電位Ｖ22（Ｖ22＜ＶCOM23）まで減少する。
【０２４９】
また、時刻ｔ22において、対向電極信号＃ＣＯＭＬnが、電位ＶCOM23から電位ＶCOM22まで立ち下がる。それに伴い、画素電極ＰＥn,mの電位ＶPEn,mは、電位Ｖ22から電位Ｖ23へと変化する。ここで、電位Ｖ23の具体的な値は、
Ｖ23＝（ＶCOM22−ＶCOM23）×ＣLC／ΣＣ＋Ｖ22
によって定まる。なお、上述のように、ＶCOM22＜ＶCOM23であるので、電位Ｖ23は、電位Ｖ22よりも小さい。
【０２５０】
続いて、時刻ｔ23において、対向電極信号＃ＣＯＭＬnが、電位ＶCOM22から電位ＶCOM21まで立ち下がる。それに伴い、画素電極ＰＥn,mの電位ＶPEn,mは、電位Ｖ23から電位Ｖ24へと変化する。ここで、電位Ｖ24の具体的な値は、
Ｖ24＝（ＶCOM21−ＶCOM22）×ＣLC／ΣＣ＋Ｖ23
によって定まる。なお、上述のように、ＶCOM21＜ＶCOM22であるので、電位Ｖ24は、電位Ｖ23よりも小さい。
【０２５１】
また、電位Ｖ23、電位Ｖ24、電位ＶCOM21、および、電位ＶCOM22は、
ＶCOM21−Ｖ24−（ＶCOM22−Ｖ23）＝（ＶCOM21−ＶCOM22）×（ΣＣ−ＣLC）／ΣＣ
を満たし、上記のように、ＶCOM21＜ＶCOM22であるので、ＶCOM21−Ｖ24＜ＶCOM22−Ｖ23が成り立つ。すなわち、時刻ｔ23から時刻ｔ24までの期間における画素電極ＰＥn,mの電位ＶPEn,mと対向電極ＥCOMn,mの電位ＶECOMn,mとの電位差は、時刻ｔ22から時刻ｔ23までの期間における画素電極ＰＥn,mの電位ＶPEn,mと対向電極ＥCOMn,mの電位ＶECOMn,mとの電位差よりも小さい。したがって、時刻ｔ23から時刻ｔ24までの期間における画素領域Ｐn,mの輝度は、時刻ｔ22から時刻ｔ23までの期間における画素領域Ｐn,mの輝度よりも小さい。
【０２５２】
図１１の（ａ）および図１１の（ｄ）に示すように、負極性のソース信号＃ＳＬmが印加された直後の１垂直走査期間Ｔv’’’において、対向電極信号＃ＣＯＭＬnの電圧レベルが相対的に高い期間である期間ＴB（時刻ｔ22から時刻ｔ23までの期間）は、１垂直走査期間Ｔv’’’の約１０パーセントであり、対向電極信号＃ＣＯＭＬnの電圧レベルが相対的に低い期間である期間ＴD（時刻ｔ23から時刻ｔ24までの期間）は１垂直走査期間Ｔv’’’の約９０パーセントである。すなわち、図１１の（ｄ）に示す対向電極信号＃ＣＯＭＬnのデューティ比は約１０パーセントである。また、図１１の（ｄ）に示す期間ＴBは「明期間」に対応し、期間ＴDは、「暗期間」に対応する。
【０２５３】
このように、対向電極ドライバ１４は、デューティ比が約１０パーセントである対向電極信号＃ＣＯＭＬnを供給することによって、１垂直走査期間のうち約１０パーセントの期間を「明期間」とし、約９０パーセントの期間を「暗期間」とすることができる。
【０２５４】
一方で、図１２の（ｄ）は、デューティ比が約９０パーセントである対向電極信号＃ＣＯＭＬnの波形を示すタイミングチャートである。図１２の（ａ）に示すソース信号＃ＳＬm、および、図１２の（ｂ）に示すゲート信号＃ＧＬnは、それぞれ、図１１の（ａ）に示すソース信号＃ＳＬm、および、図１１の（ｂ）に示すゲート信号＃ＧＬnと同様の信号である。また、図１２の（ｃ）は、液晶電極ＰＥn,mの電位ＶPEn,mを示すタイミングチャートである。
【０２５５】
図１２の（ａ）および、図１２の（ｄ）に示すように、負極性のソース信号＃ＳＬmが印加された直後の１垂直走査期間Ｔv’’’において、対向電極信号＃ＣＯＭＬnの電圧レベルが相対的に高い期間である期間ＴB’（時刻ｔ22から時刻ｔ23’までの期間）は、１垂直走査期間Ｔv’’’の約９０パーセントであり、対向電極信号＃ＣＯＭＬnの電圧レベルが相対的に低い期間である期間ＴD（時刻ｔ23’から時刻ｔ24までの期間）は１垂直走査期間Ｔv’’’の約１０パーセントである。すなわち、図１２の（ｄ）に示す対向電極信号＃ＣＯＭＬnのデューティ比は約９０パーセントである。また、図１２の（ｄ）に示す期間ＴB’は「明期間」に対応し、期間ＴD’は、「暗期間」に対応する。
【０２５６】
このように、対向電極ドライバ１４は、デューティ比が約９０パーセントである対向電極信号＃ＣＯＭＬnを供給することによって、１垂直走査期間のうち約９０パーセントの期間を「明期間」とし、約１０パーセントの期間を「暗期間」とすることができる。
【０２５７】
このように、対向電極ドライバ１４は、対向電極信号＃ＣＯＭＬnのデューティ比を変更することによって、１垂直走査期間における「明期間」と「暗期間」の割合を変更することができる。
【０２５８】
図１３は、上記デューティ比と輝度との関係を示すグラフである。図１３の縦軸は、最低輝度を０．０、最高輝度を１．０とした相対輝度を表しており、図１３の横軸は、上記デューティ比を表している。
【０２５９】
図１３に示すように、デューティ比が大きいほど、相対輝度は大きい。
【０２６０】
また、図１４は、上記デューティ比と表示パネル１に表示される動画像の視認性との関係を示す実験データのグラフである。
【０２６１】
図１４の縦軸は、表示パネル１に表示される動画像を観察する観察者が感じる視認性を５段階評価で表しており、当該視認性が高いほど、観察者によって当該動画像がよりクリアに、すなわち、よりぼやけが少なく見えていることを示している。図１４の横軸は、上述したデューティ比を表している。
【０２６２】
図１４における黒塗りの四角印は、複数の観察者のそれぞれによってなされた視認性の評価のうち、最も高い評価に対応する実験データであり、図１４における白抜きの三角印は、複数の観察者のそれぞれによってなされた視認性の評価のうち、最も低い評価に対応する実験データであり、図１４における黒塗りの三角印は複数の観察者のそれぞれによってなされた視認性の評価の平均値を示している。
【０２６３】
図１４に示すように、デューティ比が約１０パーセント以下では、全ての観察者が視認性に対して最高の評価を行っている。一方で、デューティ比が約９０パーセント以上になると、ほとんどの観察者が視認性の変化を感じ取ることができないことがわかる。
【０２６４】
図１４に示された実験データから、上述したデューティ比の設定は、約１０パーセントから約９０パーセントの範囲内で行うことが好ましいことがわかる。
【０２６５】
以上のように、前記矩形状の電圧信号（対向電極信号＃ＣＯＭＬn）は、前記１走査期間（１垂直走査期間Ｔv’’’）の開始から前記１走査期間の略１０パーセントの期間が経過するまでの期間において、前記第１の電圧レベル、前記第２の電圧レベル、または、前記第３の電圧レベルのうち何れか１つの電圧レベル（すなわち、電位ＶCOM21、電位ＶCOM22、または、電位ＶCOM23のうち何れか１つの電圧レベル）をとり、前記１走査期間の略９０パーセントの期間が経過してから前記１走査期間が終了するまでの期間において、前記第１の電圧レベル、前記第２の電圧レベル、または、前記第３の電圧レベルのうち他の１つの電圧レベル（すなわち、電位ＶCOM21、電位ＶCOM22、または、電位ＶCOM23のうち他の１つの電圧レベル）をとる。
【０２６６】
上述のように、明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０２６７】
したがって、上記の構成によれば、上記動画ボケの現象を効果的に抑制することができる。
【０２６８】
また、前記矩形状の電圧信号（対向電極信号＃ＣＯＭＬn）が２つの前記走査期間において、前記第１の電圧レベル、前記第２の電圧レベル、前記第３の電圧レベル、および、前記第４の電圧レベルをとる場合であっても、前記矩形状の電圧信号（対向電極信号＃ＣＯＭＬn）は、前記１走査期間の開始から前記１走査期間の略１０パーセントの期間が経過するまでの期間において、前記第１の電圧レベル、前記第２の電圧レベル、前記第３の電圧レベル、または、前記第４の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、前記第３の電圧レベル、または、前記第４の電圧レベルのうち他の１つの電圧レベルをとる、ことが好ましい。
【０２６９】
上述のように、明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０２７０】
したがって、上記の構成によれば、上記動画ボケの現象を効果的に抑制することができるという更なる効果を奏する。
【０２７１】
また、本実施形態に係る表示パネル１においては、ソースドライバ１２は、対向電極信号＃ＣＯＭＬ1〜＃ＣＯＭＬNの振幅の大きさに応じて、ソース信号＃ＳＬ1〜＃ＳＬMの振幅の大きさを変更するような構成とすることが好ましい。
【０２７２】
図１５の（ａ）は、ゲート信号＃ＧＬnの波形を示すタイミングチャートであり、図１５の（ｂ）は、振幅のより小さい対向電極信号＃ＣＯＭＬnの波形を示すタイミングチャートであり、図１５の（ｃ）は、図１５の（ｂ）に示す対向電極信号＃ＣＯＭＬnが供給されている場合の、画素電極ＰＥn,mに印加される電位ＶPEn,mの波形の一例を示すタイミングチャートであり、図１５の（ｄ）は、振幅のより大きい対向電極信号＃ＣＯＭＬnの波形を示すタイミングチャートであり、図１５の（ｅ）は、図１５の（ｄ）に示す対向電極信号＃ＣＯＭＬnが供給されている場合の、画素電極ＰＥn,mに印加される電位ＶPEn,mの波形の一例を示すタイミングチャートである。
【０２７３】
図１５の（ｃ）に示す振幅Ａ1、および、図１５の（ｅ）に示す振幅Ａ2は、ソース信号＃ＳＬmの振幅を表している。
【０２７４】
図１５の（ｂ）〜（ｅ）に示すように、例えば、対向電極ドライバ１４は、ソース信号＃ＳＬmの振幅がより大きい場合には、振幅のより小さい対向電極信号＃ＣＯＭＬnを供給し、ソース信号＃ＳＬmの振幅がより小さい場合には、振幅のより大きい対向電極信号＃ＣＯＭＬnを供給する。
【０２７５】
図１６は、対向電極信号＃ＣＯＭＬnの振幅を１．０ボルト、１．５ボルト、または、２．０ボルトとしたときのソース信号＃ＳＬmの振幅と、画素領域Ｐn,mの輝度との関係を示すグラフである。図１６の縦軸は、ソース信号＃ＳＬmの振幅を表し（単位：ボルト）、図１６の横軸は、最低輝度を０．０、最高輝度を１．０とした相対輝度を表している。また、図１６における実線は対向電極信号＃ＣＯＭＬnの振幅が２．０ボルトである場合を示しており、図１６における点線は対向電極信号＃ＣＯＭＬnの振幅が１．５ボルトである場合を示しており、図１６における太線は対向電極信号＃ＣＯＭＬnの振幅が１．０ボルトである場合を示している。
【０２７６】
図１６に示すように、ソース信号＃ＳＬmの振幅と相対輝度との間には、ソース信号＃ＳＬmの振幅が増加すると、相対輝度が増加するという正の相関がある。また、対向電極信号＃ＣＯＭＬnの振幅がより小さくなると、相対輝度の変化は、ソース信号＃ＳＬmの変化に対して、より敏感になる。すなわち、対向電極信号＃ＣＯＭＬnの振幅がより小さくなると、図１６に示すグラフの傾きは、より小さくなる。
【０２７７】
換言すれば、ソースドライバ１２は、対向電極信号＃ＣＯＭＬnの振幅がより小さい場合には、相対輝度に対するソース信号＃ＳＬmの振幅の変化の割合がより小さくように、ソース信号＃ＳＬmを供給し、対向電極信号＃ＣＯＭＬnの振幅がより大きい場合には、相対輝度に対するソース信号＃ＳＬmの振幅の変化の割合がより多くなるように、ソース信号＃ＳＬmを供給する。
【０２７８】
また、図１６に示すように、ソース信号＃ＳＬmの振幅と対向電極信号＃ＣＯＭＬnの振幅との関係は、ソース信号＃ＳＬmの振幅が基準ソース振幅ＳＬST未満であるか否かに応じて変わる。ここで、基準ソース振幅ＳＬSTとは、対向電極信号＃ＣＯＭＬnの振幅を変化させても、相対輝度は不変であるようなソース信号＃ＳＬmの振幅の値のことである。
【０２７９】
図１６に示すように、ソース信号＃ＳＬmの振幅が基準ソース振幅ＳＬSTである場合には、対向電極信号＃ＣＯＭＬnの振幅を変化させても、相対輝度は不変である。以下では、ソース信号＃ＳＬmの振幅が基準ソース振幅ＳＬSTであるときの相対輝度を基準相対輝度ＢＲSTと呼ぶことにする。
【０２８０】
また、図１６に示すように、相対輝度が基準相対輝度ＢＲST未満である範囲において当該相対輝度を一定に保つためには、対向電極信号＃ＣＯＭＬnの振幅がより大きいときに、より振幅の小さいソース信号＃ＳＬmを供給すればよく、相対輝度が基準相対輝度ＢＲST以上である範囲において当該相対輝度を一定に保つためには、対向電極信号＃ＣＯＭＬnの振幅がより大きいときに、より振幅の大きいソース信号＃ＳＬmを供給すればよい。
【０２８１】
換言すれば、ソース信号＃ＳＬmの振幅が基準ソース振幅ＳＬST未満である場合に当該相対輝度を一定に保つためには、対向電極信号＃ＣＯＭＬnの振幅がより大きいときに、より振幅の小さいソース信号＃ＳＬmを供給すればよく、ソース信号＃ＳＬmの振幅が基準ソース振幅ＳＬST以上である場合に当該相対輝度を一定に保つためには、対向電極信号＃ＣＯＭＬnの振幅がより大きいときに、より振幅の大きいソース信号＃ＳＬmを供給すればよい。
【０２８２】
また、上述したような、対向電極バスラインＣＯＭＬ1〜ＣＯＭＬNに対し複数の電圧レベルからなる矩形状の対向電極信号＃ＣＯＭＬ1〜＃ＣＯＭＬNを供給するための具体的な構成は、例えば、対向電極ドライバ１４が、当該複数の電圧レベルを供給する複数の電源と、当該複数の電源から供給される電圧レベルのうち、何れかを選択するセレクタとを備えることによって実現することができる。
【０２８３】
図１７は、４値の電圧レベルからなる対向電極信号＃ＣＯＭＬ1〜＃ＣＯＭＬNを供給するための、対向電極ドライバ１４の構成を示すブロック図である。
【０２８４】
図１７に示すように、対向電極ドライバ１４は、第１の電源Ｂ１、第２の電源Ｂ２、第３の電源Ｂ３、および、第４の電源Ｂ４を備えている。また、図１７に示すように、対向電極ドライバ１４は、対向電極バスラインＣＯＭＬn（１≦ｎ≦Ｎ）に接続された第ｎのセレクタＳＥＬn（１≦ｎ≦Ｎ）を備えている。
【０２８５】
また、図１７に示すように、第ｎのセレクタＳＥＬnには、制御部１１から出力される制御信号＃１１ｃが供給される。
【０２８６】
図１７に示すように、第１の電源Ｂ１から出力される第１の電位、第２の電源から出力される第２の電位、第３の電源から出力される第３の電位、および、第４の電源から出力される第４の電位は、第ｎのセレクタＳＥＬn（１≦ｎ≦Ｎ）に供給されている。第ｎのセレクタＳＥＬnは、上記第１の電位、第２の電位、第３の電位、および、第４の電位のうち、制御信号＃１１ｃに応じて、何れか１つの電位を選択し、対向電極バスラインＣＯＭＬnに対して供給する。
【０２８７】
なお、上記第１〜第４の電源の具体的な構成は、本発明を限定するものではないが、例えば、それぞれ、上記第１〜第４の電位に対応するデジタル値が入力されるＤＡＣ（Ｄｉｇｉｔａｌ−Ａｎａｌｏｇ  Ｃｏｎｖｅｒｔｅｒ）を用いてもよいし、他の構成を用いてもよい。
【０２８８】
上記のように、本発明に係る表示パネル１における前記対向電極ドライバ１４は、前記矩形状の電圧信号（対向電極信号＃ＣＯＭＬn）の振幅の大きさを変更する振幅変更手段を備えていることが好ましい。
【０２８９】
このように、対向電極ドライバ１４が、前記矩形状の電圧信号の振幅の大きさを変更する振幅変更手段を備えることによって、より効果的に動画ボケの現象を抑制することができる。
【０２９０】
また、上記のように、前記ソースドライバ１２は、予め定められた基準振幅未満の振幅の前記ソース信号＃ＳＬmを供給する場合には、前記矩形状の電圧信号（対向電極信号＃ＣＯＭＬn）の振幅がより小さいときに、より振幅の大きな前記ソース信号＃ＳＬmを供給し、前記矩形状の電圧信号（対向電極信号＃ＣＯＭＬn）の振幅がより大きいときに、より振幅の小さな前記ソース信号＃ＳＬmを供給し、予め定められた基準ソース振幅以上の振幅の前記ソース信号＃ＳＬmを供給する場合には、前記矩形状の電圧信号（対向電極信号＃ＣＯＭＬn）の振幅がより小さいときに、より振幅の小さな前記ソース信号＃ＳＬmを供給し、前記矩形状の電圧信号（対向電極信号＃ＣＯＭＬn）の振幅がより大きいときに、より振幅の大きな前記ソース信号＃ＳＬmを供給することが好ましい。
【０２９１】
なお、上記基準振幅としては、例えば、上述した基準ソース振幅ＳＬSTをとればよい。
【０２９２】
上記の構成によれば、前記矩形状の電圧信号（対向電極信号＃ＣＯＭＬn）の振幅がより大きい場合であっても、前記矩形状の電圧信号の振幅がより小さい場合であっても、上記動画ボケの現象を効果的に抑制することができる。
【０２９３】
なお、前記ソース信号の振幅とは、正極性書き込み時における前記ソース信号の電位から負極性書き込み時における前記ソース信号の電位を引き算したものとして定義されるものとする（以下同様）。また、正極性書き込み時とは、前記導通信号供給時であって前記矩形状の電圧信号が最も高い電圧レベルである場合を指し、負極性書き込み時とは、前記導通信号供給時であって前記矩形状の電圧信号が低い高い電圧レベルである場合を指す（以下同様）。
【０２９４】
〔実施形態２〕
実施形態１においては、表示パネル１が、Ｎ本のゲートバスラインＧＬ1〜ＧＬN、および、Ｎ本の対向電極バスラインＣＯＭＬ1〜ＣＯＭＬNを備える構成について説明を行ったが、本発明はこれに限られるものではない。
【０２９５】
以下では、図１８および図１９の（ａ）〜（ｂ）を参照して、本発明の第２の実施形態に係る表示パネル２について説明を行う。なお、すでに説明した部分については、同じ符号を付し、説明を省略する。
【０２９６】
図１８は、本実施形態に係る表示パネル２の構成を示すブロック図である。図１８に示すように、表示パネル２は、表示パネル１における対向電極ドライバ１４に代えて、対向電極ドライバ２４を備えており、表示パネル１における表示部１６に代えて、表示部２６を備えている。
【０２９７】
図１８に示すように、表示部２６には、Ｎ本のゲートバスラインＧＬ1〜ＧＬN（本実施形態においては、Ｎは偶数であるとして説明を行う）とＭ本のソースバスラインＳＬ1〜ＳＬMとに加えて、Ｎ／２本の対向電極バスラインＣＯＭＬ1〜ＣＯＭＬN/2が形成されている。
【０２９８】
また、図１８に示すように、ゲートバスラインＧＬn（ｎは奇数とする）によって画定される画素領域Ｐn,mに形成された対向電極ＥCOMn,m、および、ゲートバスラインＧＬn+1によって画定される画素領域Ｐn+1,mに形成された対向電極ＥCOMn+1,mは、共に、対向電極バスラインＣＯＭＬp（ｐ＝（ｎ＋１）／２）に接続されている。
【０２９９】
対向電極ドライバ２４は、Ｎ／２本の対向電極バスラインＣＯＭＬ1〜ＣＯＭＬN/2のそれぞれに対して、対向電極信号＃ＣＯＭＬ1〜＃ＣＯＭＬN/2を供給する。
【０３００】
また、本実施形態におけるソースドライバ１２は、ソースバスラインＳＬmに対し、連続する２つの水平走査期間ごとに極性が反転するソース信号を供給するものとして説明を行う。
【０３０１】
表示パネル２のその他の構成は、表示パネル１と同様である。
【０３０２】
図１９の（ａ）は、表示パネル２におけるゲートドライバ１３が、ゲートバスラインＧＬn〜ＧＬn+3のそれぞれに対して供給するゲート信号＃ＧＬn〜＃ＧＬn+3の波形の一例を示すタイミングチャートであり、図１９の（ｂ）は、表示パネル２における対向電極ドライバ２４が、対向電極バスラインＣＯＭＬp（ｐ＝（ｎ＋１）／２）および対向電極バスラインＣＯＭＬp+1のそれぞれに対して供給する対向電極信号＃ＣＯＭＬpおよび対向電極信号＃ＣＯＭＬp+1の波形の一例を示すタイミングチャートである。
【０３０３】
図１９の（ａ）〜（ｂ）に示すように、対向電極ドライバ２４は、ゲート信号＃ＧＬn、および、ゲート信号＃ＧＬn+1に同期して、対向電極バスラインＣＯＭＬp（ｐ＝（ｎ＋１）／２）に対して、対向電極信号＃ＣＯＭＬp（ｐ＝（ｎ＋１）／２）を供給し、ゲート信号＃ＧＬn+2、および、ゲート信号＃ＧＬn+3に同期して、対向電極バスラインＣＯＭＬp+1（ｐ＝（ｎ＋１）／２）に対して、対向電極信号＃ＣＯＭＬp+1（ｐ＝（ｎ＋１）／２）を供給する。
【０３０４】
このように、本実施形態に係る表示パネル２においては、前記複数のゲートバスラインＧＬ1〜ＧＬNの本数は偶数であり、前記複数の対向電極バスラインの本数は、前記ゲートバスラインの本数の半数（すなわちＮ／２本）であり、前記複数のゲートバスラインのうち２ｋ−１番目（ｋは自然数）のゲートバスラインＧＬ2k-1に前記トランジスタＭ2k-1,mを介して接続された前記画素電極ＰＥ2k-1,mに対向する前記対向電極ＥCOM2k-1,mと、前記複数のゲートバスラインのうち２ｋ番目のゲートバスラインＧＬ2kに前記トランジスタＭ2k,mを介して接続された前記画素電極ＰＥ2k,mに対向する前記対向電極ＥCOM2k,mとが、前記複数の対向電極バスラインのうちｋ番目の対向電極バスラインＣＯＭＬkに接続されている。
【０３０５】
本実施形態に係る表示パネル２は、実施形態１における表示パネル１に比べて、対向電極バスラインの本数を半分にすることができる。したがって、表示パネル２における表示部２６の構成を、表示パネル１における表示部１６の構成に比べて簡単にすることができる。また、表示パネル２における対向電極ドライバ２４は、Ｎ／２本の対向電極バスラインＣＯＭＬ1〜ＣＯＭＬN/2のそれぞれに対して、対向電極信号＃ＣＯＭＬ1〜＃ＣＯＭＬN/2を供給すればよいので、Ｎ本の対向電極バスラインＣＯＭＬ1〜ＣＯＭＬNのそれぞれに対して、対向電極信号＃ＣＯＭＬ1〜＃ＣＯＭＬNを供給する表示パネル１における対向電極ドライバ１４に比べて構成を簡単にすることができる。すなわち、本実施形態に係る表示パネル２によれば、実施形態１における表示パネル１に比べてより簡単な構成により、上記動画ボケの現象を抑制することができる。
【０３０６】
〔実施形態３〕
以下では、図２０および図２１を参照して、本発明の第３の実施形態に係る表示パネル３について説明する。
【０３０７】
図２０は、本実施形態に係る表示パネル３の構成を示すブロック図である。図２０に示すように、表示パネル３は、制御部３１、ソースドライバ１２、対向電極ドライバ１４１、対向電極ドライバ１４２、および、表示部３６を備えている。また、表示パネル３は、図示しないゲートドライバ、および、図示しない補助容量ドライバを備えている。ここで、上記図示しないゲートドライバ、および、上記図示しない補助容量ドライバは、それぞれ、表示パネル１におけるゲートドライバ１３、および、補助容量ドライバ１５と同様の構成である。
【０３０８】
図２０に示すように、表示部３６の両側には、それぞれ、対向電極ドライバ１４１、および、対向電極ドライバ１４２が配置されている。また、対向電極ドライバ１４１には、制御部３１から制御信号＃１１ｃ２が供給され、対向電極ドライバ１４２には、制御部３１から制御信号＃１１ｃ１が供給されている。
【０３０９】
表示部３６には、Ｍ本のソースバスラインＳＬ1〜ＳＬM、および、図示しないＮ本のゲートバスラインが形成されている。なお、当該図示しないＮ本のゲートバスラインは、表示パネル１におけるＮ本のゲートバスラインＧＬ1〜ＧＬNと同様の構成である。また、表示部３６には、表示パネル１における補助容量バスラインＣＳＬと同様の図示しない補助容量バスラインが形成されている。
【０３１０】
また、図２０に示すように、表示部３６の左側半面には、ソースバスラインＳＬ1〜ＳＬMとほぼ垂直に、Ｎ本の対向電極バスラインＣＯＭＬＬ1〜ＣＯＭＬＬNが形成されており、表示部３６の右側半面には、ソースバスラインＳＬ1〜ＳＬMとほぼ垂直に、Ｎ本の対向電極バスラインＣＯＭＬＲ1〜ＣＯＭＬＲNが形成されている。また、Ｎ本の対向電極バスラインＣＯＭＬＬ1〜ＣＯＭＬＬNとＮ本の対向電極バスラインＣＯＭＬＲ1〜ＣＯＭＬＲNとは互いに絶縁されている。また、図２０に示すように、対向電極バスラインＣＯＭＬＬnと対向電極バスラインＣＯＭＬＲnとは、同一直線上に配置されている。したがって、換言すれば、本実施形態においては、表示パネル１における対向電極バスラインＣＯＭＬnが、絶縁部を介して同一直線上に形成された２本の対向電極バスラインＣＯＭＬＬn、および、対向電極バスラインＣＯＭＬＲnから構成されている。
【０３１１】
また、Ｎ本の対向電極バスラインＣＯＭＬＬ1〜ＣＯＭＬＬNのぞれぞれの一端は、対向電極ドライバ１４１に接続されており、Ｎ本の対向電極バスラインＣＯＭＬＲ1〜ＣＯＭＬＲNのぞれぞれの一端は、対向電極ドライバ１４２に接続されている。
【０３１２】
対向電極ドライバ１４１は、対向電極バスラインＣＯＭＬＬ1〜ＣＯＭＬＬNに対し、それぞれ、対向電極信号＃ＣＯＭＬＬ1〜＃ＣＯＭＬＬNを供給し、対向電極ドライバ１４２は、対向電極バスラインＣＯＭＬＲ1〜ＣＯＭＬＲNに対し、それぞれ、対向電極信号＃ＣＯＭＬＲ1〜＃ＣＯＭＬＲNを供給する。
【０３１３】
図２１は、図２０に示す領域Ｒにおける表示部３６の構成を示す回路図である。図２１に示すように、ソースバスラインＳＬ1〜ＳＬkによって画定される画素領域Ｐn,1〜Ｐn,kにそれぞれ形成されている対向電極ＥCOMn,1〜ＥCOMn,kは、対向電極バスラインＣＯＭＬＬnに接続されており、ソースバスラインＳＬk+1〜ＳＬMによって画定される画素領域Ｐn,k+1〜Ｐn,Mにそれぞれ形成されている対向電極ＥCOMn,k+1〜ＥCOMn,Mは、対向電極バスラインＣＯＭＬＲnに接続されている。画素領域Ｐs,1〜Ｐs,k、（ｓ≠ｎ、１≦ｓ≦Ｎ）および、画素領域Ｐs,k+1〜Ｐs,M（ｓ≠ｎ、１≦ｓ≦Ｎ）に対しても同様である。
【０３１４】
ここで、上記ｋの値は、Ｍ／２程度であることが好ましい。ここで、Ｍはソースバスラインの本数である。また、上記ｋの値は、ほぼ０．４５×Ｍから０．５５×Ｍまでの範囲であることが好ましい。
【０３１５】
対向電極ドライバ１４１、および、対向電極ドライバ１４２は、実施形態１において説明した対向電極ドライバ１４と同様の動作を行う構成としてもよいし、互いに異なる対向電極信号を供給するような構成としてもよい。例えば、対向電極ドライバ１４１が実施形態１の動作例２のような対向電極信号＃ＣＯＭＬＬ1〜＃ＣＯＭＬＬNを供給し、対向電極ドライバ１４２が実施形態１の動作例５のような対向電極信号ＣＯＭＬＲ1〜＃ＣＯＭＬＲNを供給してもよい。また、対向電極ドライバ１４１が出力する対向電極信号＃ＣＯＭＬＬ1〜＃ＣＯＭＬＬNのデューティ比と、対向電極ドライバ１４２が出力する対向電極信号＃ＣＯＭＬＲ1〜＃ＣＯＭＬＲNのデューティ比とが異なるような構成としてもよい。
【０３１６】
また、ソースドライバ１２が、ソースバスラインＳＬ1〜ＳＬkに対し、図１５の（ｃ）に示すような振幅のより大きいソース信号＃ＳＬ1〜＃ＳＬkを供給し、ソースバスラインＳＬk+1〜ＳＬMに対し、図１５の（ｅ）に示すような振幅のより小さいソース信号＃ＳＬk+1〜＃ＳＬMを供給する場合には、対向電極ドライバ１４１は、対向電極バスラインＣＯＭＬＬ1〜ＣＯＭＬＬNに対し、図１５の（ｂ）に示すような振幅のより小さい対向電極信号＃ＣＯＭＬＬ1〜＃ＣＯＭＬＬNを供給し、対向電極ドライバ１４２は、対向電極バスラインＣＯＭＬＲ1〜ＣＯＭＬＲNに対し、図１５の（ｄ）に示すような振幅のより大きい対向電極信号＃ＣＯＭＬＲ1〜＃ＣＯＭＬＲNを供給することが好ましい。
【０３１７】
上記のように、本実施形態に係る表示パネル３は、２つの前記対向電極ドライバ（対向電極ドライバ１４１、および、対向電極ドライバ１４２）を備え、前記任意の対向電極バスライン（対向電極バスラインＣＯＭＬn）は、絶縁部を介して同一直線上に形成された２本の対向電極バスライン（対向電極バスラインＣＯＭＬＬn、および、対向電極バスラインＣＯＭＬＲn）から構成され、２つの前記対向電極ドライバのうち一方の前記対向電極ドライバ（対向電極ドライバ１４１）は、前記１走査期間において、前記２本の対向電極バスラインのうち一方の対向電極バスライン（対向電極バスラインＣＯＭＬＬn）に対し、前記導通信号（ゲート信号ＧＬnのハイレベル区間）に同期して、第１の電圧レベルおよび前記第１の電圧レベルと異なる第２の電圧レベルからなる矩形状の電圧信号（対向電極信号＃ＣＯＭＬＬn）を供給し、２つの前記対向電極ドライバのうち他の一方の前記対向電極ドライバ（対向電極ドライバ１４２）は、前記１走査期間において、前記２本の対向電極バスラインのうち他の一方の対向電極バスライン（対向電極バスラインＣＯＭＬＲn）に対し、前記導通信号に同期して、第１の電圧レベルおよび前記第１の電圧レベルと異なる第２の電圧レベルからなる矩形状の電圧信号（対向電極信号＃ＣＯＭＬＲn）を供給する。
【０３１８】
本実施形態に係る表示パネル３によれば、上記一方の対向電極バスライン（対向電極バスラインＣＯＭＬＬn）に接続された画素電極と、上記他の一方の対向電極バスライン（対向電極バスラインＣＯＭＬＲn）に接続された画素電極とに対し、互いに独立に上記矩形状の電圧信号（対向電極信号＃ＣＯＭＬＬn、および、対向電極信号＃ＣＯＭＬＲn）を供給することができる。
【０３１９】
したがって、上記の構成によれば、上記一方の対向電極バスラインに接続された画素電極を備える画素領域と、上記他の一方の対向電極バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果を効果的にアピールすることができる。
【０３２０】
また、上述のように、前記ソースドライバ１２は、前記一方の対向電極バスライン（対向電極バスラインＣＯＭＬＬn）に接続された前記対向電極ＥCOMn,m（ｍ≦ｋ）に対向する前記画素電極ＰＥn,mに前記トランジスタＭn,mを介して接続された前記ソースバスラインＳＬmと、前記他の一方の対向電極バスライン（対向電極バスラインＣＯＭＬＲn）に接続された前記対向電極ＥCOMn,r（ｒ≧ｋ＋１）に対向する前記画素電極ＰＥn,rに前記トランジスタＭn,rを介して接続された前記ソースバスラインＳＬrとに対し、それぞれ振幅の異なったソース信号を供給するような構成としてもよい。
【０３２１】
このように、上記一方の対向電極バスライン（対向電極バスラインＣＯＭＬＬn）に接続された画素電極ＰＥn,m（ｍ≦ｋ）と、上記他の一方の対向電極バスライン（対向電極バスラインＣＯＭＬＲn）に接続された画素電極ＰＥn,m（ｍ≧ｋ＋１）とに対し、互いに独立に上記矩形状の電圧信号（対向電極信号＃ＣＯＭＬＬn、および、対向電極信号＃ＣＯＭＬＲn）を供給することによって、上記動画ボケの現象以外の画像の視認性を同一にしつつ、上記一方の対向電極バスラインに接続された画素電極を備える画素領域と、上記他の一方の対向電極バスラインに接続された画素電極を備える画素領域とが、それぞれ上記動画ボケの現象の改善効果が異なる画像を表示することができるため、ユーザに対して、本発明による上記動画ボケの改善効果をより効果的に訴求することができる。すなわち、ユーザに対して、本発明による上記動画ボケの改善効果をより効果的にアピールすることができる。
【０３２２】
また、上記一方の対向電極バスライン（対向電極バスラインＣＯＭＬＬn）の長さは、上記任意の対向電極バスライン（表示パネル１における対向電極バスラインＣＯＭＬn）の長さの略４５パーセントから略５５パーセントの長さであり、上記他の対向電極バスライン（対向電極バスラインＣＯＭＬＲn）の長さは、上記任意の対向電極バスライン（表示パネル１における対向電極バスラインＣＯＭＬn）の長さから上記一方の対向電極バスライン（対向電極バスラインＣＯＭＬＬn）の長さを引いた長さに略等しい。
【０３２３】
したがって、上記の構成のように構成された表示パネル３によれば、上記表示部３６の一方の半面に配置された画素電極ＰＥn,m（ｎ≦ｋ）を備える画素領域の輝度、および、もう一方の半面に配置された画素電極ＰＥn,m（ｎ≧ｋ＋１）を備える画素領域の輝度を、上記１走査期間において、各々独立に制御することができる。
【０３２４】
また、前記一方の対向電極バスライン（対向電極バスラインＣＯＭＬＬn）の負荷特性と、前記他の一方の対向電極バスライン（対向電極バスラインＣＯＭＬＲn）の負荷特性とを略同一にすることができるため、前記一方の対向電極バスライン（対向電極バスラインＣＯＭＬＬn）に接続された対向電極ドライバ１４１の構成と、前記他の一方の対向電極バスライン（対向電極バスラインＣＯＭＬＲn）に接続された対向電極ドライバ１４２の構成とを略同一にすることができる。
【０３２５】
したがって、上記の構成によれば、設計および製造がより容易な構成によって、ユーザに対して、本発明による上記動画ボケの改善効果を効果的にアピールすることができる。
【０３２６】
また、本発明に係る表示パネル３においては、前記一方の対向電極ドライバ（対向電極ドライバ１４１）は、前記矩形状の電圧信号の振幅の大きさを変更する第１の振幅変更手段（図１７に示す構成と同様の構成）を備えており、前記他の一方の対向電極ドライバ（対向電極ドライバ１４２）は、前記矩形状の電圧信号の振幅の大きさを変更する第２の振幅変更手段（図１７に示す構成と同様の構成）を備えている。
【０３２７】
したがって、前記一方の対向電極ドライバ、および、前記他の一方の対向電極ドライバは、それぞれ振幅の異なった前記矩形状の電圧信号を供給することができる。
【０３２８】
したがって、上記の構成によれば、前記一方の対向電極ドライバ、および、前記他の一方の対向電極ドライバが、それぞれ振幅の異なった前記矩形状の電圧信号を供給することによって、上記一方の対向電極バスラインに接続された画素電極を備える画素領域と、上記他の一方の対向電極バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果をより効果的にアピールすることができる。
【０３２９】
また、本発明に係る表示パネルにおいては、
前記ソースドライバ１２は、
予め定められた基準振幅未満の振幅の前記ソース信号＃ＳＬmを供給する場合には、
前記一方の対向電極ドライバ（対向電極ドライバ１４１）が前記一方の対向電極バスライン（対向電極バスラインＣＯＭＬＬn）に振幅のより小さい前記矩形状の電圧信号（対向電極信号＃ＣＯＭＬＬn）を供給する場合に、前記一方の対向電極バスラインに接続された前記対向電極ＥCOMn,m（ｍ≦ｋ）に対向する前記画素電極ＰＥn,mに前記トランジスタＭn,mを介して接続された前記ソースバスラインＳＬ1〜ＳＬkに対して、振幅のより大きい前記ソース信号＃ＳＬ1〜＃ＳＬkを供給し、
前記一方の対向電極ドライバ（対向電極ドライバ１４１）が前記一方の対向電極バスライン（対向電極バスラインＣＯＭＬＬn）に振幅のより大きい前記矩形状の電圧信号（対向電極信号＃ＣＯＭＬＬn）を供給する場合に、前記一方の対向電極バスラインに接続された前記対向電極ＥCOMn,m（ｍ≦ｋ）に対向する前記画素電極ＰＥn,mに前記トランジスタＭn,mを介して接続された前記ソースバスラインＳＬ1〜ＳＬkに対して、振幅のより小さい前記ソース信号＃ＳＬ1〜＃ＳＬkを供給し、
予め定められた基準振幅以上の振幅の前記ソース信号＃ＳＬmを供給する場合には、
前記他の一方の対向電極ドライバ（対向電極ドライバ１４２）が前記他の一方の対向電極バスライン（対向電極バスラインＣＯＭＬＲn）に振幅のより小さい前記矩形状の電圧信号（対向電極信号＃ＣＯＭＬＲn）を供給する場合に、前記他の一方の対向電極バスラインに接続された前記対向電極ＥCOMn,r（ｒ≧ｋ＋１）に対向する前記画素電極ＰＥn,rに前記トランジスタＭn,rを介して接続された前記ソースバスラインＳＬk+1〜ＳＬMに対して、振幅のより小さい前記ソース信号＃ＳＬk+1〜＃ＳＬMを供給し、
前記他の一方の対向電極ドライバ（対向電極ドライバ１４２）が前記他の一方の対向電極バスライン（対向電極バスラインＣＯＭＬＲn）に振幅のより大きい前記矩形状の電圧信号（対向電極信号＃ＣＯＭＬＲn）を供給する場合に、前記他の一方の対向電極バスラインに接続された前記対向電極ＥCOMn,r（ｒ≧ｋ＋１）に対向する前記画素電極ＰＥn,rに前記トランジスタＭn,rを介して接続された前記ソースバスラインＳＬk+1〜ＳＬMに対して、振幅のより大きい前記ソース信号＃ＳＬk+1〜＃ＳＬMを供給する。
【０３３０】
なお、上記基準振幅としては、例えば、上述した基準ソース振幅ＳＬSTをとればよい。
【０３３１】
上記の構成によれば、上記動画ボケの現象以外の画像の視認性を同一にしつつ、上記一方の対向電極バスラインに接続された対向電極を備える画素領域と、上記他の一方の対向電極バスラインに接続された対向電極を備える画素領域とが、それぞれ上記動画ボケの現象の改善効果が異なる画像を表示することができる。したがって、ユーザに対して、本発明による上記動画ボケの改善効果をより効果的にアピールすることができる。
【０３３２】
〔実施形態４〕
実施形態１〜３においては、主に、ライン反転駆動方式に対する本発明の適用について説明を行ったが、本発明はこれに限定されるものではない。以下では、隣り合う画素電極に対して、互いに反対極性のソース信号が供給されるドット反転駆動方式に対して本発明を適用した場合について図２２および図２３を参照して説明を行う。
【０３３３】
図２２は、本実施形態に係る表示パネルにおける表示部４６の構成を示す回路図である。本実施形態に係る表示パネルの他の構成は、実施形態１における表示パネル１の構成と同様である。
【０３３４】
図２３は、表示部４６の各画素電極に印加されるソース信号の極性を示す図である。図２３に示すように、本実施形態においては、互いに隣接する画素に対して、互いに反対極性のソース信号が印加される。このようなドット反転駆動を行うためには、例えば、本実施形態におけるソースドライバが、任意のタイミングにおいて、ソース信号＃ＳＬmの極性とソース信号＃ＳＬm+1の極性とが互いに反対の極性であるようなソース信号＃ＳＬ1〜＃ＳＬMを供給するような構成とすればよい。
【０３３５】
図２２に示すように、表示部４６における画素領域Ｐn,mに形成された対向電極ＥCOMn,mは、対向電極バスラインＣＯＭＬnに接続され、画素領域Ｐn,m+1に形成された対向電極ＥCOMn,m+1は、対向電極バスラインＣＯＭＬn-1に接続されている。
【０３３６】
また、画素領域Ｐn+1,mに形成された対向電極ＥCOMn+1,mは、対向電極バスラインＣＯＭＬn+1に接続され、画素領域Ｐn+1,m+1に形成された対向電極ＥCOMn+1,m+1は、対向電極バスラインＣＯＭＬnに接続されている。
【０３３７】
また、本実施形態における対向電極ドライバは、対向電極信号＃ＣＯＭＬnの極性と対向電極信号＃ＣＯＭＬn+1の極性とが反対の極性であるような対向電極信号＃ＣＯＭＬ1〜＃ＣＯＭＬNを供給する。これは、例えば、本実施形態における対向電極ドライバを実施形態１における対向電極ドライバ１４と同様の構成とすることによって実現することができる。
【０３３８】
このように、本実施形態に係る表示パネルにおいては、前記複数のゲートバスラインのうちｎ番目のゲートバスラインＧＬnと、前記複数のソースラインのうちｍ番目のソースバスラインＳＬmとに接続された前記トランジスタＭn,mに接続された前記画素電極ＰＥn,mに対向する前記対向電極ＥCOMn,mは、前記複数の対向電極バスラインのうち、ｎ番目の対向電極バスラインＣＯＭＬnに接続され、前記複数のゲートバスラインのうちｎ番目のゲートバスラインＧＬnと、前記複数のソースラインのうちｍ＋１番目のソースバスラインＳＬm+1とに接続された前記トランジスタＭn,m+1に接続された前記画素電極ＰＥn,m+1に対向する前記対向電極ＥCOMn,m+1は、前記複数の対向電極バスラインのうち、ｎ−１番目の対向電極バスラインＣＯＭＬn-1に接続されている。
【０３３９】
上記のように構成された表示パネルによれば、互いに隣接する画素電極に印加されるソース信号の極性が互いに反対の極性であるドット反転駆動を行うことによって、フリッカやクロストークなどを抑制しつつ、上記動画ボケの現象を抑制することができる。
【０３４０】
（まとめ）
以上のように、本発明に係る表示パネルは、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルであって、前記ゲートドライバが前記任意のゲートバスラインに対して前記導通信号を供給してから次の前記導通信号を供給するまでの１走査期間において、前記任意の対向電極バスラインに対し、少なくとも第１の電圧レベルおよび前記第１の電圧レベルと異なる第２の電圧レベルからなる矩形状の電圧信号を供給する対向電極ドライバを備えている、ことを特徴としている。
【０３４１】
液晶表示装置のようなホールド型の表示装置においては、あるフレームが表示されてから次のフレームが表示されるまで、物体がその位置に留まって表示されるが、観察者の視線は、物体が留まって表示されている期間であってもその物体を追尾しようと画面上を移動するため、当該動く物体の輪郭がぼけているように認識されてしまうという動画ボケの現象が発生する。
【０３４２】
本発明に係る表示パネルは、上記のように、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルであって、前記ゲートドライバが前記任意のゲートバスラインに対して前記導通信号を供給してから次の前記導通信号を供給するまでの１走査期間において、前記任意の対向電極バスラインに対し、第１の電圧レベルおよび前記第１の電圧レベルと異なる第２の電圧レベルからなる矩形状の電圧信号を供給する対向電極ドライバを備えているため、上記任意のゲートバスラインに上記導通信号が供給されてから次の上記導通信号が供給されるまでの１走査期間において、上記任意のゲートバスラインに上記トランジスタを介して接続された上記画素電極に対し、第１の電圧レベルおよび前記第１の電圧レベルと異なる第２の電圧レベルを印加することができる。
【０３４３】
一般に、画素領域が表示する画像の輝度は、上記画素電極に印加される電圧に応じて変化する。したがって、上記の構成によれば、上記１走査期間において、上記画素電極が形成された画素領域における画像の輝度を２値に変化させることができる。
【０３４４】
これによって、上記動画ボケの現象を抑制することができるという効果を奏する。
【０３４５】
また、本発明に係る上記の表示パネルにおいては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができるという効果を奏する。また、画像信号を一旦記憶しておくためのフレームメモリを用いる従来の構成に比べて、消費電力を削減することができるという効果を奏する。
【０３４６】
また、本発明に係る表示パネルにおいては、前記対向電極ドライバは、前記１走査期間において、前記任意の対向電極バスラインに対し、前記導通信号に同期して、少なくとも前記第１の電圧レベルおよび前記第２の電圧レベルからなる矩形状の電圧信号を供給する、ことが好ましい。
【０３４７】
上記の構成によれば、前記任意の対向電極バスラインに対し、前記導通信号に同期して、上記第１の電圧レベルおよび上記第２の電圧レベルからなる矩形状の電圧信号を供給することができる。
【０３４８】
したがって、前記導通信号に同期せずに上記電圧信号を供給する場合と異なり、画面上の全ての画素領域の各々において、映像データが更新されてから、一定の時間が経過した後に明暗の切り替えを行うことができる。また、画面のどの場所でも明るい輝度での表示期間と暗い輝度での表示期間の割合をほぼ等しくすることができるので、動画ボケの抑制を効果的に行うことができる。
【０３４９】
また、本発明に係る表示パネルにおいては、前記矩形状の電圧信号は、前記１走査期間の少なくとも１０パーセントの期間において、前記第１の電圧レベルまたは前記第２の電圧レベルのうち一方の値の電圧レベルをとる、ことが好ましい。
【０３５０】
上記の構成によれば、前記矩形状の電圧信号は、前記１走査期間の少なくとも１０パーセントの期間において、前記第１の電圧レベルまたは前記第２の電圧レベルのうち一方の値の電圧レベルをとるため、上記動画ボケの現象を効果的に抑制することができるという更なる効果を奏する。
【０３５１】
また、本発明に係る表示パネルにおいては、前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとる、ことが好ましい。
【０３５２】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０３５３】
したがって、上記の構成によれば、上記動画ボケの現象を効果的に抑制することができるという更なる効果を奏する。
【０３５４】
また、本発明に係る表示パネルにおいては、前記１走査期間において、前記矩形状の電圧信号が前記第１の電圧レベルであるときの前記画素電極の電位と前記対向電極の電位との差によって表される前記液晶への印加電圧の極性と、前記矩形状の電圧信号が前記第２の電圧レベルであるときの前記画素電極の電位と前記対向電極の電位との差によって表される前記液晶への印加電圧の極性とは、互いに異なった極性である、ことが好ましい。
【０３５５】
上記の構成によれば、前記矩形状の電圧信号が前記第１の電圧レベルであるときであっても、前記矩形状の電圧信号が前記第２の電圧レベルであるときであっても、前記液晶への印加電圧の絶対値を十分に小さくすることができる。
【０３５６】
したがって、上記の構成によれば、前記液晶への印加電圧の絶対値がより小さい場合により低輝度となるノーマリーブラック方式において、前記矩形状の電圧信号が前記第１の電圧レベルであるときであっても、前記矩形状の電圧信号が前記第２の電圧レベルであるときであっても、十分に低輝度な黒表示を行うことができるという更なる効果を奏する。
【０３５７】
また、本発明に係る表示パネルにおいては、前記第１の電圧レベルと、前記第２の電圧レベルとの電位差の絶対値は、液晶の閾値電圧の２倍以下である、ことが好ましい。
【０３５８】
一般に、液晶の配向は、当該液晶に閾値電圧以下の電圧が印加されても、影響を受けない。換言すれば、前記閾値電圧とは、液晶の配向が影響を受け始める電圧のことである（以下同様）。
【０３５９】
上記の構成によれば、前記第１の電圧レベルと、前記第２の電圧レベルとの電位差の絶対値は、液晶の閾値電圧の２倍以下であるため、前記矩形状の電圧信号の電圧レベルが前記第１の電圧レベルであっても、前記第２の電圧レベルであっても、前記液晶の配向が影響を受けないようにすることができる。
【０３６０】
したがって、上記の構成によれば、前記液晶への印加電圧の絶対値がより小さい場合により低輝度となるノーマリーブラック方式において、前記矩形状の電圧信号の電圧レベルが前記第１の電圧レベルであっても、前記第２の電圧レベルであっても、黒表示を行うことができるという更なる効果を奏する。
【０３６１】
また、本発明に係る表示パネルにおいては、前記対向電極ドライバは、前記１走査期間において、前記任意の対向電極バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給する、ことが好ましい。
【０３６２】
上記の構成によれば、前記対向電極ドライバは、、前記１走査期間において、前記任意の対向電極バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給することができるので、上記１走査期間において、上記任意のゲートバスラインに上記トランジスタを介して接続された上記画素電極に対し、３値の電圧レベルを印加することができる。換言すれば、上記１走査期間において、上記画素電極に印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０３６３】
すなわち、上記の構成によれば、動画ボケの現象を効果的に抑制しつつ、より高輝度な表示が可能となるという更なる効果を奏する。
【０３６４】
また、本発明に係る表示パネルにおいては、前記矩形状の電圧信号は、前記１走査期間の少なくとも１０パーセントの期間において、前記第１の電圧レベル、前記第２の電圧レベル、または、前記第３の電圧レベルのうち、何れかの電圧レベルをとる、ことが好ましい。
【０３６５】
上記の構成によれば、前記矩形状の電圧信号は、前記１走査期間の少なくとも１０パーセントの期間において、前記第１の電圧レベル、前記第２の電圧レベル、または、前記第３の電圧レベルのうち、何れかの電圧レベルをとるため、上記動画ボケの現象を効果的に抑制することができるという更なる効果を奏する。
【０３６６】
また、本発明に係る表示パネルにおいては、前記矩形状の電圧信号は、前記１走査期間の開始から前記１走査期間の略１０パーセントの期間が経過するまでの期間において、前記第１の電圧レベル、前記第２の電圧レベル、または、前記第３の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、または、前記第３の電圧レベルのうち他の１つの電圧レベルをとる、ことが好ましい。
【０３６７】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０３６８】
したがって、上記の構成によれば、上記動画ボケの現象を効果的に抑制することができるという更なる効果を奏する。
【０３６９】
また、本発明に係る表示パネルにおいては、前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、ことが好ましい。
【０３７０】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０３７１】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができるという更なる効果を奏する。
【０３７２】
また、本発明に係る表示パネルにおいては、前記第１の電圧レベル、前記第２の電圧レベル、および、前記第３の電圧レベルのうち、中間の電圧レベルと、前記第１の電圧レベル、前記第２の電圧レベル、および、前記第３の電圧レベルのうち、最も低い電圧レベルとの電位差の絶対値は、液晶の閾値電圧の２倍以下である、ことが好ましい。
【０３７３】
上記の構成によれば、前記第１の電圧レベル、前記第２の電圧レベル、および、前記第３の電圧レベルのうち、中間の電圧レベルと、前記第１の電圧レベル、前記第２の電圧レベル、および、前記第３の電圧レベルのうち、最も低い電圧レベルとの電位差の絶対値は、液晶の閾値電圧の２倍以下であるため、前記矩形状の電圧信号の電圧レベルが前記第１の電圧レベル、前記第２の電圧レベル、および、前記第３の電圧レベルの何れの電圧レベルであっても、前記画素電極の電位の絶対値がより小さい場合により低輝度となるノーマリーブラック方式において、前記矩形状の電圧信号の電圧レベルが前記第１の電圧レベル、前記第２の電圧レベル、および、前記第３の電圧レベルの何れであっても、黒表示を行うことができるという更なる効果を奏する。
【０３７４】
また、本発明に係る表示パネルにおいては、前記対向電極ドライバは、前記１走査期間において、前記任意の対向電極バスラインに対し、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給する、ことが好ましい。
【０３７５】
上記の構成によれば、前記対向電極ドライバは、前記１走査期間において、前記任意の対向電極バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給することができるので、上記１走査期間において、上記画素電極に印加される電圧レベルは、３値に変化する。換言すれば、上記１走査期間において、上記画素電極に印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０３７６】
したがって、上記の構成によれば、動画ボケの現象を効果的に抑制しつつ、より高輝度な表示が可能となるという更なる効果を奏する。
【０３７７】
さらに、上記の構成によれば、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給することができるので、前記１走査期間の次の１走査期間において、前記第１の電圧レベル、前記第２の電圧レベル、および、前記第３の電圧レベルとからなる矩形状の電圧信号を供給する場合に比べて、高輝度と低輝度の輝度レベルの調整をより柔軟に行うことができる。
【０３７８】
したがって、上記の構成によれば、上記動画ボケの現象をより一層効果的に抑制しつつ、高輝度な表示を行うことができるという更なる効果を奏する。
【０３７９】
また、本発明に係る表示パネルにおいては、前記１走査期間における最初の前記電圧レベルの遷移の前後における前記電圧レベルの電位差の絶対値は、前記１走査期間における次の前記電圧レベルの遷移の前後における前記電圧レベルの電位差の絶対値よりも小さい、ことが好ましい。
【０３８０】
上記の構成によれば、前記１走査期間における最初の前記電圧レベルの遷移の前後における前記電圧レベルの電位差の絶対値は、前記１走査期間における次の前記電圧レベルの遷移の前後における前記電圧レベルの電位差の絶対値よりも小さいため、前記次の前記電圧レベルの遷移の前後における輝度差を、前記最初の前記電圧レベルの遷移の前後における輝度差よりも大きくすることができる。したがって、上記の構成によれば、上記動画ボケの現象をより効果的に抑制することができるという更なる効果を奏する。
【０３８１】
また、本発明に係る表示パネルにおいては、前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとる、ことが好ましい。
【０３８２】
上記の構成によれば、前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとるため、上記動画ボケの現象を効果的に抑制することができるという更なる効果を奏する。
【０３８３】
また、本発明に係る表示パネルにおいては、前記矩形状の電圧信号は、前記１走査期間の開始から前記１走査期間の略１０パーセントの期間が経過するまでの期間において、前記第１の電圧レベル、前記第２の電圧レベル、前記第３の電圧レベル、または、前記第４の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、前記第３の電圧レベル、または、前記第４の電圧レベルのうち他の１つの電圧レベルをとる、ことが好ましい。
【０３８４】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０３８５】
したがって、上記の構成によれば、上記動画ボケの現象を効果的に抑制することができるという更なる効果を奏する。
【０３８６】
また、本発明に係る表示パネルにおいては、前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、ことが好ましい。
【０３８７】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０３８８】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができるという更なる効果を奏する。
【０３８９】
また、本発明に係る表示パネルにおいては、前記第１の電圧レベル、前記第２の電圧レベル、前記第３の電圧レベル、および、前記第４の電圧レベルのうち、２番目に高い電圧レベルと、前記第１の電圧レベル、前記第２の電圧レベル、前記第３の電圧レベル、および、前記第４の電圧レベルのうち、最も低い電圧レベルとの電位差の絶対値は、液晶の閾値電圧の２倍以下である、ことが好ましい。
【０３９０】
上記の構成によれば、前記第１の電圧レベル、前記第２の電圧レベル、前記第３の電圧レベル、および、前記第４の電圧レベルのうち、２番目に高い電圧レベルと、前記第１の電圧レベル、前記第２の電圧レベル、前記第３の電圧レベル、および、前記第４の電圧レベルのうち、最も低い電圧レベルとの電位差の絶対値は、液晶の閾値電圧の２倍以下であるため、前記矩形状の電圧信号の電圧レベルが前記第１の電圧レベル、前記第２の電圧レベル、前記第３の電圧レベル、および、前記第４の電圧レベルのうち、最も低い電圧レベルであっても、前記第１の電圧レベル、前記第２の電圧レベル、前記第３の電圧レベル、および、前記第４の電圧レベルのうち、最も高い電圧レベルであっても、前記液晶の配向が影響を受けないようにすることができる。
【０３９１】
したがって、上記の構成によれば、前記液晶への印加電圧の電位の絶対値がより小さい場合により低輝度となるノーマリーブラック方式において、前記矩形状の電圧信号の電圧レベルが前記第１の電圧レベル、前記第２の電圧レベル、前記第３の電圧レベル、および、前記第４の電圧レベルの何れであっても、黒表示を行うことができるという更なる効果を奏する。
【０３９２】
また、本発明に係る表示パネルにおいては、前記ゲートドライバが前記任意のゲートバスラインに対して前記導通信号を供給したときに、前記任意の対向電極バスラインに対して、前記電圧レベルのうち最も高い電圧レベルが供給されている場合には、前記対向電極ドライバは、前記任意の対向電極バスラインに対して、前記１走査期間において、前記電圧レベルが降順である前記矩形状の電圧信号を供給する、ことが好ましい。
【０３９３】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極の電位と、対向電極の電位との電位差が増大するタイミングにおいて生じ得る。
【０３９４】
上記の構成によれば、前記ゲートドライバが前記任意のゲートバスラインに対して前記導通信号を供給したときに、前記任意の対向電極バスラインに対して前記電圧レベルのうち、最も高い電圧レベルが供給されている場合には、上記１走査期間において、前記画素電極に対して、電圧レベルのより高い電圧信号を供給し、それに引き続き、電圧レベルのより低い電圧信号を供給することができる。
【０３９５】
したがって、画素電極の電位と、対向電極の電位との電位差を段階的に増加させることができる。これによって、ノーマリーブラック方式において生じ得る上記の低輝度から高輝度への立ち上がりが不十分となる現象を抑制することができるという更なる効果を奏する。
【０３９６】
また、本発明に係る表示パネルにおいては、前記ゲートドライバが前記任意のゲートバスラインに対して前記導通信号を供給したときに、前記任意の対向電極バスラインに対して、前記電圧レベルのうち最も低い電圧レベルが供給されている場合には、前記対向電極ドライバは、前記任意の対向電極バスラインに対して、前記１走査期間において、前記電圧レベルが昇順である前記矩形状の電圧信号を供給する、ことが好ましい。
【０３９７】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極の電位と、対向電極の電位との電位差が増大するタイミングにおいて生じ得る。
【０３９８】
上記の構成によれば、前記ゲートドライバが前記任意のゲートバスラインに対して前記導通信号を供給したときに、前記任意の対向電極バスラインに対して前記電圧レベルのうち、最も低い電圧レベルが供給されている場合には、上記１走査期間において、前記画素電極に対して、電圧レベルのより低い電圧信号を供給し、それに引き続き、電圧レベルのより高い電圧信号を供給することができる。
【０３９９】
したがって、画素電極の電位と、対向電極の電位との電位差を段階的に増加させることができる。これによって、ノーマリーブラック方式において生じ得る上記の低輝度から高輝度への立ち上がりが不十分となる現象を抑制することができるという更なる効果を奏する。
【０４００】
また、本発明に係る表示パネルにおいては、前記対向電極ドライバは、前記複数のゲートバスラインのうちｎ番目のゲートバスラインに前記トランジスタを介して接続された前記画素電極に対向する前記対向電極が接続された前記対向電極バスラインと、前記複数のゲートバスラインのうちｎ＋１番目のゲートバスラインに前記トランジスタを介して接続された前記画素電極に対向する前記対向電極が接続された前記対向電極バスラインと、に対し、前記矩形状の電圧信号を同期して供給する、ことが好ましい。
【０４０１】
上記の構成によれば、前記複数のゲートバスラインのうちｎ番目のゲートバスラインに前記トランジスタを介して接続された前記画素電極に対向する前記対向電極が接続された前記対向電極バスラインと、前記複数のゲートバスラインのうちｎ＋１番目のゲートバスラインに前記トランジスタを介して接続された前記画素電極に対向する前記対向電極が接続された前記対向電極バスラインと、に対し、前記矩形状の電圧信号を同期して供給することができるため、より簡単な構成の前記対向電極ドライバにより、上記動画ボケの現象を抑制することができるという更なる効果を奏する。
【０４０２】
また、本発明に係る表示パネルにおいては、前記対向電極ドライバは、前記複数のゲートバスラインのうちｎ番目のゲートバスラインに前記トランジスタを介して接続された前記画素電極に対向する前記対向電極が接続された前記対向電極バスラインと、前記複数のゲートバスラインのうちｎ＋２番目のゲートバスラインに前記トランジスタを介して接続された前記画素電極に対向する前記対向電極が接続された前記対向電極バスラインと、
に対し、前記矩形状の電圧信号を同期して供給する、ことが好ましい。
【０４０３】
上記の構成によれば、前記複数のゲートバスラインのうちｎ番目のゲートバスラインに前記トランジスタを介して接続された前記画素電極に対向する前記対向電極が接続された前記対向電極バスラインと、前記複数のゲートバスラインのうちｎ＋２番目のゲートバスラインに前記トランジスタを介して接続された前記画素電極に対向する前記対向電極が接続された前記対向電極バスラインと、に対し、前記矩形状の電圧信号を同期して供給することができるため、より簡単な構成の前記対向電極ドライバにより、フリッカや極性反転に応じたスジの発生を抑制しつつ、上記動画ボケの現象を抑制することができるという更なる効果を奏する。
【０４０４】
また、本発明に係る表示パネルにおいては、前記複数のゲートバスラインの本数は偶数であり、前記複数の対向電極バスラインの本数は、前記ゲートバスラインの本数の半数であり、前記複数のゲートバスラインのうち２ｋ−１番目（ｋは自然数）のゲートバスラインに前記トランジスタを介して接続された前記画素電極に対向する前記対向電極と、前記複数のゲートバスラインのうち２ｋ番目のゲートバスラインに前記トランジスタを介して接続された前記画素電極に対向する前記対向電極とが、前記複数の対向電極バスラインのうちｋ番目の対向電極バスラインに接続されている、ことが好ましい。
【０４０５】
上記の構成によれば、上記表示パネルに形成される上記対向電極バスラインの本数を、上記複数のゲートバスラインの本数の半分にすることができるため、より簡単な構成の表示パネルにより、上記動画ボケの現象を抑制することができるという更なる効果を奏する。
【０４０６】
また、本発明に係る表示パネルにおいては、前記対向電極ドライバは、前記矩形状の電圧信号の振幅の大きさを変更する振幅変更手段を備えている、ことが好ましい。
【０４０７】
上記の構成によれば、前記対向電極ドライバは、前記矩形状の電圧信号の振幅の大きさを変更する振幅変更手段を備えているため、より効果的に動画ボケの現象を抑制することができるという更なる効果を奏する。
【０４０８】
また、本発明に係る表示パネルにおいては、前記ソースドライバは、予め定められた基準振幅未満の振幅の前記ソース信号を供給する場合には、前記矩形状の電圧信号の振幅がより小さいときに、より振幅の大きな前記ソース信号を供給し、前記矩形状の電圧信号の振幅がより大きいときに、より振幅の小さな前記ソース信号を供給し、予め定められた基準振幅以上の振幅の前記ソース信号を供給する場合には、前記矩形状の電圧信号の振幅がより小さいときに、より振幅の小さな前記ソース信号を供給し、前記矩形状の電圧信号の振幅がより大きいときに、より振幅の大きな前記ソース信号を供給する、ことが好ましい。
【０４０９】
上記の構成によれば、前記ソースドライバは、予め定められた基準振幅未満の振幅の前記ソース信号を供給する場合には、前記矩形状の電圧信号の振幅がより小さいときに、より振幅の大きな前記ソース信号を供給し、前記矩形状の電圧信号の振幅がより大きいときに、より振幅の小さな前記ソース信号を供給し、予め定められた基準振幅以上の振幅の前記ソース信号を供給する場合には、前記矩形状の電圧信号の振幅がより小さいときに、より振幅の小さな前記ソース信号を供給し、前記矩形状の電圧信号の振幅がより大きいときに、より振幅の大きな前記ソース信号を供給することができるため、前記矩形状の電圧信号の振幅がより大きい場合であっても、前記矩形状の電圧信号の振幅がより小さい場合であっても、上記動画ボケの現象を効果的に抑制することができるという更なる効果を奏する。
【０４１０】
なお、前記ソース信号の振幅とは、正極性書き込み時における前記ソース信号の電位から負極性書き込み時における前記ソース信号の電位を引き算したものとして定義されるものとする（以下同様）。また、正極性書き込み時とは、前記導通信号供給時であって前記矩形状の電圧信号が最も高い電圧レベルである場合を指し、負極性書き込み時とは、前記導通信号供給時であって前記矩形状の電圧信号が低い高い電圧レベルである場合を指す（以下同様）。
【０４１１】
また、本発明に係る表示パネルは、２つの前記対向電極ドライバを備え、前記任意の対向電極バスラインは、絶縁部を介して同一直線上に形成された２本の対向電極バスラインから構成され、２つの前記対向電極ドライバのうち一方の前記対向電極ドライバは、前記１走査期間において、前記２本の対向電極バスラインのうち一方の対向電極バスラインに対し、前記導通信号に同期して、第１の電圧レベルおよび前記第１の電圧レベルと異なる第２の電圧レベルからなる矩形状の電圧信号を供給し、２つの前記対向電極ドライバのうち他の一方の前記対向電極ドライバは、前記１走査期間において、前記２本の対向電極バスラインのうち他の一方の対向電極バスラインに対し、前記導通信号に同期して、第１の電圧レベルおよび前記第１の電圧レベルと異なる第２の電圧レベルからなる矩形状の電圧信号を供給してもよい。
【０４１２】
上記の構成によれば、絶縁部を介して同一直線上に形成された２本の対向電極バスラインのうち一方の対向電極バスラインに対して、上記一方の対向電極ドライバによって、上記矩形状の電圧信号が供給され、上記他の一方の対向電極バスラインに対して、上記他の一方の対向電極ドライバによって、上記矩形状の電圧信号が供給される。
【０４１３】
したがって、上記の構成によれば、上記一方の対向電極バスラインに接続された画素電極と、上記他の一方の対向電極バスラインに接続された画素電極とに対し、互いに独立に上記矩形状の電圧信号を供給することができる。したがって、
したがって、上記の構成によれば、上記一方の対向電極バスラインに接続された画素電極を備える画素領域と、上記他の一方の対向電極バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果を効果的にアピールすることができるという更なる効果を奏する。
【０４１４】
また、本発明に係る表示パネルにおいては、前記ソースドライバは、前記一方の対向電極バスラインに接続された前記対向電極に対向する前記画素電極に前記トランジスタを介して接続された前記ソースバスラインと、前記他の一方の対向電極バスラインに接続された前記対向電極に対向する前記画素電極に前記トランジスタを介して接続された前記ソースバスラインとに対し、それぞれ振幅の異なったソース信号を供給する、ことが好ましい。
【０４１５】
上記の構成によれば、前記ソースドライバは、前記一方の対向電極バスラインに接続された前記対向電極に対向する前記画素電極に前記トランジスタを介して接続された前記ソースバスラインと、前記他の一方の対向電極バスラインに接続された前記対向電極に対向する前記画素電極に前記トランジスタを介して接続された前記ソースバスラインとに対し、それぞれ振幅の異なったソース信号を供給することができるため、上記一方の対向電極バスラインに接続された画素電極と、上記他の一方の対向電極バスラインに接続された画素電極とに対し、互いに独立に上記矩形状の電圧信号を供給することによって、上記動画ボケの現象以外の画像の視認性を同一にしつつ、上記一方の対向電極バスラインに接続された画素電極を備える画素領域と、上記他の一方の対向電極バスラインに接続された画素電極を備える画素領域とが、それぞれ上記動画ボケの現象の改善効果が異なる画像を表示することができるため、ユーザに対して、本発明による上記動画ボケの改善効果をより効果的に訴求することができる。すなわち、ユーザに対して、本発明による上記動画ボケの改善効果をより効果的にアピールすることができるという更なる効果を奏する。
【０４１６】
また、本発明に係る表示パネルにおいては、前記一方の対向電極バスラインの長さは、前記任意の対向電極バスラインの長さの略４５パーセントから略５５パーセントの長さであり、前記他の一方の対向電極バスラインの長さは、前記任意の対向電極バスラインの長さから前記一方の対向電極バスラインの長さを引いた長さに略等しい、ことが好ましい。
【０４１７】
上記の構成によれば、上記任意の対向電極バスラインは、表示パネルにおいて画像を表示する表示部を上記ソースバスラインに平行に２等分する中心線から±５パーセントの範囲内において、上記一方の対向電極バスラインと、上記他の一方の対向電極バスラインとに電気的に分離されている。
【０４１８】
したがって、上記の構成によれば、上記表示部の一方の半面に配置された画素電極を備える画素領域の輝度、および、もう一方の半面に配置された画素電極を備える画素領域の輝度を、上記１走査期間において、各々独立に制御することができる。また、前記一方の対向電極バスラインの負荷特性と、前記他の一方の対向電極バスラインの負荷特性とを略同一にすることができるため、前記一方の対向電極バスラインに接続された対向電極ドライバの構成と、前記他の一方の対向電極バスラインに接続された対向電極ドライバの構成とを略同一にすることができる。
【０４１９】
したがって、上記の構成によれば、設計および製造がより容易な構成によって、ユーザに対して、本発明による上記動画ボケの改善効果を効果的にアピールすることができるという更なる効果を奏する。
【０４２０】
また、本発明に係る表示パネルにおいては、前記一方の対向電極ドライバは、前記矩形状の電圧信号の振幅の大きさを変更する第１の振幅変更手段を備えており、前記他の一方の対向電極ドライバは、前記矩形状の電圧信号の振幅の大きさを変更する第２の振幅変更手段を備えている、ことが好ましい。
【０４２１】
上記の構成によれば、前記一方の対向電極ドライバは、前記矩形状の電圧信号の振幅の大きさを変更する第１の振幅変更手段を備えており、前記他の一方の対向電極ドライバは、前記矩形状の電圧信号の振幅の大きさを変更する第２の振幅変更手段を備えているため、前記一方の対向電極ドライバ、および、前記他の一方の対向電極ドライバは、それぞれ振幅の異なった前記矩形状の電圧信号を供給することができる。
【０４２２】
したがって、上記の構成によれば、前記一方の対向電極ドライバ、および、前記他の一方の対向電極ドライバが、それぞれ振幅の異なった前記矩形状の電圧信号を供給することによって、上記一方の対向電極バスラインに接続された画素電極を備える画素領域と、上記他の一方の対向電極バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果をより効果的にアピールすることができるという更なる効果を奏する。
【０４２３】
また、本発明に係る表示パネルにおいては、
前記ソースドライバは、
予め定められた基準ソース振幅未満の振幅の前記ソース信号を供給する場合には、
前記一方の対向電極ドライバが前記一方の対向電極バスラインに振幅のより小さい前記矩形状の電圧信号を供給する場合に、前記一方の対向電極バスラインに接続された前記対向電極に対向する前記画素電極に前記トランジスタを介して接続された前記ソースバスラインに対して、振幅のより大きい前記ソース信号を供給し、
前記一方の対向電極ドライバが前記一方の対向電極バスラインに振幅のより大きい前記矩形状の電圧信号を供給する場合に、前記一方の対向電極バスラインに接続された前記対向電極に対向する前記画素電極に前記トランジスタを介して接続された前記ソースバスラインに対して、振幅のより小さい前記ソース信号を供給し、
前記他の一方の対向電極ドライバが前記他の一方の対向電極バスラインに振幅のより小さい前記矩形状の電圧信号を供給する場合に、前記他の一方の対向電極バスラインに接続された前記対向電極に対向する前記画素電極に前記トランジスタを介して接続された前記ソースバスラインに対して、振幅のより大きい前記ソース信号を供給し、
前記他の一方の対向電極ドライバが前記他の一方の対向電極バスラインに振幅のより大きい前記矩形状の電圧信号を供給する場合に、前記他の一方の対向電極バスラインに接続された前記対向電極に対向する前記画素電極に前記トランジスタを介して接続された前記ソースバスラインに対して、振幅のより小さい前記ソース信号を供給し、
予め定められた基準ソース振幅以上の振幅の前記ソース信号を供給する場合には、
前記一方の対向電極ドライバが前記一方の対向電極バスラインに振幅のより小さい前記矩形状の電圧信号を供給する場合に、前記一方の対向電極バスラインに接続された前記対向電極に対向する前記画素電極に前記トランジスタを介して接続された前記ソースバスラインに対して、振幅のより小さい前記ソース信号を供給し、
前記一方の対向電極ドライバが前記一方の対向電極バスラインに振幅のより大きい前記矩形状の電圧信号を供給する場合に、前記一方の対向電極バスラインに接続された前記対向電極に対向する前記画素電極に前記トランジスタを介して接続された前記ソースバスラインに対して、振幅のより大きい前記ソース信号を供給し、
前記他の一方の対向電極ドライバが前記他の一方の対向電極バスラインに振幅のより小さい前記矩形状の電圧信号を供給する場合に、前記他の一方の対向電極バスラインに接続された前記対向電極に対向する前記画素電極に前記トランジスタを介して接続された前記ソースバスラインに対して、振幅のより小さい前記ソース信号を供給し、
前記他の一方の対向電極ドライバが前記他の一方の対向電極バスラインに振幅のより大きい前記矩形状の電圧信号を供給する場合に、前記他の一方の対向電極バスラインに接続された前記対向電極に対向する前記画素電極に前記トランジスタを介して接続された前記ソースバスラインに対して、振幅のより大きい前記ソース信号を供給する、ことが好ましい。
【０４２４】
上記の構成によれば、上記動画ボケの現象以外の画像の視認性を同一にしつつ、上記一方の対向電極バスラインに接続された対向電極を備える画素領域と、上記他の一方の対向電極バスラインに接続された対向電極を備える画素領域とが、それぞれ上記動画ボケの現象の改善効果が異なる画像を表示することができる。したがって、ユーザに対して、本発明による上記動画ボケの改善効果をより効果的にアピールすることができるという更なる効果を奏する。
【０４２５】
また、本発明に係る表示パネルにおいては、前記複数のゲートバスラインのうちｎ番目のゲートバスラインと、前記複数のソースラインのうちｍ番目のソースバスラインとに接続された前記トランジスタに接続された前記画素電極に対向する前記対向電極は、前記複数の対向電極バスラインのうち、ｎ番目の対向電極バスラインに接続され、前記複数のゲートバスラインのうちｎ番目のゲートバスラインと、前記複数のソースラインのうちｍ＋１番目のソースバスラインとに接続された前記トランジスタに接続された前記画素電極に対向する前記対向電極は、前記複数の対向電極バスラインのうち、ｎ−１番目の対向電極バスラインに接続されている、ことが好ましい。
【０４２６】
上記のように構成された表示パネルによれば、互いに隣接する画素電極に印加されるソース信号の極性が互いに反対の極性であるドット反転駆動を行うことによって、フリッカやクロストークなどを抑制しつつ、上記動画ボケの現象を抑制することができるという更なる効果を奏する。
【０４２７】
また、上記のように構成された表示パネルを備えた液晶表示装置も本発明の範疇に含まれる。
【０４２８】
また、本発明に係る駆動方法は、複数のゲートバスラインと、複数のソースバスラインと、複数の対向電極バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、液晶を介して前記画素電極に対向する対向電極であって、前記複数の対向電極バスラインのうち任意の対向電極バスラインに接続された対向電極と、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、を備えた表示パネルを駆動する駆動方法であって、前記ゲートドライバが前記任意のゲートバスラインに対して前記導通信号を供給してから次の前記導通信号を供給するまでの１走査期間において、前記任意の対向電極バスラインに対し、前記導通信号に同期して、第１の電圧レベルおよび前記第１の電圧レベルと異なる第２の電圧レベルからなる矩形状の電圧信号を供給する電圧信号供給工程を含んでいる、ことを特徴としている。
【０４２９】
上記の方法によれば、本発明に係る上記表示パネルと同様の効果を奏する。
【０４３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０４３１】
また、上述した各実施形態における表示パネルを備えている液晶表示装置も本発明に含まれる。
【産業上の利用可能性】
【０４３２】
本発明は、液晶を用いて画像を表示する表示パネルに好適に適用することができる。
【符号の説明】
【０４３３】
１  表示パネル
１１  制御部
１２  ソースドライバ
１３  ゲートドライバ
１４  対向電極ドライバ
１５  補助容量ドライバ
１６  表示部
ＳＬm  ソースバスライン
ＧＬn  ゲートバスライン
ＣＯＭＬn  対向電極バスライン
ＣＳＬ  補助容量バスライン
Ｐn,m  画素領域
ＰＥn,m  画素電極
Ｍn,m  トランジスタ
ＥCOMn,m  対向電極
【図１】
0005529166.tif 000002
【図２】
0005529166.tif 000003
【図３】
0005529166.tif 000004
【図４】
0005529166.tif 000005
【図５】
0005529166.tif 000006
【図６】
0005529166.tif 000007
【図７】
0005529166.tif 000008
【図８】
0005529166.tif 000009
【図９】
0005529166.tif 000010
【図１０】
0005529166.tif 000011
【図１１】
0005529166.tif 000012
【図１２】
0005529166.tif 000013
【図１３】
0005529166.tif 000014
【図１４】
0005529166.tif 000015
【図１５】
0005529166.tif 000016
【図１６】
0005529166.tif 000017
【図１７】
0005529166.tif 000018
【図１８】
0005529166.tif 000019
【図１９】
0005529166.tif 000020
【図２０】
0005529166.tif 000021
【図２１】
0005529166.tif 000022
【図２２】
0005529166.tif 000023
【図２３】
0005529166.tif 000024